(57)【要約】  ｍｍＷ帯を介した指向性送信を利用して、ｍｍＷメッシュネットワーク発見のためのスキャンに役立つｓｕｂ−６ＧＨｚ帯での信号の送信を実行する無線通信装置／システム／方法。新規ノードは、ｓｕｂ−６ＧＨｚ帯で支援要求を送信する。ネットワークノードは、ｓｕｂ−６ＧＨｚ帯で支援応答を送信することによって支援要求に応答する。新規ノードは、ｓｕｂ−６ＧＨｚ帯でネットワークノードと発見支援要求及び応答を交換すると、（単複）近隣を発見するためにｍｍＷ帯に切り替える。ネットワークノードは、ｓｕｂ−６ＧＨｚ帯で発見支援要求及び応答を交換すると、新規ノードを発見するためにｍｍＷ帯に切り替える。実装は、直接的に又はネットワーク局間の協調に応答して支援を提供することができる。【選択図】      図１９
2021509241.tif 000002
【特許請求の範囲】
【請求項１】
ネットワークにおける無線通信装置であって、
（ａ）マルチバンド通信能力を有する少なくとも１つの他の無線通信局と無線で通信するように構成された無線通信回路を備え、
（ｂ）前記マルチバンド通信能力は、指向性ミリメートル波（ｍｍＷ）帯及びｓｕｂ−６ＧＨｚ帯を介した通信を含み、
（ｃ）無線ネットワーク上で動作するように構成された局内の、前記無線通信回路に結合されたプロセッサと、
（ｄ）前記プロセッサが実行できる命令を記憶した非一時的メモリと、をさらに備え、
（ｅ）前記命令は、前記プロセッサによって実行された時に、
（ｉ）
（Ａ）前記ｓｕｂ−６ＧＨｚ帯を介して、前記ｍｍＷ帯での発見支援を要求する発見支援要求を含むメッセージを送信するステップと、
（Ｂ）前記無線ネットワーク上のノードから、前記ｓｕｂ−６ＧＨｚ帯を介して発見支援応答を受け取るステップと、
（Ｃ）ビームフォーミングプロセス中に近隣の無線通信局を発見するために、前記発見支援要求及び発見支援応答の交換において受け取られた情報に従って前記ｍｍＷ帯に切り替えて送信又は受信を開始するステップと、
を実行することによって、前記無線通信回路を、前記無線ネットワークに参加しようと試みる新規ノードとして動作させるステップと、
（ｉｉ）
（Ａ）ｍｍＷ帯での発見支援が可能である旨の指示を含むメッセージを前記ｓｕｂ−６ＧＨｚ帯で送信することによって自機の発見支援能力を通知するステップと、
（Ｂ）前記無線ネットワークに参加しようと試みるいずれかの新規ノードからの発見支援要求が受け取られたことに応答して生成された発見支援応答を含むメッセージを、前記ｓｕｂ−６ＧＨｚ帯で送信するステップと、
（Ｃ）ビームフォーミングプロセスにおいて前記新規ノードを発見するために、前記発見支援要求及び発見支援応答の交換において受け取られた情報に従ってｍｍＷ帯に切り替えてメッセージを送信又は受信するステップと、
を実行することによって、前記無線通信回路を、前記無線ネットワークに参加しようと試みるいずれかの新規ノードを支援するように構成された、前記無線ネットワークに既に接続されているネットワークノードとして動作させるステップと、
を実行する装置。
【請求項２】
前記プロセッサによって実行される前記命令は、前記無線通信回路が新規ノードとして動作している時に、前記ｓｕｂ−６ＧＨｚ帯を介して支援応答を含むメッセージを送信する際に、前記ｓｕｂ−６ＧＨｚ帯で発見支援要求フレームを送信するステップをさらに含む、
請求項１に記載の装置。
【請求項３】
前記プロセッサによって実行される前記命令は、前記無線通信回路が前記ネットワークノードとして動作している時に、前記ｓｕｂ−６ＧＨｚ帯を介して支援応答を含むメッセージを送信する際に、前記ｓｕｂ−６ＧＨｚ帯で発見支援応答フレームを送信するステップをさらに含む、
請求項１に記載の装置。
【請求項４】
前記プロセッサによって実行される前記命令は、前記無線通信回路が新規ノードとして動作している時に、前記ｓｕｂ−６ＧＨｚ帯を介して発見支援要求を含むメッセージを送信する際に、前記ｓｕｂ−６ＧＨｚ帯で発見支援要求を含むプローブ要求を送信するステップをさらに含む、
請求項１に記載の装置。
【請求項５】
前記プロセッサによって実行される前記命令は、前記無線通信回路が前記ネットワークノードとして動作している時に、前記ｓｕｂ−６ＧＨｚ帯を介して発見支援応答含むメッセージを送信する際に、前記ｓｕｂ−６ＧＨｚ帯で発見支援応答を含むプローブ応答を送信するステップをさらに含む、
請求項１に記載の装置。
【請求項６】
前記プロセッサによって実行される前記命令は、前記無線通信回路が新規ノードとして動作している時に、前記ｓｕｂ−６ＧＨｚ帯を介して発見支援要求を含むメッセージを送信する際に、前記ｓｕｂ−６ＧＨｚ帯で発見支援要求を含むアソシエーション又は再アソシエーション要求を送信するステップをさらに含む、
請求項１に記載の装置。
【請求項７】
前記プロセッサによって実行される前記命令は、前記無線通信回路が前記ネットワークノードとして動作している時に、前記ｓｕｂ−６ＧＨｚ帯を介して発見支援応答を含むメッセージを送信する際に、前記ｓｕｂ−６ＧＨｚ帯で発見支援応答を含むアソシエーション又は再アソシエーション応答を送信するステップをさらに含む、
請求項１に記載の装置。
【請求項８】
前記プロセッサによって実行される前記命令は、前記新規ノードとして動作している前記無線通信回路のｍｍＷ  ＭＡＣ層管理エンティティ（ＭＬＭＥ）から前記新規ノードのｓｕｂ−６ＧＨｚ  ＭＬＭＥを通じてネットワークノードへのオンチャネルトンネル（ＯＣＴ）要求を開始した後に、前記トンネリングされたチャネルを通じて前記発見支援要求を送信するステップをさらに含む、
請求項１に記載の装置。
【請求項９】
前記プロセッサによって実行される前記命令は、前記ネットワークノードとして動作している前記無線通信回路のｍｍＷ  ＭＡＣ層管理エンティティ（ＭＬＭＥ）から前記ネットワークノードのｓｕｂ−６ＧＨｚ  ＭＬＭＥを通じて新規ノードへのオンチャネルトンネル（ＯＣＴ）要求を開始した後に、前記トンネリングされたチャネルを通じて前記発見支援応答を送信するステップをさらに含む、
請求項１に記載の装置。
【請求項１０】
前記プロセッサによって実行される前記命令は、前記無線通信回路が前記新規ノード又は前記ネットワークノードのいずれかとして動作している時に、前記ｓｕｂ−６ＧＨｚ帯を介して、発見支援能力、又はマルチバンド能力、又は発見支援能力とマルチバンド能力との組み合わせをブロードキャストするステップをさらに含む、
請求項１に記載の装置。
【請求項１１】
前記プロセッサによって実行される前記命令は、前記無線通信回路が前記新規ノード又は前記ネットワークノードのいずれかとして動作している時に、送信されるビーコン又はメッセージに発見支援能力、又はマルチバンド能力、又は発見支援能力とマルチバンド能力との組み合わせに関する情報を組み込むことにより、前記ｓｕｂ−６ＧＨｚ帯を介して、発見支援能力、又はマルチバンド能力、又は発見支援能力とマルチバンド能力との組み合わせをブロードキャストするステップをさらに含む、
請求項１０に記載の装置。
【請求項１２】
前記送信されるビーコン又はメッセージは、ビーコンフレーム、プローブ応答、通知フレーム、情報応答、アソシエーション応答、再アソシエーション応答、或いはネットワーク及びＳＴＡ能力を通知するために新規ノードにブロードキャスト又はユニキャストされるいずれかのフレームから成るビーコン又はメッセージの群から選択される、
請求項１１に記載の装置。
【請求項１３】
前記プロセッサによって実行される前記命令は、前記無線通信回路が前記新規ノードとして動作している時に、発見支援能力、又はマルチバンド能力、又は発見支援能力とマルチバンド能力との組み合わせを含むビーコンを受け取ったことに応答して、前記ｓｕｂ−６ＧＨｚ帯を介して発見支援要求を含むメッセージを送信する前記ステップを引き起こすステップをさらに含む、
請求項１１に記載の装置。
【請求項１４】
前記プロセッサによって実行される前記命令は、前記無線通信回路が前記ネットワークノードとして動作して全方向にビームフォーミングフレームを送信し又はビームフォーミングフレームを受信し、自機のｍｍＷ信号カバレッジエリア内に新規ノードが存在する場合に前記新規ノードとビームフォーミングするステップをさらに含む、
請求項１に記載の装置。
【請求項１５】
前記プロセッサによって実行される前記命令は、前記無線通信回路が前記新規ノードとして動作して全方向にビームフォーミングフレームを送信し又はビームフォーミングフレームを受信し、自機のｍｍＷ信号カバレッジエリア内にネットワークノードが存在する場合に前記ネットワークノードとビームフォーミングするステップをさらに含む、
請求項１に記載の装置。
【請求項１６】
前記プロセッサによって実行される前記命令は、前記無線通信回路が前記ネットワークノードとして動作している時に、前記無線ネットワーク内の潜在的近隣である他のネットワークノードと協調し、ｍｍＷカバレッジエリア内にいずれかの新規ノードが存在する場合にｍｍＷビームフォーミングによって前記新規ノードを支援するステップをさらに含む、
請求項１に記載の装置。
【請求項１７】
ネットワークにおける無線通信方法であって、
（ａ）指向性送信及び／又は受信のために構成された第１の通信帯を介して送信を行うことによって、ネットワークに参加した無線ノード間で無線で通信するステップと、
（ｂ）第２の無線通信帯を介した通信を利用して、前記ネットワークに参加しようと試みる新規ノードと無線で通信するステップと、
（ｃ）前記ネットワークに参加しようと試みる新規ノードが前記第１の通信帯での発見支援を要求できるように、前記第２の通信帯を介して、発見支援要求と前記発見プロセスを支援するための関連する情報フィールドとを含むメッセージを送信するステップと、
（ｄ）前記ネットワークに既に参加しているネットワークノードが前記発見支援要求を受け取り、前記第２の通信帯を介して前記新規ノードに、発見支援要求と前記発見プロセスを支援するための関連する情報フィールドとを送信することによって応答するステップと、
（ｅ）ビームフォーミングプロセスに応答して近隣の無線通信局を発見するために、前記発見支援要求及び応答の交換からの前記関連する情報フィールド内で受け取られた情報に従って、前記第１の通信帯における指向性通信を使用することに切り替えて指向性送信を生成するステップと、
を含む方法。
【請求項１８】
前記第１の通信帯は、指向性ミリメートル波（ｍｍＷ）帯を含む、
請求項１７に記載の方法。
【請求項１９】
前記第２の通信帯は、ｓｕｂ−６ＧＨｚ帯における無指向性通信のために構成される、
請求項１７に記載の方法。
【請求項２０】
前記発見支援要求及び前記発見支援応答は、（ａ）前記発見プロセスを支援するための前記関連する情報フィールドを含む特定の発見支援要求フレーム及び発見支援応答フレームを利用すること、又は（ｂ）前記発見支援要求及び前記発見支援応答と、前記発見プロセスを支援するための前記関連する情報フィールドとを、前記第２の通信帯を介して伝えられる他のビーコン又はメッセージに組み込むこと、又は（ｃ）前記発見支援要求及び前記発見支援応答を、前記発見プロセスを支援するための前記関連する情報フィールドを含む別のビーコン又はメッセージの通信を引き起こす他のビーコン又はメッセージで伝えること、又は（ｄ）前記発見支援要求及び前記発見支援応答と、前記発見プロセスを支援するための前記関連する情報フィールドとを、第１の通信帯のＭＡＣ層管理エンティティ間に確立されたオンチャネルトンネル（ＯＣＴ）を介して伝えること、又は（ｅ）これらの組み合わせ、によって交換される、
請求項１７に記載の方法。
【発明の詳細な説明】
【技術分野】
【０００１】
〔関連出願との相互参照〕
本出願は、２０１８年１月１２日に出願された米国仮特許出願第６２／６１６，８１７号に対する優先権及びその利益を主張するものであり、この文献はその全体が引用により本明細書に組み入れられる。また、本出願は、２０１８年３月１日に出願された米国仮特許出願第６２／６３６，９８２号に対する優先権及びその利益を主張するものでもあり、この文献はその全体が引用により本明細書に組み入れられる。
【０００２】
〔著作権保護を受ける資料の通知〕
本特許文献中の資料の一部は、アメリカ合衆国及びその他の国の著作権法の下で著作権保護を受けることができる。著作権の権利所有者は、合衆国特許商標庁の一般公開ファイル又は記録内に表される通りに第三者が特許文献又は特許開示を複製することには異議を唱えないが、それ以外は全ての著作権を留保する。著作権所有者は、限定ではないが米国特許法施行規則§１．１４に従う権利を含め、本特許文献を秘密裏に保持しておく権利のいずれも本明細書によって放棄するものではない。
【０００３】
本開示の技術は、一般に局間の指向性無線通信に関し、具体的には、複数帯域を利用してネットワーク通知の伝達及びピア通信の維持を行うことに関する。
【背景技術】
【０００４】
メッシュネットワーク、並びにメッシュ及び非メッシュネットワークの混合を含む、特にミリメートル波長（ｍｍ波又はｍｍＷ）形態の無線ネットワークがますます重要になってきている。この高容量ニーズを受けて、ネットワークオペレータらは高密度化を達成する概念を受け入れ始めた。現在のｓｕｂ−６ＧＨｚ無線技術は、高データ需要に対処するには十分でない。１つの選択肢は、３０〜３００ＧＨｚ帯のミリメートル波帯（ｍｍＷ）におけるさらなるスペクトルを利用することである。
【０００５】
一般に、ｍｍＷ無線システムを利用するには、高周波帯のチャネル障害及び伝搬特性に正しく対応する必要がある。高自由空間経路損失、高い侵入損失、反射損失及び回折損失は、利用可能なダイバーシチを低減し、見通し外（ＮＬＯＳ）通信を制限する。ｍｍＷの短波長は、実用的な寸法の高利得電子操作型指向性アンテナ（ｈｉｇｈ−ｇａｉｎ  ｅｌｅｃｔｒｏｎｉｃａｌｌｙ  ｓｔｅｅｒａｂｌｅ  ｄｉｒｅｃｔｉｏｎａｌ  ａｎｔｅｎｎａｓ）の使用を可能にする。この技術は、経路損失を克服して受信機における高い信号対雑音比（ＳＮＲ）を確実にするのに十分な配列利得（ａｒｒａｙ  ｇａｉｎ）を提供することができる。ｍｍＷ帯を用いた高密度展開環境における指向性分散ネットワーク（ＤＮ）は、局（ＳＴＡ）間の信頼できる通信を実現して見通し内チャネル制約を克服するための効率的な方法である。
【０００６】
新規局（ＳＴＡ）は、作動すると、参加すべきネットワーク内の発見すべき近隣ＳＴＡを探す（探索する）。ＳＴＡからネットワークへの初期アクセスプロセスは、近隣ＳＴＡをスキャンして局所的近傍における全てのアクティブなＳＴＡを発見することを含む。このプロセスは、参加すべき特定のネットワーク又はネットワークリストを新規ＳＴＡが探索することを通じて、或いは新規ＳＴＡを受け入れる予定のいずれかの既存のネットワークに参加するためのブロードキャスト要求を新規ＳＴＡが送信することによって実行することができる。
【０００７】
分散ネットワーク（ＤＮ）に接続するＳＴＡは、近隣ＳＴＡを発見して、ゲートウェイ／ポータルＤＮ  ＳＴＡに到達するための最良の方法、及びこれらの各近隣ＳＴＡの能力を判断する必要がある。新規ＳＴＡは、候補となる近隣ＳＴＡの全てのチャネルを特定の期間にわたって検査する。この特定の時間後にアクティブなＳＴＡが検出されなければ、新規ＳＴＡは次のチャネルの検査に移行する。ＳＴＡが検出されると、新規ＳＴＡは、自機の物理（ＰＨＹ）層（例えば、ＯＳＩモデル）を調節領域（ＩＥＥＥ、ＦＣＣ、ＥＴＳＩ、ＭＫＫ等）における動作のために構成するのに十分な情報を収集する。ｍｍ波通信では、指向性送信に起因してこのタスクがさらに困難である。このプロセスにおける課題は、（ａ）周辺ＳＴＡ  ＩＤの知識、（ｂ）ビームフォーミングにとって最良な送信パターンの知識、（ｃ）衝突及びデフネスに起因するチャネルアクセス問題、並びに（ｄ）閉塞及び反射に起因するチャネル障害、として要約することができる。ｍｍ波Ｄ２Ｄ及びＤＮ技術の普及を可能にするには、上記の一部又は全部を克服する近隣発見方法を設計することが何よりも重要である。
【発明の概要】
【発明が解決しようとする課題】
【０００８】
ブロードキャストモードで動作するネットワークのＤＮアドレスを発見するためのほとんどの既存の技術は、指向性無線通信を伴うネットワークを目的としていない。また、指向性無線ネットワーク通信を利用するこれらの技術は、ビーコン信号の生成に関するオーバーヘッド要求が非常に高いことが多い。
【０００９】
従って、ｍｍ波ネットワークにおける強化された通知及びビーコン送信機構に対するニーズが存在する。本開示は、このニーズを満たすとともに、これまでの技術を凌駕するさらなる利点をもたらす。
【課題を解決するための手段】
【００１０】
本無線通信装置／システム／方法は、ｍｍＷ帯を介して指向性送信を実行するとともにｓｕｂ−６ＧＨｚ帯でも通信するように構成された局を利用する。この実施形態では、ｓｕｂ−６ＧＨｚ帯がｍｍＷメッシュネットワーク発見のスキャンプロセスを支援する。新規ノードは、ｓｕｂ−６ＧＨｚ帯で支援要求を送信する。ネットワークノードは、ｓｕｂ−６ＧＨｚ帯で支援応答を送信することによって支援要求に応答する。新規ノードは、ネットワークノードとの間でｓｕｂ−６ＧＨｚ帯で発見支援要求及び応答を交換すると、（単複の）近隣を発見するためにｍｍＷ帯に切り替える。ネットワークノードは、ｓｕｂ−６ＧＨｚ帯で発見支援要求及び応答を交換すると、新規ノードを発見するためにｍｍＷ帯に切り替える。発見支援要求及び応答は、独立した要求及び応答フレームを含むことも、或いは既存の形の要求及び応答形式（例えば、プローブ、ビーコン、発見トリガ、マルチバンド発見、アソシエーション、オンチャネルトンネル、又はその他のフレーム）に含めることもできる。また、あらゆる形態の要求及び応答フレームは、何らかの形態の発見支援の通信を引き起こすように構成することができる。ネットワーク局が互いに協調して新規局を支援する実施形態について説明する。
【００１１】
本明細書の以下の部分では、本明細書で説明する技術のさらなる態様が明らかになり、この詳細な説明は、本技術の好ましい実施形態を制限することなく完全に開示するためのものである。
【００１２】
本明細書で説明する技術は、例示のみを目的とする以下の図面を参照することによって十分に理解されるであろう。
【図面の簡単な説明】
【００１３】
【図１】ＩＥＥＥ  ８０２．１１無線ローカルエリアネットワーク（ＷＬＡＮ）において行われるアクティブスキャンのタイミング図である。
【図２】ＤＮ局と非ＤＮ局との組み合わせを示す分散ネットワーク（ＤＮ）のＳＴＡ図である。
【図３】ＩＥＥＥ  ８０２．１１  ＷＬＡＮのＤＮ識別要素を示すデータフィールド図である。
【図４】ＩＥＥＥ  ８０２．１１  ＷＬＡＮのＤＮ構成要素を示すデータフィールド図である。
【図５】ＩＥＥＥ  ８０２．１１ａｄプロトコルでのアンテナセクタスイーピング（ＳＳＷ）の概略図である。
【図６】ＩＥＥＥ  ８０２．１１ａｄプロトコルでのセクタレベルスイーピング（ＳＬＳ）のシグナリングを示すシグナリング図である。
【図７】ＩＥＥＥ  ８０２．１１ａｄのセクタスイープ（ＳＳＷ）フレーム要素を示すデータフィールド図である。
【図８】ＩＥＥＥ  ８０２．１１ａｄのＳＳＷフレーム要素内のＳＳＷフィールドを示すデータフィールド図である。
【図９Ａ】ＩＥＥＥ  ８０２．１１ａｄに利用される、ＩＳＳの一部として送信される時に示されるＳＳＷフィードバックフィールドを示すデータフィールド図である。
【図９Ｂ】ＩＥＥＥ  ８０２．１１ａｄに利用される、ＩＳＳの一部として送信されない時に示されるＳＳＷフィードバックフィールドを示すデータフィールド図である。
【図１０】本開示の実施形態に従って利用される、無線ネットワークにおける無線ｍｍ波ＳＴＡの無線ＳＴＡトポロジ例である。
【図１１】本開示の実施形態に従って利用される局ハードウェアのブロック図である。
【図１２】本開示の実施形態に従って利用される図１１の局ハードウェアのｍｍＷビームパターン図である。
【図１３】本開示の実施形態による、２次帯域通信アンテナ（すなわち、ｓｕｂ−６ＧＨｚ）のビームパターン図である。
【図１４】本開示の実施形態による、ＤＮ  ＳＴＡによって送信されるｓｕｂ−６ＧＨｚビーコンフレームのカバレッジエリアのアンテナパターンマップである。
【図１５】本開示の実施形態による、ＤＮへの参加を求める新規ＳＴＡによって送信されるｓｕｂ−６ＧＨｚプローブ要求フレームのカバレッジエリアのアンテナパターンマップである。
【図１６Ａ】本開示の実施形態による、無線ＳＴＡトポロジ及び関連する発見ビーコンスイーピングを示す図である。
【図１６Ｂ】本開示の実施形態による、無線ＳＴＡトポロジ及び関連する発見ビーコンスイーピングを示す図である。
【図１６Ｃ】本開示の実施形態による、無線ＳＴＡトポロジ及び関連する発見ビーコンスイーピングを示す図である。
【図１７Ａ】本開示の実施形態による、最良セクタ通信方向のブラケティングが実行される無線ＳＴＡトポロジを示す図である。
【図１７Ｂ】本開示の実施形態による、最良セクタ通信方向のブラケティングが実行される無線ＳＴＡトポロジを示す図である。
【図１８】本開示の実施形態に従って利用される、ピアＤＭＧビーコンのスーパーフレームフォーマットを示す通信期間図である。
【図１９】本開示の実施形態による、ｓｕｂ−６ＧＨｚ支援によるＤＮ  ＳＴＡのパッシブスキャンのフロー図である。
【図２０】本開示の実施形態による、ｓｕｂ−６ＧＨｚ支援によるＤＮ  ＳＴＡのアクティブスキャンのフロー図である。
【図２１】本開示の実施形態による、ｓｕｂ−６ＧＨｚ上のｍｍＷ認証を示すメッセージ転送図である。
【図２２】本開示の実施形態による、ビーコン送信を通じたパッシブスキャンを示す通信期間図である。
【図２３】本開示の実施形態による、ビームフォーミングフレーム交換又はビーコン送信をスケジュールすることによるパッシブスキャンを通じた発見を示す通信期間図である。
【図２４】本開示の実施形態による、帯域外ＳＴＡパッシブ発見のメッセージ転送図である。
【図２５】本開示の実施形態による、ＤＮ協調型ｍｍＷ  ＳＴＡ発見のメッセージ転送図である。
【図２６】本開示の実施形態による、潜在的近隣知識を通じて得られる協調型ｍｍＷ発見を通じて行われる帯域外ＤＮ支援発見のメッセージ転送図である。
【図２７Ａ】本開示の実施形態による、ｍｍＷ発見ビーコンを利用した発見支援を示す通信期間図である。
【図２７Ｂ】本開示の実施形態による、ｍｍＷ発見ビーコンを利用した発見支援を示す通信期間図である。
【図２８】本開示の実施形態による、連続期間におけるビームフォーミングスケジューリングを通じた発見支援を示す通信期間図である。
【図２９】本開示の実施形態による、非連続期間におけるビームフォーミングスケジューリングを通じた発見支援を示す通信期間図である。
【図３０】本開示の実施形態による、非同期アクティブスキャンを通じた発見支援を示す通信期間図である。
【図３１】本開示の実施形態による、同期アクティブスキャンを通じた発見支援を示す通信期間図である。
【図３２】本開示の実施形態による、ｓｕｂ−６ＧＨｚからｍｍＷへの支援情報要素のオプションＡを示すデータフィールド図である。
【図３３】本開示の実施形態による、オプションＡのアクションフレームを示すデータフィールド図である。
【図３４】本開示の実施形態による、パブリックアクションフィールドが図３３とは異なるフレームタイプを示すアクションフレームオプションＡを示すデータフィールド図である。
【図３５】本開示の実施形態による、オプションＡのＤＭＧ能力情報要素のデータフィールド図である。
【図３６Ａ】本開示の実施形態による、オプションＡのＤＭＧ  ＳＴＡ能力情報フィールドを示す図である。
【図３６Ｂ】本開示の実施形態による、オプションＡのＤＭＧ  ＳＴＡ能力情報フィールドを示す図である。
【図３６Ｃ】本開示の実施形態による、オプションＡのＤＭＧ  ＳＴＡ能力情報フィールドを示す図である。
【図３７Ａ】本開示の実施形態による、マルチバンド発見支援要求及び応答フレームを使用するｍｍＷ帯のためのオプションＡのｓｕｂ−６  ＧＨｚ発見のメッセージ転送図である。
【図３７Ｂ】本開示の実施形態による、マルチバンド発見支援要求及び応答フレームを使用するｍｍＷ帯のためのオプションＡのｓｕｂ−６  ＧＨｚ発見のメッセージ図である。
【図３７Ｃ】本開示の実施形態による、マルチバンド発見支援要求及び応答フレームを使用するｍｍＷ帯のためのオプションＡのｓｕｂ−６ＧＨｚ発見のメッセージ図である。
【図３８Ａ】本開示の実施形態による、ｓｕｂ−６ＧＨｚパッシブｍｍＷ発見の第１の例におけるオプションＡのメッセージ転送図である。
【図３８Ｂ】本開示の実施形態による、ｓｕｂ−６ＧＨｚパッシブｍｍＷ発見の第１の例におけるオプションＡのメッセージ転送図である。
【図３８Ｃ】本開示の実施形態による、ｓｕｂ−６ＧＨｚパッシブｍｍＷ発見の第１の例におけるオプションＡのメッセージ転送図である。
【図３９Ａ】本開示の実施形態による、ｓｕｂ−６ＧＨｚパッシブｍｍＷ発見の第２の例におけるオプションＡのメッセージ転送図である。
【図３９Ｂ】本開示の実施形態による、ｓｕｂ−６ＧＨｚパッシブｍｍＷ発見の第２の例におけるオプションＡのメッセージ転送図である。
【図３９Ｃ】本開示の実施形態による、ｓｕｂ−６ＧＨｚパッシブｍｍＷ発見の第２の例におけるオプションＡのメッセージ転送図である。
【図４０Ａ】本開示の実施形態による、ｓｕｂ−６ＧＨｚ帯アクティブｍｍＷ発見の例におけるオプションＡのメッセージ転送図である。
【図４０Ｂ】本開示の実施形態による、ｓｕｂ−６ＧＨｚ帯アクティブｍｍＷ発見の例におけるオプションＡのメッセージ転送図である。
【図４０Ｃ】本開示の実施形態による、ｓｕｂ−６ＧＨｚ帯アクティブｍｍＷ発見の例におけるオプションＡのメッセージ転送図である。
【図４１】本開示の実施形態による、ｓｕｂ−６ＧＨｚ帯ＯＣＴ  ｍｍＷ発見のオプションＡの例のメッセージ転送図である。
【図４２】本開示の実施形態に従って利用される、発見支援要求フレームが関連付けられたオプションＡのオンチャネルトンネル（Ｏｎ−ｃｈａｎｎｅｌ  Ｔｕｎｎｅｌ）要求フレームのデータフィールド図である。
【図４３】本開示の実施形態に従って利用される、発見支援応答フレームが関連付けられたオプションＡのオンチャネルトンネル要求フレームのデータフィールド図である。
【図４４Ａ】本開示の実施形態による、マルチバンド要素のオプションＡのデータフィールド図である。
【図４４Ｂ】本開示の実施形態による、マルチバンド要素のオプションＡのデータフィールド図である。
【図４５】本開示の実施形態による、オプションＡのマルチバンド制御フィールドのデータフィールド図である。
【図４６Ａ】本開示の実施形態による、オプションＡのマルチバンド発見支援要求制御フィールドのデータフィールド図である。
【図４６Ｂ】本開示の実施形態による、オプションＡのマルチバンド発見支援要求制御フィールドのデータフィールド図である。
【図４７】本開示の実施形態による、オプションＡの発見支援要求制御フィールドフォーマットのデータフィールド図である。
【図４８Ａ】本開示の実施形態による、オプションＡのマルチバンド発見支援応答制御フィールドのデータフィールド図である。
【図４８Ｂ】本開示の実施形態による、オプションＡのマルチバンド発見支援応答制御フィールドのデータフィールド図である。
【図４９】本開示の実施形態による、発見トリガ要求（ＤＴ−ＲＥＱ）アクションフレームのデータフィールド図である。
【図５０】本開示の実施形態による、発見トリガ応答（ＤＴ−ＲＥＳ）アクションフレームのデータフィールド図である。
【図５１Ａ】本開示の実施形態による、オプションＢのフレームフォーマット及びＷＬＡＮ実装の第１の例のメッセージ転送図である。
【図５１Ｂ】本開示の実施形態による、オプションＢのフレームフォーマット及びＷＬＡＮ実装の第１の例のメッセージ転送図である。
【図５１Ｃ】本開示の実施形態による、オプションＢのフレームフォーマット及びＷＬＡＮ実装の第１の例のメッセージ転送図である。
【図５１Ｄ】本開示の実施形態による、オプションＢのフレームフォーマット及びＷＬＡＮ実装の第１の例のメッセージ転送図である。
【図５１Ｅ】本開示の実施形態による、オプションＢのフレームフォーマット及びＷＬＡＮ実装の第１の例のメッセージ転送図である。
【図５１Ｆ】本開示の実施形態による、オプションＢのフレームフォーマット及びＷＬＡＮ実装の第１の例のメッセージ転送図である。
【図５２】本開示の実施形態に従って利用される、認証及びアソシエーションを伴うオプションＢのＷＬＡＮ実装例のメッセージ転送図である。
【図５３Ａ】本開示の実施形態に従って利用される、オプションＢの発見支援トリガ手順のメッセージ転送図である。
【図５３Ｂ】本開示の実施形態に従って利用される、オプションＢの発見支援トリガ手順のメッセージ転送図である。
【図５４】本開示の実施形態による、支援要求フレームと支援応答フレームとを交換するメッセージ転送図である。
【図５５】本開示の実施形態による、高速セッション転送（ＦＳＴ）要求フレーム及びＦＳＴ応答フレームを利用して交換を行うメッセージ転送図である。
【図５６】本開示の実施形態による、オンチャネルトンネリング（ＯＣＴ）要求フレーム及び応答フレームを通じた情報要求又は情報応答フレームを利用して交換を行うメッセージ転送図である。
【図５７】本開示の実施形態による、プローブ要求フレーム及びプローブ応答フレームを利用して交換を行うメッセージ転送図である。
【図５８】本開示の実施形態による、アソシエーション又は再アソシエーション要求フレーム又は応答フレームを利用して交換を行うメッセージ転送図である。
【図５９】本開示の実施形態による、発見されたＳＴＡに通信帯のチャネルアクセス情報及びスケジューリング情報を送信するように要求するための新たなフィールドを含む発見支援要求情報要素のデータフィールド図である。
【図６０】本開示の実施形態による、新規ＳＴＡに通信帯上のタイミング情報、スケジューリング情報及びチャネルアクセス情報を通知するための新たなフィールドを含む発見支援応答情報要素のデータフィールド図である。
【図６１】本開示の実施形態に従って実行される、発見支援を使用してスケジューリング情報及びチャネルアクセス情報を要求するＴＤＤ  ＳＰチャネルアクセスのメッセージ転送図である。
【図６２】本開示の実施形態に従って実行される、発見支援を使用してスケジューリング情報及びチャネルアクセス情報を要求するパッシブスキャン発見のメッセージ転送図である。
【図６３】本開示の実施形態に従って実行される、発見支援を使用してスケジューリング情報及びチャネルアクセス情報を要求するアクティブスキャン発見のメッセージ転送図である。
【発明を実施するための形態】
【００１４】
本開示では、一般に後述する意味を有する複数の用語を利用する。
【００１５】
Ａ−ＢＦＴ：アソシエーション−ビームフォーミングトレーニング期間：ネットワークに参加する新規局（ＳＴＡ）のアソシエーション及びＢＦトレーニングに使用される、ビーコンで通知される期間。
【００１６】
ＡＰ：アクセスポイント：１つの局（ＳＴＡ）を含み、関連するＳＴＡの無線媒体（ＷＭ）を通じて配信サービスへのアクセスを提供するエンティティ。
【００１７】
ビームフォーミング（ＢＦ）：全方向アンテナパターン又は準全方向アンテナパターンを使用しない指向性送信であり、対象の受信機における受信信号電力又は信号対雑音比（ＳＮＲ）を改善するために送信機において使用される。
【００１８】
ＢＳＳ：ベーシックサービスセット：ネットワーク内のＡＰとの同期に成功した一連の局（ＳＴＡ）。
【００１９】
ＢＩ：ビーコン間隔は、ビーコン送信時間の合間の時間を表す周期的スーパーフレーム期間（ｃｙｃｌｉｃ  ｓｕｐｅｒｆｒａｍｅ  ｐｅｒｉｏｄ）である。
【００２０】
ＢＲＰ：ＢＦ精緻化プロトコル：受信機トレーニングを可能にし、最良の指向性通信を達成するために送信機側及び受信機側を繰り返しトレーニングするＢＦプロトコル。
【００２１】
ＢＴＩ：ビーコン送信間隔は、連続するビーコン送信間の間隔である。
【００２２】
ＣＢＡＰ：競合ベースのアクセス期間：競合ベースの拡張分散チャネルアクセス（ｅｎｈａｎｃｅｄ  ｄｉｓｔｒｉｂｕｔｅｄ  ｃｈａｎｎｅｌ  ａｃｃｅｓｓ：ＥＤＣＡ）を使用する指向性マルチギガビット（ＤＭＧ）ＢＳＳのデータ転送間隔（ＤＴＩ）内の期間。
【００２３】
ＤＭＧ：指向性マルチギガビット（ＤＭＧ）
【００２４】
ＤＴＩ：データ転送間隔：完全なＢＦトレーニングに続いて実際のデータ転送を行うことができる期間。ＤＴＩは、１又は２以上のサービス期間（ＳＰ）及び競合ベースのアクセス期間（ＣＢＡＰ）を含むことができる。
【００２５】
ＬＯＳ：見通し線：送信機及び受信機が表面上互いの視界内に存在する、反射信号の通信の結果ではない通信。
【００２６】
ＭＡＣアドレス：媒体アクセス制御（ＭＡＣ）アドレス
【００２７】
ＭＢＳＳ：ＤＮベーシックサービスセット：分散ネットワーク（ＤＮ）局（ＤＮ  ＳＴＡ）の自己完結型ネットワーク（ｓｅｌｆ−ｃｏｎｔａｉｎｅｄ  ｎｅｔｗｏｒｋ）を形成するベーシックサービスセット（ＢＳＳ）であり、配信システム（ＤＳ）として使用することができる。
【００２８】
ＭＣＳ：変調符号化スキーム：物理（ＰＨＹ）層（例えば、ＯＳＩモデル）データレートに換算できる指数。
【００２９】
ＭＬＭＥ：ＭＡＣ層管理エンティティ。
【００３０】
ＭＭＰＤＵ：ＭＡＣプロトコルデータユニット。
【００３１】
ＤＮ  ＳＴＡ：分散ネットワーク（ＤＮ）局（ＤＮ  ＳＴＡ）：ＤＮ施設を実装する局（ＳＴＡ）。ＤＮ  ＢＳＳ内で動作するＤＮ  ＳＴＡは、他のＤＮ  ＳＴＡに配信サービスを提供することができる。
【００３２】
ＯＣＴ：オンチャネルトンネル
【００３３】
全方向性：無指向性アンテナを利用する送信モード。
【００３４】
準全方向性：最も広いビーム幅を達成できる指向性マルチギガビット（ＤＭＧ）アンテナを利用する通信モード。
【００３５】
受信セクタスイープ（ＲＸＳＳ）：連続する受信間にスイープが行われる、異なるセクタを介した（にわたる）セクタスイープ（ＳＳＷ）フレームの受信。
【００３６】
ＲＳＳＩ：（ｄＢｍ単位の）受信信号強度インジケータ。
【００３７】
ＳＬＳ：セクタレベルスイープ段階：ＳＳＷフィードバック及びＳＳＷ  ＡＣＫなどを使用してイニシエータをトレーニングするためのイニシエータセクタスイープ（ＩＳＳ）、レスポンダリンクをトレーニングするためのレスポンダセクタスイープ（ＲＳＳ）といった４つほどのコンポーネントを含むことができるＢＦトレーニング段階。
【００３８】
ＳＮＲ：ｄＢ単位の受信信号対雑音比
【００３９】
ＳＰ：サービス期間：アクセスポイント（ＡＰ）によってスケジュールされるＳＰであり、スケジュールされたＳＰは一定の時間的間隔で開始する。
【００４０】
スペクトル効率：特定の通信システムにおいて所与の帯域幅を通じて送信できる情報率であり、通常はビット／秒又はＨｚで表される。
【００４１】
ＳＳＩＤ：サービスセット識別子；ＷＬＡＮネットワークに割り当てられた名称。
【００４２】
ＳＴＡ：局：無線媒体（ＷＭ）への媒体アクセス制御（ＭＡＣ）及び物理層（ＰＨＹ）インターフェイスの個別にアドレス指定可能なインスタンスである論理エンティティ。
【００４３】
スイープ：送信機又は受信機のアンテナ構成が送信間で変更される、短期ビームフォーミングインターフレーム（ＳＢＩＦＳ）間隔によって分離された一連の送信。
【００４４】
ＳＳＷ：セクタスイープは、異なるセクタ（方向）で送信を行って、受信信号及び強度などに関する情報を収集する動作である。
【００４５】
送信セクタスイープ（ＴＸＳＳ）：連続する送信間にスイープが行われる、異なるセクタを介した複数のセクタスイープ（ＳＳＷ）又は指向性マルチギガビット（ＤＭＧ）ビーコンフレームの送信。
【００４６】
１．既存の指向性無線ネットワーク技術
１．１．ＷＬＡＮシステム
８０２．１１などのＷＬＡＮシステムでは、パッシブスキャン及びアクティブスキャンという２つのスキャンモードが規定される。以下は、パッシブスキャンの特性である。（ａ）ネットワークに参加しようと試みる新規局（ＳＴＡ）は、各チャネルを検査し、最大でＭａｘＣｈａｎｎｅｌＴｉｍｅにわたってビーコンフレームを待つ。（ｂ）ビーコンが受け取られなかった場合、新規ＳＴＡは別のチャネルに移行し、従ってスキャンモードで信号を送信しないのでバッテリ電力を節約する。ＳＴＡは、ビーコンを見逃さないように各チャネルにおいて十分な時間にわたって待つべきである。ビーコンが失われた場合、ＳＴＡはさらなるビーコン送信間隔（ＢＴＩ）にわたって待つべきである。
【００４７】
以下は、アクティブスキャンの特性である。（ａ）ローカルネットワークに参加したいと望む新規ＳＴＡは、以下に従って各チャネル上でプローブ要求フレームを送信する。（ａ）（１）新規ＳＴＡは、あるチャネルに移行して、着信フレーム、又はプローブ遅延タイマの満了を待つ。（ａ）（２）タイマの満了後にフレームが検出されなかった場合、このチャネルは未使用とみなされる。（ａ）（３）チャネルが未使用である場合、ＳＴＡは新たなチャネルに移行する。（ａ）（４）チャネルが使用中である場合、ＳＴＡは、通常のＤＣＦを使用して媒体にアクセスしてプローブ要求フレームを送信する。（ａ）（５）チャネルがそれまでに使用中でなかった場合、ＳＴＡは、プローブ要求に対する応答を受け取るために所望の期間（例えば、Ｍｉｎｉｍｕｍ  Ｃｈａｎｎｅｌ  Ｔｉｍｅ）にわたって待つ。チャネルが使用中であってプローブ応答が受け取られた場合、ＳＴＡは、さらなる時間（例えば、Ｍａｘｉｍｕｍ  Ｃｈａｎｎｅｌ  Ｔｉｍｅ）にわたって待つ。
【００４８】
（ｂ）プローブ要求は、一意のサービスセット識別子（ＳＳＩＤ）、ＳＳＩＤのリスト又はブロードキャストＳＳＩＤを使用することができる。（ｃ）周波数帯によっては、アクティブスキャンが禁止されていることもある。（ｄ）アクティブスキャンは、特に多くの新規ＳＴＡが同時に到着してネットワークにアクセスしようと試みる場合に干渉及び衝突の原因となり得る。（ｅ）アクティブスキャンは、パッシブスキャンの使用に比べてＳＴＡがビーコンを待つ必要がないので、ＳＴＡがネットワークにアクセスするための高速な（遅延が少ない）方法である。（ｆ）インフラストラクチャベーシックサービスセット（ＢＳＳ）及びＩＢＳＳでは、少なくとも１つのＳＴＡがプローブを受け取って応答しようと目を光らせている。（ｇ）分散ネットワーク（ＤＮ）ベーシックサービスセット（ＭＢＳＳ）内のＳＴＡは、いずれかの時点で応答に目を光らせていないこともある。（ｈ）無線測定キャンペーンがアクティブの時には、ＳＴＡがプローブ要求に応答しないこともある。（ｉ）プローブ応答の衝突が生じることもある。ＳＴＡは、最後のビーコンを送信したＳＴＡが最初のプローブ応答を送信できるようにすることによってプローブ応答の送信を協調させることもできる。他のＳＴＡは、衝突を回避するためにバックオフ時間及び通常の分散制御機構（ＤＣＦ）チャネルアクセスに従ってこれらを使用することができる。
【００４９】
図１に、プローブを送信するスキャン局と、プローブを受け取ってこれに応答する２つの応答局とを示す、ＩＥＥＥ  ８０２．１１  ＷＬＡＮにおけるアクティブスキャンの使用を示す。この図には、最小プローブ応答タイミング及び最大プローブ応答タイミングも示す。図示の値Ｇ１は、確認応答の送信前のフレーム間間隔であるＳＩＦＳに設定されるのに対し、値Ｇ３は、バックオフ期間の完了後であってＲＴＳパッケージの送信前に送信側が待機する時間遅延を表すＤＣＦフレーム間間隔であるＤＩＦＳである。
【００５０】
１．２．ＩＥＥＥ  ８０２．１１ｓ  ＤＮ  ＷＬＡＮ
ＩＥＥＥ  ８０２．１１ｓ（以下、８０２．１１ｓ）は、８０２．１１標準に無線メッシュネットワーキング能力を加えた標準である。８０２．１１ｓでは、新たなタイプの無線局と、メッシュネットワーク発見、ピアツーピア接続の確立及びメッシュネットワークを通じたデータのルーティングを可能にする新たなシグナリングとが規定される。
【００５１】
図２には、非メッシュＳＴＡの混合がメッシュＳＴＡ／ＡＰに接続し（実線）、メッシュＳＴＡがメッシュポータルを含む他のメッシュＳＴＡに接続する（点線）メッシュネットワークの一例を示す。メッシュネットワーク内のノードは、８０２．１１標準で規定されている同じスキャン技術を近隣発見に使用する。メッシュネットワークの識別は、ビーコン及びプローブ応答フレームに含まれるメッシュＩＤ要素によって行われる。１つのメッシュネットワークでは、全てのメッシュＳＴＡが同じメッシュプロファイルを使用する。メッシュプロファイルは、メッシュプロファイル内の全てのパラメータが一致する場合に同じものとみなされる。メッシュプロファイルは、その近隣のメッシュＳＴＡがスキャンを通じてメッシュプロファイルを取得できるようにビーコン及びプローブ応答フレームに含まれる。
【００５２】
メッシュＳＴＡがスキャンプロセスを通じて近隣メッシュＳＴＡを発見すると、発見されたメッシュＳＴＡはピアメッシュＳＴＡ候補とみなされる。このメッシュＳＴＡは、発見されたメッシュＳＴＡがメンバであるメッシュネットワークのメンバになって近隣メッシュＳＴＡとのメッシュピアリングを確立することができる。発見された近隣メッシュＳＴＡは、受信ビーコンと同じメッシュプロファイルを使用している場合、或いはプローブ応答フレームがその近隣メッシュＳＴＡを示す場合、ピアメッシュＳＴＡ候補とみなすことができる。
【００５３】
メッシュＳＴＡは、（ａ）近隣ＭＡＣアドレス、（ｂ）動作チャネル番号、及び（ｃ）最近観察されたリンク状況及び品質情報を含む発見された近隣情報をメッシュ近隣テーブル内に維持しようと試みる。近隣が検出されなかった場合、メッシュＳＴＡは、その最優先プロファイルのメッシュＩＤを使用してアクティブな状態を保つ。近隣メッシュＳＴＡを発見するための上述したシグナリングは全てブロードキャストモードで実行される。８０２．１１ｓは、指向性無線通信を伴うネットワークを対象としたものではないと理解されたい。
【００５４】
図３に、メッシュネットワークの識別を広告するために使用されるメッシュ識別要素（メッシュＩＤ要素）を示す。メッシュＩＤは、メッシュネットワークに参加する用意がある新規ＳＴＡによってプローブ要求で送信され、また既存のメッシュネットワークＳＴＡによってビーコン及び信号で送信される。長さ０のメッシュＩＤフィールドは、プローブ要求フレーム内で使用されるワイルドカードメッシュＩＤを示す。ワイルドカードメッシュＩＤは、非メッシュＳＴＡがメッシュネットワークに参加するのを防ぐ特定のＩＤである。なお、メッシュ局は、非メッシュ局よりも多くの特徴を有するＳＴＡであり、例えばメッシュネットワークは、他のいくつかのモジュールに加えてメッシュ機能を提供するモジュールとして動作するＳＴＡを有するようなものであると認識されたい。ＳＴＡがこのメッシュモジュールを有していない場合には、メッシュネットワークへの接続を許可すべきではない。
【００５５】
図４に、メッシュＳＴＡによって送信されるビーコンフレーム及びプローブ応答フレームに含まれる、メッシュサービスの広告に使用されるメッシュ構成要素を示す。メッシュ構成要素の主要内容は、（ａ）経路選択プロトコル識別子、（ｂ）経路選択メトリック識別子、（ｃ）輻輳制御モード識別子、（ｄ）同期方法識別子、及び（ｅ）認証プロトコル識別子である。メッシュ構成要素の内容は、メッシュＩＤと共にメッシュプロファイルを形成する。
【００５６】
８０２．１１ａ標準は、メッシュ発見、メッシュピアリング管理、メッシュセキュリティ、メッシュビーコン送信及び同期、メッシュ調節機能、メッシュ電力管理、メッシュチャネルスイッチング、３アドレス、４アドレス、及び拡張アドレスフレームフォーマット、メッシュ経路選択及び転送、外部ネットワークとの相互作用、メッシュ間輻輳制御、並びにメッシュＢＳＳにおける緊急サービスサポートを含む多くの手順及びメッシュ機能を定める。
【００５７】
１．３．ＷＬＡＮにおけるミリメートル波
一般に、ミリメートル波帯におけるＷＬＡＮでは、高い経路損失を考慮して通信にとって十分なＳＮＲを提供するために、送信、受信、又はこれらの両方に指向性アンテナを使用する必要がある。送信又は受信において指向性アンテナを使用すると、スキャンプロセスも指向性になる。ＩＥＥＥ  ８０２．１１ａｄ及び新たな標準８０２．１１ａｙでは、ミリメートル波帯を介した指向性送受信のためのスキャン及びビームフォーミング手順が規定されている。
【００５８】
１．４．ＩＥＥＥ  ８０２．１１ａｄのスキャン及びＢＦトレーニング
ｍｍ波ＷＬＡＮの最先端システムの例は、８０２．１１ａｄ標準である。
【００５９】
１．４．１．スキャン
新規ＳＴＡは、特定のＳＳＩＤ、ＳＳＩＤリスト、又は全ての発見されたＳＳＩＤをスキャンするためにパッシブ又はアクティブスキャンモードで動作する。パッシブなスキャンを行うには、ＳＴＡが、ＳＳＩＤを含むＤＭＧビーコンフレームをスキャンする。アクティブなスキャンを行うには、ＤＭＧ  ＳＴＡが、所望のＳＳＩＤ又は１又は２以上のＳＳＩＤリスト要素を含むプローブ要求フレームを送信する。ＤＭＧ  ＳＴＡは、プローブ要求フレームの送信前に、ＤＭＧビーコンフレームの送信又はビームフォーミングトレーニングの実行を行うことが必要な場合もある。
【００６０】
１．４．２．ＢＦトレーニング
ＢＦトレーニングは、セクタスイープを使用するＢＦトレーニングフレーム送信の双方向シーケンスであり、各ＳＴＡが送信及び受信の両方に適したアンテナシステム設定を決定するために必要なシグナリングを行う。
【００６１】
８０２．１１ａｄのＢＦトレーニングプロセスは、３段階で実行することができる。（１）セクタレベルスイープ段階を実行することにより、リンク取得のために指向性送信及び低利得（準全方向性）受信を実行する。（２）複合送受信（ｃｏｍｂｉｎｅｄ  ｔｒａｎｓｍｉｔ  ａｎｄ  ｒｅｃｅｉｖｅ）のために、受信利得及び最終調整を加える精緻化段階を実行する。（３）その後、データ送信中にトラッキングを実行して、チャネル変更に合わせた調整を行う。
【００６２】
１．４．３．８０２．１１ａｄのＳＬＳ  ＢＦトレーニング段階
このＳＬＳ  ＢＦトレーニング段階は、８０２．１１ａｄ標準のセクタレベルスイープ（ＳＬＳ）必須段階に焦点を置く。ＳＬＳ中には、一対のＳＴＡが、異なるアンテナセクタを介して一連のセクタスイープ（ＳＳＷ）フレーム（又は、ＰＣＰ／ＡＰにおける送信セクタトレーニングの場合にはビーコン）を交換して、最も高い信号品質を提供するセクタを発見する。最初に送信を行う局はイニシエータと呼ばれ、２番目に行う局はレスポンダと呼ばれる。
【００６３】
送信セクタスイープ（ＴＸＳＳ）中には、異なるセクタ上でＳＳＷフレームが送信され、対を成すＳＴＡ（レスポンダ）が準全方向性パターンを利用してこれを受け取る。レスポンダは、最良のリンク品質（例えば、ＳＮＲ）を提供するイニシエータのアンテナアレイセクタを決定する。
【００６４】
図５に、８０２．１１ａｄでのセクタスイープ（ＳＳＷ）の概念を示す。この図には、ＳＴＡ１がＳＬＳのイニシエータであってＳＴＡ２がレスポンダである例を示す。ＳＴＡ１は、送信アンテナパターン微細セクタ（ｔｒａｎｓｍｉｔ  ａｎｔｅｎｎａ  ｐａｔｔｅｒｎ  ｆｉｎｅ  ｓｅｃｔｏｒｓ）を全てスイープし、ＳＴＡ２は、準全方向性パターンで受け取る。ＳＴＡ２は、ＳＴＡ１から受け取った最良のセクタをＳＴＡ２にフィードバックする。
【００６５】
図６に、８０２．１１ａｄ仕様で実装されるセクタレベルスイープ（ＳＬＳ）プロトコルのシグナリングを示す。送信セクタスイープの各フレームは、セクタカウントダウン指示（ＣＤＯＷＮ）、セクタＩＤ及びアンテナＩＤに関する情報を含む。最良のセクタＩＤ及びアンテナＩＤ情報は、セクタスイープフィードバック及びセクタスイープＡＣＫフレームと共にフィードバックされる。
【００６６】
図７に、以下で概説するフィールドを含む、８０２．１１ａｄ標準で利用されるセクタスイープフレーム（ＳＳＷフレーム）のフィールドを示す。Ｄｕｒａｔｉｏｎ（継続時間）フィールドは、ＳＳＷフレーム送信の最後までの時間に設定される。ＲＡフィールドは、セクタスイープの所定の受信者であるＳＴＡのＭＡＣアドレスを含む。ＴＡフィールドは、セクタスイープフレームの送信側ＳＴＡのＭＡＣアドレスを含む。
【００６７】
図８に、ＳＳＷフィールド内のデータ要素を示す。ＳＳＷフィールドで搬送される主要情報は以下の通りである。Ｄｉｒｅｃｔｉｏｎ（方向）フィールドは、０に設定されると、ビームフォーミングイニシエータによってフレームが送信されることを示し、１に設定されると、ビームフォーミングレスポンダによってフレームが送信されることを示す。ＣＤＯＷＮフィールドは、ＴＸＳＳの最後までの残りのＤＭＧビーコンフレーム送信の数を示すダウンカウンタである。セクタＩＤフィールドは、このＳＳＷフィールドを含むフレームを送信するセクタ番号を示すように設定される。ＤＭＧ  Ａｎｔｅｎｎａ（アンテナ）ＩＤフィールドは、送信機がこの送信のために現在どのＤＭＧアンテナを使用しているかを示す。ＲＸＳＳ  Ｌｅｎｇｔｈ（長さ）フィールドは、ＣＢＡＰで送信された時にのみ有効であり、そうでない場合には保留される。このＲＸＳＳ  Ｌｅｎｇｔｈフィールドは、送信側ＳＴＡによって要求された受信セクタスイープの長さを指定し、ＳＳＷフレームの単位で定義される。ＳＳＷ  Ｆｅｅｄｂａｃｋ（ＳＳＷフィードバック）フィールドについては以下で定義する。
【００６８】
図９Ａ及び図９Ｂに、ＳＳＷフィードバックフィールドを示す。図９Ａに示すフォーマットは、内部下位層サービス（ＩＳＳ）の一部として送信される時に利用され、図９Ｂのフォーマットは、ＩＳＳの一部として送信されない時に使用される。Ｔｏｔａｌ  Ｓｅｃｔｏｒｓ  ｉｎ  ｔｈｅ  ＩＳＳ（ＩＳＳ内総セクタ）フィールドは、イニシエータがＩＳＳにおいて使用する総セクタ数を示す。Ｎｕｍｂｅｒ  ｏｆ  ＲＸ  ＤＭＧ  Ａｎｔｅｎｎａｓ（ＲＸ  ＤＭＧアンテナ数）サブフィールドは、イニシエータが次の受信セクタスイープ（ＲＳＳ）中に使用する受信ＤＭＧアンテナの数を示す。Ｓｅｃｔｏｒ  Ｓｅｌｅｃｔ（セクタ選択）フィールドは、直前のセクタスイープにおいて最良の品質で受け取られたフレーム内のＳＳＷフィールドのｖａｌｕｅ  ｏｆ  Ｓｅｃｔｏｒ  ＩＤ（セクタＩＤ値）サブフィールドを含む。ＤＭＧ  Ａｎｔｅｎｎａ  Ｓｅｌｅｃｔ（ＤＭＧアンテナ選択）フィールドは、直前のセクタスイープにおいて最良の品質で受け取られたフレーム内のＳＳＷフィールドのＤＭＧ  Ａｎｔｅｎｎａ  ＩＤ（ＤＭＧアンテナＩＤ）サブフィールドの値を示す。ＳＮＲレポートフィールドは、直前のセクタスイープ中に最良の品質で受け取られた、セクタ選択フィールドに示されるフレームのＳＮＲの値に設定される。Ｐｏｌｌ  Ｒｅｑｕｉｒｅｄ（ポール要求）フィールドは、非ＰＣＰ／非ＡＰ  ＳＴＡによって１に設定されると、ＰＣＰ／ＡＰに非ＰＣＰ／非ＡＰとの通信を開始するように要求することを示す。Ｐｏｌｌ  Ｒｅｑｕｉｒｅｄフィールドは、０に設定されると、ＰＣＰ／ＡＰが通信を開始するかどうかに関する設定を非ＰＣＰ／非ＡＰが有していないことを示す。
【００６９】
２．課題の記述
通常、５．３節で説明する既存のミリメートル波（ｍｍ波）通信システムは、送信機と受信機との間の十分なリンクバジェットを得るために指向性通信に大きく依拠する必要がある。現行システムでは、使用する正しいビームを決定するプロセスにかなりのシグナリングオーバーヘッドが必要である。例えば、ＡＰは、送信ビームフォーミングを使用して複数のビーコンフレームを送信する。
【００７０】
ビーコンフレームは、ネットワーク発見の目的で、すなわちパッシブスキャンのために使用される。このため、新規ＳＴＡが一定期間内にパッシブスキャンを実行することによってネットワークの存在を認識できるように、ビーコンフレームは定期的に送信される。ネットワーク発見は、新規ＳＴＡが全方向にプローブ要求を送信してネットワーク内の近隣ＳＴＡが確実にこれを受信できるようにするアクティブスキャンを使用して行うこともできる。
【００７１】
状況をさらに複雑化することに、現行技術は、高アンテナ利得を可能にして高リンクバジェットを確実にする微細ビームフォーミングを使用する傾向にある。ところが、ＳＴＡは、微細ビームを採用する際には、十分な伝送角度をカバーするためにより多くのビーコンフレームを送信するので、オーバーヘッドの問題がさらに悪化する。ビーコンは、ネットワークの通知、同期の維持、及びネットワークリソースの管理のために、絶えず定期的に全方向に送信される。
【００７２】
上記に照らせば、ビーコンのオーバーヘッドとネットワーク発見遅延との間には重要なトレードオフが存在する。ビーコンが頻繁に送信された場合、ビーコンオーバーヘッドは増加するが、新規ＳＴＡはより素早く既存のネットワークを発見できるようになる。ビーコンの送信頻度が低下した場合、ビーコンオーバーヘッドを低減することはできるが、新規ＳＴＡが既存のネットワークを素早く発見することは困難になる。
【００７３】
ｍｍ波ＰＨＹ技術を利用してＤＮを形成するタスクを検討した場合、このオーバーヘッドジレンマはさらに悪化する。ＤＮに接続するＳＴＡは、全ての近隣ＳＴＡを発見して、ゲートウェイ／ポータルＳＴＡに到達する最良の方法と、これらの各近隣ＳＴＡの能力とを判断する必要がある。すなわち、ＤＮに参加する全てのＳＴＡは、著しいシグナリングオーバーヘッドを引き起こすビーコン送信能力を有するはずである。
【００７４】
従って、本開示は、これらの現在の及び将来的なビーコンオーバーヘッドの課題に対応するように構成される。
【００７５】
３．ｍｍ波マルチバンドネットワーク発見の利点
開示するネットワークプロトコルでは、マルチバンドネットワーク発見に参加するＳＴＡが、ｍｍ波帯能力と、さらにはｓｕｂ−６ＧＨｚなどの低周波数通信帯とを含むマルチバンド（ＭＢ）能力を有する見込みである。ＭＢ  ＳＴＡは、ｍｍＷ帯に加えて、ネットワーク通知及び発見のためにｓｕｂ−６ＧＨｚ帯を使用することができる。提案する技術を利用することにより、ｍｍ波通信ＳＴＡは、著しいシグナリングオーバーヘッド又はネットワーク発見遅延を伴わずにＤＮトポロジネットワークを形成することができる。
【００７６】
本開示では、新規ＳＴＡによる他の近隣の発見を支援するために既存のｓｕｂ−６ＧＨｚを利用する機構について説明する。ネットワークＳＴＡは、準全方向性アンテナから定期的に送信される低電力メッセージを使用してｓｕｂ−６ＧＨｚ帯でｍｍＷネットワークを通知する。新規ＳＴＡがｓｕｂ−６ＧＨｚ帯を通じて少なくとも１つの近隣を発見すると、このＤＮ局（ＤＮ  ＳＴＡ）は新規ＳＴＡを支援できるとともに、新規ＳＴＡがｍｍＷ帯でビームフォーミングを行ってネットワークに参加するのを他のＤＮ  ＳＴＡと協調して支援することもできる。
【００７７】
本開示では、局（ＳＴＡ）がｍｍＷ帯において絶えず全方向にビーコンを送信しない。ＳＴＡは、新規ＳＴＡによる支援の要求時には全方向に発見ビーコンを送信するように仕向けられるが、全方向への連続的なビーコン送信に関連するオーバーヘッド及び干渉は制限される。
【００７８】
４．マルチバンドネットワーク発見の実施形態
４．１．検討するトポロジ
図１０に、ＤＮ  ＳＴＡ１２、１４、１６及び１８がＤＮトポロジ内で互いに接続されたｍｍＷ無線ＳＴＡネットワークの実施形態例１０を示す。新規ＳＴＡ２０は、潜在的近隣ＤＮ  ＳＴＡ及びペアＳＴＡを求めて図示の方向２２ａ〜２２ｎに通信媒体をスキャンする（２４）。図示の例では、ＳＴＡがｓｕｂ−６ＧＨｚ帯及びｍｍ波で通信することができ、この帯域を使用して互いに制御信号を送信することができる。ｍｍＷ  ＤＮに接続されたＳＴＡは、ｍｍＷリンク又はｓｕｂ−６ＧＨｚ帯を通じて互いにアクセスすることができる。
【００７９】
新規ＳＴＡは、潜在的近隣ＤＮ  ＳＴＡ及びペアＳＴＡを求めて媒体をスキャンする。ｍｍＷ波では、常に両方の側に指向性送信又は受信が必要なわけではない。例えば、一方が指向性送信／受信を使用し、他方が使用しないこともできる。この事例は、装置の能力に限界がある結果、又は用途要件が両方の側からの指向性送信を必要としない結果とすることができる（制限干渉／短距離）。
【００８０】
新規ＳＴＡは、ｍｍＷ帯での送受信に全方向性／準全方向性又は指向性アンテナを使用することができる。ＤＮ  ＳＴＡは、ｍｍＷ帯での送受信に全方向性／準全方向性又は指向性アンテナを使用することができる。ｍｍＷ通信では、少なくとも１つのＤＮ  ＳＴＡ又は新規ＳＴＡが指向性アンテナを使用して、経路損失に対処できるほど十分な利得を提供し、リンクにとって十分なＳＮＲをもたらすべきである。新規ＳＴＡは、パッシブスキャン又はアクティブスキャンのいずれかを使用して近隣をスキャンする。新規ＳＴＡは、全ての近隣ノードを発見するまでスキャンを行い続けるように構成される。新規ＳＴＡは、利用可能な近隣のリストを構築した後に、どの近隣に接続すべきであるかを決定する。この決定は、用途需要、ネットワーク内のトラフィック負荷、及び無線チャネル状態を考慮することが好ましい。
【００８１】
４．２．ＳＴＡハードウェア構成
図１１に、ＳＴＡハードウェア構成の実施形態例３０を示す。この例では、コンピュータプロセッサ（ＣＰＵ）３６及びメモリ（ＲＡＭ）３８が、ＳＴＡにセンサ及びアクチュエータなどへの外部Ｉ／ＯをもたらすＩ／Ｏ経路３２に結合されたバス３４に結合される。プロセッサ３６上では、通信プロトコルを実装するプログラムを実行するための、メモリからの命令が実行される。この図示のホストマシンは、近隣ＳＴＡとの間でフレームを送受信する複数のアンテナ４４ａ〜４４ｎ、４６ａ、４６ｎ、４８ａ〜４８ｎへの無線周波数（ＲＦ）回路４２ａ、４２ｂ、４２ｃに結合されたｍｍＷモデム４０を含むように構成される。また、このホストマシンは、（単複の）アンテナ５４への無線周波数（ＲＦ）回路５２に結合されたｓｕｂ−６ＧＨｚモデム５０を含むことも分かる。
【００８２】
従って、この図示のホストマシンは、２つの異なる帯域で通信を行えるように、２つのモデム（マルチバンド）及びその関連するＲＦ回路を含むように構成される。ｍｍＷ帯モデム及びその関連するＲＦ回路は、ｍｍＷ帯でデータを送受信する。ｓｕｂ−６ＧＨｚモデム及びその関連するＲＦ回路は、ｓｕｂ−６ＧＨｚ帯でデータを送受信する。
【００８３】
この例では、ｍｍＷ帯のためのＲＦ回路を３つ示しているが、本開示の実施形態は、あらゆる任意の数のＲＦ回路に結合されたモデム４０を含むように構成することができる。一般に、使用するＲＦ回路の数が多ければ多いほど、アンテナビーム方向のカバレッジが広くなる。なお、利用するＲＦ回路の数及びアンテナの数は、特定の装置のハードウェア制約によって決まると理解されたい。ＲＦ回路及びアンテナの中には、ＳＴＡが近隣ＳＴＡと通信する必要がないと判断した時に無効にできるものもある。少なくとも１つの実施形態では、ＲＦ回路が、周波数変換器及びアレイアンテナコントローラなどを含み、送受信のためにビームフォーミングを実行するように制御される複数のアンテナに接続される。このように、ＳＴＡは、複数のビームパターンの組を使用して信号を送信することができ、各ビームパターン方向がアンテナセクタとみなされる。
【００８４】
図１２に、ＳＴＡが複数の（例えば、３６個の）ｍｍ波アンテナセクタパターンを生成するために利用できるｍｍ波アンテナ方向の実施形態例７０を示す。この例では、ＳＴＡが、３つのＲＦ回路７２ａ、７２ｂ、７２ｃと接続アンテナとを実装し、各ＲＦ回路及び接続アンテナは、ビームフォーミングパターン７４ａ、７４ｂ、７４ｃを生成する。図示のアンテナパターン７４ａは、１２個のビームフォーミングパターン７６ａ、７６ｂ、７６ｃ、７６ｄ、７６ｅ、７６ｆ、７６ｇ、７６ｈ、７６ｉ、７６ｊ、７６ｋ及び７６ｎ（「ｎ」は、あらゆる数のパターンをサポートできることを表す）を有する。この特定の構成を使用する局の例は３６個のアンテナセクタを有するが、本開示は、あらゆる所望の数のアンテナセクタをサポートすることができる。説明を容易かつ明確にするために、以下の節では一般にさらに少ない数のアンテナセクタを有するノードについて説明するが、これを実装制限と解釈すべきではない。なお、アンテナセクタにはあらゆる任意のビームパターンをマッピングすることができると理解されたい。通常、ビームパターンは、鋭角ビーム（ｓｈａｒｐ  ｂｅａｍ）を生成するように形成されるが、複数の角度から信号を送受信するようにビームパターンを生成することも可能である。
【００８５】
アンテナセクタは、ｍｍ波ＲＦ回路の選択と、ｍｍ波アレイアンテナコントローラによって指示されるビームフォーミングとによって決まる。ＳＴＡハードウェアコンポーネントは、上述したものとは異なる機能分割を有することもできるが、このような構成は、説明する構成の変形例とみなすことができる。ｍｍ波ＲＦ回路及びアンテナの中には、ＳＴＡが近隣ＳＴＡと通信する必要がないと判断した時に無効にできるものもある。
【００８６】
少なくとも１つの実施形態では、ＲＦ回路が周波数変換器及びアレイアンテナコントローラなどを含み、送受信のためにビームフォーミングを実行するように制御される複数のアンテナに接続される。このように、ＳＴＡは、複数のビームパターンの組を使用して信号を送信することができ、各ビームパターン方向がアンテナセクタとみなされる。
【００８７】
図１３に、ＲＦ回路９２に取り付けられた準全方向性アンテナ９４の使用を想定したｓｕｂ−６ＧＨｚモデムのアンテナパターンの実施形態例９０を示す。
【００８８】
４．３．マルチバンドネットワーク発見アーキテクチャ
無線受信機及び送信機は、例えばｍｍＷ帯及びｓｕｂ−６ＧＨｚ帯の使用を含むマルチバンドチップを標準装備する見込みである。ＳＴＡ発見及び近隣スキャンでは、ｍｍ波帯での動作がｓｕｂ−６ＧＨｚカバレッジの使用から恩恵を受けることができる。ＳＴＡは、ｓｕｂ−６ＧＨｚ帯における信号伝搬特性によって、ｍｍＷ動作する無線ＳＴＡの存在をさらに簡単に発見することができるが、近隣の局所化、及び正しいセクタ又はビームの発見は依然として課題である。
【００８９】
無線ＳＴＡは、マルチバンドネットワーク発見を使用するためにｓｕｂ−６ＧＨｚ帯で信号を送受信できるものと想定される。この通信は、ネットワークの全てのＳＴＡにメッセージを送信する形態、又は特定のＳＴＡにメッセージを送信する形態をとる。この通信は、ＳＴＡ間の直接通信又はＳＴＡ間のマルチホップ通信を通じて実行することができる。新規ＳＴＡは、ｓｕｂ−６ＧＨｚアクセスも備え、ＷＬＡＮネットワークへのアクセス、又はｓｕｂ−６ＧＨｚ通信を通じたＤＮ  ＳＴＡとの通信を行うことができる。発見及びネットワーク通知は、ｓｕｂ−６ＧＨｚ帯を利用することができ、接続の形成及びリンクの維持は、ｍｍＷネットワークを利用して実行されることが好ましい。なお、他の制御シグナリングをｍｍＷ帯からｓｕｂ−６ＧＨｚに移行させることもできるが、このことは本開示の焦点ではないと理解されたい。
【００９０】
ＷＬＡＮ及びＤＮでは、（ａ）新規ＤＮ  ＳＴＡのネットワーク発見及びアソシエーション、（ｂ）同期、（ｃ）スペクトルアクセス及びリソース管理、のためにビーコンが利用される。ｍｍ波長での発見及びネットワーク通知では、パッシブスキャンを可能にするために絶えず全方向にビーコンを送信する必要がある。上記の記述における「絶えず」の意味は、ビーコンの継続する周期的性質を示すものにすぎず、「全方向」は、いずれかの所望の角度分解能への方向のスイープの使用を意味するものにすぎない。アクティブスキャンの場合には、ＳＴＡが全方向にプローブ要求を送信する。
【００９１】
提案するシステムでは、ＳＴＡがｍｍＷ分散ネットワークを形成するために発見及びネットワーク通知にｓｕｂ−６ＧＨｚ帯を使用しているが、同期、スペクトルアクセス及びリソース管理情報は、依然としてｍｍＷ  ＤＮを通じて通信される。ｍｍＷネットワークにおいて既に互いに接続されているＳＴＡは、全てのビーコン送信間隔（ＢＴＩ）において全方向にビーコンを送信することも又はしないこともできる。また、近隣ピアへのビーコン送信の頻度は、使用事例に従って調整することもできる。
【００９２】
上述したマルチバンドＷＬＡＮがｍｍＷ分散ネットワークの発見及びネットワーク通知にｓｕｂ−６ＧＨｚ帯を使用するために、３つの一般的オプションが定められる。これらのオプションは、（ａ）ｓｕｂ−６ＧＨｚパッシブｍｍＷ  ＤＮ通知スキャン、（ｂ）ｓｕｂ−６ＧＨｚアクティブｍｍＷ  ＤＮ通知スキャン、及び（ｃ）ｓｕｂ−６ＧＨｚオンチャネルトンネリング（ＯＣＴ）ｍｍＷ  ＤＮ通知である。
【００９３】
オプション（ａ）では、マルチバンド能力、近傍のｍｍＷ分散ネットワークの存在及びＤＭＧ能力を示すビーコンフレームが、ｓｕｂ−６ＧＨｚを通じて送信される。ビーコンフレームの代わりに他のフレームを使用して同じ情報と共にブロードキャストすることもできる。このフレームの送信電力は、ｍｍ波通信に関するネットワークの以外のＳＴＡを引き込まないように、関連するｍｍＷ信号の到達範囲内のＳＴＡのみに到達するように（例えば、動的又は静的に）調整されることが好ましい。これができない場合、新規ＳＴＡは、分散ネットワークのＳＴＡからの受信ビーコンを、ｍｍＷ信号の到達範囲内の近傍のＳＴＡからのビーコンのみを考慮するようにＲＳＳＩによってフィルタ処理することができる。
【００９４】
新規ＳＴＡがｓｕｂ−６ＧＨｚビーコンフレームを受け取ると、新規ＳＴＡの近傍のＳＴＡによるｍｍＷ発見キャンペーンが引き起こされて、新規ＳＴＡがｍｍＷネットワークに参加するための正しいセクタ及び近隣を発見するのに役立つことができる。ｍｍＷ発見キャンペーンは、新規ＳＴＡの周囲の（近傍の）他のＳＴＡが同時に又は順次にＤＭＧビーコンを送信して、新規ＳＴＡによる近隣及びその方向性情報の発見を支援するものである。
【００９５】
図１４に、マルチバンド能力、ｍｍＷ分散ネットワークの存在及びＤＭＧ能力を通知するためにｓｕｂ−６ＧＨｚ帯を利用して他のＳＴＡにビーコンフレームを送信する実施形態例１１０を示す。例示のみを目的として、それぞれフルパワービーコンのカバレッジエリア１２６、１３０及び低電力ビーコンのカバレッジエリア１２４、１２８を有する２つのＤＮ  ＳＴＡ（ＳＴＡ  Ａ１１２及びＳＴＡ  Ｂ１１４）を示す。ＳＴＡ  Ａ及びＳＴＡ  Ｂが低電力ビーコンを送信した場合、新規ＳＴＡ１３２は、ｍｍＷ帯信号が範囲内に到達するＳＴＡ  Ａからの信号のみを受け取り、ｍｍＷ帯信号が範囲から外れているＳＴＡ  Ｂからの信号は受け取らない。一方で、両ＳＴＡがフルパワービーコン送信を使用した場合、新規ＳＴＡ１３２は、ＳＴＡ  Ａ及びＳＴＡ  Ｂの両方からのビーコンを受け取る。受信電力の低いＲＳＳＩは、ＳＴＡがｍｍＷ信号の範囲外に存在することを示唆するので、新規ＳＴＡ１３２は、このような局からの通信をフィルタ除去する。
【００９６】
オプション（ｂ）では、新規ＳＴＡ１３２が、マルチバンド能力、近傍のｍｍＷ分散ネットワークに参加することへの関心及びいくつかのＤＭＧ能力を示すプローブ要求をｓｕｂ−６ＧＨｚ帯で送信する。プローブ要求フレームの代わりに他のフレームを使用して同じ情報と共にブロードキャストすることもできる。このフレームの送信出力は、ｍｍ波通信に関するネットワークの以外のＳＴＡを引き込まないように、関連するｍｍＷ信号の到達範囲内のＳＴＡのみに到達するように（例えば、動的又は静的に）調整されることが好ましい。これができない場合、ＤＮ  ＳＴＡは、新規ＳＴＡから受け取られたプローブ要求を、ｍｍＷ信号の到達範囲内の近傍のＳＴＡからの要求のみを考慮するようにＲＳＳＩによってフィルタ処理することができる。
【００９７】
ＤＮ  ＳＴＡにおいて新規ＳＴＡからのｓｕｂ−６ＧＨｚプローブ要求フレームが受け取られると、新規ＳＴＡ１３２の近傍のＳＴＡ１１２、１１４、１１６、１１８、１２０によるｍｍＷ発見キャンペーンが引き起こされて、新規ＳＴＡがｍｍＷネットワークに参加するための、ｍｍＷ通信セクタ１２２が局を無線で相互接続しているように示す正しいセクタ及び近隣を発見するのに役立つことができる。ｍｍＷ発見キャンペーンは、新規ＳＴＡの周囲の（近傍の）他のＳＴＡが同時に又は順次にＤＭＧビーコンを送信して、新規ＳＴＡによる近隣及びその方向性情報の発見を支援するものである。
【００９８】
図１５に、自機の存在、及びいくつかのＤＭＧ能力を有している近傍のｍｍＷ分散ネットワークに参加することへの関心を通知するために、ｓｕｂ−６ＧＨｚ帯を利用して新規ＳＴＡ１３２から他のＳＴＡ１１２、１１４、１１６、１１８、１２０にプローブ要求を送信する実施形態例１５０を示す。例示のみを目的として、新規ＳＴＡのフルパワープローブ要求のカバレッジエリア１３２及び低電力プローブ要求のカバレッジエリア１３４を示す。新規ＳＴＡ１３２が低電力プローブ要求を送信した場合、ｍｍＷ信号が範囲内に到達するＤＮ  ＳＴＡのみが、新規ＳＴＡ１３２からの信号を受け取るＳＴＡとなり、ｍｍＷ信号が範囲から外れているＤＮ  ＳＴＡは、新規ＳＴＡ１３２からのプローブ要求を受け取らない。一方で、新規ＳＴＡがフルパワープローブ要求送信１３４を使用した場合、プローブ要求を受け取るＤＮ  ＳＴＡは、ｍｍＷ信号の範囲外にも存在することができる。受信電力の低いＲＳＳＩは、ＳＴＡがｍｍＷ信号の範囲外に存在することを示唆するので、各ＤＮ  ＳＴＡは、受け取ったプローブ要求をフィルタ処理して、このような１つの要求をｍｍＷネットワーク発見支援から除外する。
【００９９】
オプション（ｃ）では、最初に新規ＳＴＡ１３２がｓｕｂ−６ＧＨｚ帯ネットワーク（ＢＳＳ又はＤＮ）に参加すべきである。新規ＳＴＡがｓｕｂ−６ＧＨｚ帯ネットワークの一部になると、新規ＳＴＡとＤＮ  ＳＴＡとの間にオンチャネルトンネリング（ＯＣＴ）が確立される。両ＳＴＡはマルチバンド能力を有しており、従ってＯＣＴを使用して、新規ｓｕｂ−６ＧＨｚ  ＳＴＡとＤＮ  ｓｕｂ−６ＧＨｚ  ＳＴＡとの間に確立されたＯＣＴを通じて新規ｍｍＷ  ＳＴＡからＤＮ  ｍｍＷ  ＳＴＡにＭＭＰＤＵが送信される。
【０１００】
なお、オプション（ａ）及び（ｂ）では、新規ＳＴＡは、ビーコン又はプローブ要求内の情報を発見のために使用している場合、必ずしもｍｍＷチャネル発見を引き起こす参加プロセスへの参加、又はこのプロセスの終了を行う必要はない。ｓｕｂ−６ＧＨｚ帯における発見されたＳＴＡとの接続を完了することは、ネットワーク発見の拡大及び他の考えられるｍｍＷ制御信号の開放のために依然として有益であるが、これらは本開示の主題ではない。ビーコンフレーム又はプローブ要求／応答フレーム以外のフレームを使用して発見が行われている場合、新規ノードは、最初にｓｕｂ−６ＧＨｚネットワークへの参加を終了させることが必要となり得る。
【０１０１】
４．４．ｍｍ波ネットワークにおけるビーコン送信
ｍｍＷネットワークにおけるビーコン送信は、通常通りに使用することも又は使用しないこともできる。ｍｍＷ帯ネットワークにおけるビーコン送信の３つの事例について検討する。
【０１０２】
（ａ）ＢＴＩ毎に全方向にビーコンを送信する通常のビーコン送信を実行することができる。ここで提案するｓｕｂ−６ＧＨｚ帯を介した発見プロトコルは、通常の全方向ビーコン送信に加えて発見プロセスを加速させるための手段を提供することができる。このことは、特に指向性ビームの数が膨大な場合に非常に有益なはずである。
【０１０３】
（ｂ）通信又はピアビーコンを使用するピアＳＴＡのみに向けてビーコン送信を行う。通信又はピアビーコンは、既に接続が確立（設定）されているピア間の通信に利用される。このビーコンは、ネットワーク内のＤＮ  ＳＴＡ間の同期維持、ビーム追跡の実行、並びにチャネルアクセス及びリソースの管理に関連する機能を実行するために利用することができる。各ＤＮ  ＳＴＡは、近隣ＳＴＡの方向に対応するセクタ内でのみビーコンをスイープし、自機の近隣のみにビーコンを送信する。
【０１０４】
図１６Ａ〜図１６Ｃに、限定ではなく一例として検討する単純なｍｍＷネットワークの実施形態１７０の態様を示す。図１６Ａには、一例として３つのＳＴＡ１７２、１７４及び１７６を示す。図１６Ｂには、ＳＴＡ  Ａ１７２からビーコンが送信され、ＳＴＡ１７４及び１７６に向かう最良セクタに対応する方向にピアビーコンがスイープ（１７８、１８０）される様子を示す。図１６Ｃでは、ＳＴＡ  Ａ１７２が、特定の空間領域をカバーするように発見ビーコン１８２をスイープする（１８４）。本開示は、従来利用されているものに比べ、図１６Ｂに示すようにＳＴＡ  ＡからＳＴＡ  Ｃ及びＢに対応する方向にのみこれらのビーコンを利用する。
【０１０５】
図１７Ａ及び図１７Ｂに、決定された最良セクタの周囲の（を取り囲む）１又は２以上のセクタ上で送信を行うことによってさらなるロバスト性をもたらす実施形態例１９０を示す。図１７Ａには、ＳＴＡ  Ｂ１９４に関連するＳＴＡ  Ａ１９２を示しており、図１７Ｂに示すように、方向１９８が最良セクタ（経路）であり、１９６、１９７が隣接セクタである。従って、ＳＴＡ  Ｂと通信するＳＴＡ  Ａは、最良セクタ１９８を有するが、提示するプロトコルは、特にＳＴＡ  ＢがＳＴＡ  Ａに対して移動している可能性があるという事実を考慮して、この最良セクタの両側の１又は２以上のさらなるセクタ１９６、１９７も選択して通信ロバスト性を改善することができる。
【０１０６】
なお、各ピアリンクの方向及びタイミングが分かっているので、上記のピアビーコンは容易に協調するはずであると理解されたい。この結果、全方向にビーコンを送信することに起因する干渉が制限され管理される。
【０１０７】
図１８に、これらの２つのピアＳＴＡの方向のみにビーコンが送信され、従ってＢＴＩプロセスを大幅に短縮できる、本開示のｍｍ波ピアＤＭＧビーコンのスーパーフレームフォーマットの実施形態例２１０を示す。この図では、送信２１２が、ピア１へのビーコン２１４及びピア２へのビーコン２１６である２つのピアの例示的に示すピアビーコンと、その後のピア１へのアソシエーションビームフォーミングトレーニング（ＡＢＦＴ）期間２１８及びピア２へのＡＢＦＴ期間１２１９とを含み、その後にデータ転送間隔（ＤＴＩ）２２０が開始する。この事例のＡＢＦＴ期間は、他のＳＴＡによって使用される見込みがないので、送信されるビーコンに関連するピアに予め割り当てることができる。
【０１０８】
（ｃ）この事例では、ｍｍＷネットワークにおけるビーコン送信が全く存在しない。ビーコン送信又は他の形態の同期及びビームフォーミングは、ｓｕｂ−６ＧＨｚ帯において新規ＳＴＡが発見された時に引き起こすことができる。このような場合、同期及びビームフォーミングの維持は、ＤＴＩ期間内に、又はビーコンフレーム以外のフレームを通じて取り扱われるべきである。新規ＳＴＡが発見されると、発見されたＳＴＡからユニキャストフレーム又はマルチキャストフレームが送信され、或いは発見されたＳＴＡの周辺の他のＳＴＡが新規ＳＴＡによるビームフォーミング及びｍｍＷネットワークへの参加を支援するように仕向けられる（通知される）。
【０１０９】
４．５．帯域外発見
ｓｕｂ−６ＧＨｚ帯の使用は、（１）マルチバンド能力を有するＳＴＡ及びｍｍＷネットワークの存在通知を求めてｓｕｂ−６ＧＨｚチャネルをスキャンし、（２）ｓｕｂ−６ＧＨｚチャネル上でＯＣＴを確立して新規ｍｍＷ  ＳＴＡのＭＬＭＥとネットワークｍｍＷ  ＳＴＡのＭＬＭＥとの間で通信する、ことを通じて行うことができる。
【０１１０】
第１のオプションは、たとえｓｕｂ−６ＧＨｚ  ＳＴＡがＢＳＳ又はＭＢＳＳに参加していない場合であってもＳＴＡの発見を可能にする。ｓｕｂ−６ＧＨｚ帯の使用は、ＳＴＡが特定のＳＴＡ又はサービスセットに関連付けられることを必要としない。しかしながら、新規ＳＴＡは、ｓｕｂ−６ＧＨｚ帯でＢＳＳ又はＭＢＳＳに参加し、これらを使用してさらなる協調をもたらしてｍｍＷ帯における他の機能を促し、又は発見及びボーディングプロセスのセキュリティを高めることができる。
【０１１１】
一方で、第２のオプションでは、ＳＴＡが、ＯＣＴを確立しようと試みる相手先のＳＴＡに関連付けられ又は接続される必要がある。従って、新規ＳＴＡでは、ＯＣＴを通じた発見が行われる前に、最初にｓｕｂ−６ＧＨｚ帯における接続が確立される必要がある。
【０１１２】
ＳＴＡが既にｓｕｂ−６ＧＨｚ帯を介して確立された接続を有している場合、どちらのオプションの方がＳＴＡに容易に発見をもたらすことができるかは、ＯＣＴの確立速度によって決まる。
【０１１３】
４．５．１．スキャンを通じた帯域外発見
新規ＳＴＡは、ｓｕｂ−６ＧＨｚ帯を使用してマルチバンド能力のあるＳＴＡをスキャンする。マルチバンド能力のあるＳＴＡが発見されると、新規ＳＴＡは、このＳＴＡを通じて参加してこれらのＳＴＡのｍｍＷハードウェア能力を交換すべきｍｍＷ分散ネットワークが存在するかどうかをチェックする。新規ＳＴＡは、ｓｕｂ−６ＧＨｚ帯上でｍｍＷネットワークを求めるパッシブスキャン、又はｓｕｂ−６ＧＨｚ帯上でｍｍＷネットワークを求めるアクティブスキャンを利用する。
【０１１４】
４．５．１．１．パッシブスキャン
新規ＳＴＡは、ＳＴＡのうちの１つから送信されるビーコンフレームを待ってｓｕｂ−６ＧＨｚ帯をリスンする。送受信は、準全方向アンテナを使用することが好ましい。ビーコンフレームは、ＳＴＡのマルチバンド能力、既存のｍｍＷ分散ネットワークに参加するための支援実行可能性サポート（ａｓｓｉｓｔａｎｃｅ  ｅｎａｂｌｅｍｅｎｔ  ｓｕｐｐｏｒｔ）、及びこのＳＴＡに関連するｍｍＷ  ＳＴＡのＤＭＧ能力に関する情報を搬送すべきである。新規ＳＴＡは、ｍｍＷ分散ネットワークへの参加支援が可能であることを示すマルチバンド能力を示すビーコンフレームが受け取られると、発見されたＳＴＡに、自機の存在と、その関連するｍｍＷ  ＳＴＡのＤＭＧ能力とを通知する。新規ＳＴＡは、新規ＳＴＡ発見要求を認識したＤＮから確認を受け取ると、発見されたＳＴＡ及び／又は分散ネットワークに接続するためにｍｍＷ帯に切り替える。発見されたＳＴＡは、新規ＳＴＡとのビームフォーミングを行うために、ｍｍＷ帯でのビーコンの送信を開始する。発見されたＳＴＡは、（見通し線）ＬＯＳの方向又は最も強い反射光線の方向などの、ｓｕｂ−６ＧＨｚ帯域からの方向性情報を使用して、ｍｍＷ帯におけるビームの一部のみを通じてビーコンを送信することができる。
【０１１５】
ＤＮ支援が可能である場合、発見されたＳＴＡは、新規ＳＴＡの周辺領域の他のＳＴＡが新規ＳＴＡへのビーコン又はビームフォーミングフレームの送信を開始して新規ＳＴＡとのビームフォーミングを実行するように仕向ける。ビーコンの送信は、素早い接続及びＳＴＡの発見が行われるようにＤＮ  ＳＴＡ間で協調させることができる。
【０１１６】
図１９に、ＳＴＡがパッシブスキャンプロセスに従って新規ＳＴＡを取り扱うプロセスの実施形態例２３０を示す。ルーチンが開始し（２３２）、ＳＴＡが、ビーコン送信専用の時点でｓｕｂ−６ＧＨｚ帯においてマルチバンド及びＤＮ／ＤＭＧ能力指標を含むビーコンフレームを送信する（２３４）。ＤＡ要求が受け取られたどうかをチェックする（２３６）。新規ＳＴＡからの応答が受け取られていない場合、ＳＴＡは、スケジュールされた時点でビーコンフレームを送信し続ける（２３４）。一方で、新規ＳＴＡからの応答が受け取られた場合、マルチバンド及びＤＮが可能であるかどうかを判定する。最初に、マルチバンドが可能であるかどうかをチェックする。可能でない場合、実行はブロック２３４に戻ってビーコンを送信する。一方で、マルチバンドが可能である場合、実行はブロック２４０に進んでＤＡ応答を送信する。次に、ＤＮ支援が可能であるかどうかをチェックする（２４２）。ＤＮ支援が可能でない場合、実行はブロック２４６に進み、この特定のＳＴＡのＳＴＡ  ｍｍＷ発見をトリガした後でビーコン送信を継続する。一方で、ＤＮ支援が可能である場合、実行はブロック２４４に進んでＤＮ支援による協調的ｍｍＷ発見をトリガする。従って、マルチバンド及びＤＮが可能である場合には、支援された協調的ｍｍＷ発見をトリガした後に戻ってビーコン送信を継続する。
【０１１７】
４．５．１．２．アクティブスキャン
アクティブスキャンでは、新規ＳＴＡが、ｓｕｂ−６ＧＨｚ帯を介してプローブ要求フレームを送信し、ＳＴＡのうちの１つから送信されるプローブ応答フレームを待つ。送受信は、準全方向アンテナを使用することが好ましい。プローブ要求フレームは、新規ＳＴＡのマルチバンド能力、既存のｍｍＷ分散ネットワークへの参加支援要求、及びこのＳＴＡに関連するｍｍＷ  ＳＴＡのＤＭＧ能力に関する情報を搬送することが好ましい。ＳＴＡは、ｍｍＷ分散ネットワークへの参加要求と共に、マルチバンド能力を示すプローブ要求フレームが受け取られると、プローブ応答によって新規ＳＴＡに応答する。プローブ応答は、ｍｍＷ  ＳＴＡの能力及びＤＮ実行可能性に関する情報を含む。他のフレームを利用して、この情報を新規ＳＴＡに伝えることもできる。新規ＳＴＡは、発見されたＳＴＡ及び／又は分散ネットワークに接続するためにｍｍＷ帯に切り替える。発見されたＳＴＡは、新規ＳＴＡとのビームフォーミングを行うために、ｍｍＷ帯でのビーコン又はビームフォーミングフレームの送信を開始する。発見されたＳＴＡは、ＬＯＳの方向又は最も強い反射光線の方向などの、ｓｕｂ−６ＧＨｚ帯からの方向性情報を使用して、ｍｍＷ帯におけるビームの一部のみを通じてビーコンを送信することができる。
【０１１８】
ＤＮ支援が可能である場合、発見されたＳＴＡは、新規ＳＴＡの近傍の他のＳＴＡが新規ＳＴＡへのビーコン又はビームフォーミングフレームの送信を開始してビームフォーミングを行うように仕向ける。ビーコンの送信は、素早い接続及びＳＴＡの発見が行われるようにＤＮ  ＳＴＡ間で協調させることができる。
【０１１９】
図２０に、ＤＮがアクティブスキャンプロセスに従って新規ＳＴＡを取り扱うプロセスの実施形態例２５０を示す。ルーチンが開始し（２５２）、プローブ要求フレームのリスニングを開始する（２５４）。プローブ要求が受け取られたかどうかをチェックする（２５６）。プローブ要求が受け取られていない場合、プロセスはブロック２５４に戻り、従ってリスニングを継続する。一方で、プローブ要求が受け取られていれば、これに対するプローブ応答を新規ＳＴＡに送信し（２５８）、その後にマルチバンド及びＤＮ支援が可能であるかどうかをチェックする。ブロック２６０において、マルチバンドが可能であるどうかをチェックする。マルチバンドが可能でない場合、実行はブロック２５４におけるプローブ要求のリスニングに戻る。マルチバンドが可能である場合、実行はブロック２６２に進んでＤＡ要求又は応答を交換する。ＤＮ支援についてチェックする（２６４）。ＤＮ支援が可能でない場合、ｍｍＷ  ＳＴＡ発見を作動（２６８）させた後で、２５４における通知要求フレームのリスニングに戻る。一方で、ＤＮ支援が可能である場合には、ＤＮ支援による強調的ｍｍＷ  ＳＴＡ発見２６６を作動させた後で、２５４における通知要求フレームのリスニングに戻る。
【０１２０】
アクティブ及びパッシブスキャンのいずれについても、ＤＮ支援が可能である場合、ｍｍＷ  ＤＮ支援及び協調の管理は、分散させることも、或いは中央コーディネータを通じて行うこともできる。
【０１２１】
４．５．１．３．範囲管理
干渉を制限し、直接的ｍｍＷリンクを使用してアクセスできるＳＴＡのみに確実にアクセスするために、マルチバンド指示が有効なビーコンフレーム又はマルチバンド指示が有効なプローブ要求を、ｍｍＷリンクバジェットを反映する（エミュレートする又はこれに一致する）低電力で送信することができる。フレームに必要とされる送信電力は、ｍｍＷ帯のリンクバジェットがｍｍＷネットワークにおけるＳＴＡとの実行可能なデータリンクを可能にする場合にのみフレームがＳＴＡによって受け取られるように決定することができる。
【０１２２】
ビーコンフレーム又はプローブ要求がフルパワーで送信される場合、少なくとも１つの実施形態では、受信側ＳＴＡにおいて閾値を利用して、ｍｍＷ  ＤＮ  ＳＴＡのカバレッジエリア外に存在すると考えられる場合にこのフレームに応答すべきであるか否かを決定する。この閾値の決定は、ｍｍＷ帯のリンクバジェットがｍｍＷネットワークにおける実行可能なデータリンクを可能とする場合にのみフレームが考慮されるように行うことができる。
【０１２３】
４．５．２  トンネリングを通じた帯域外発見
図２１に、ｍｍＷ  ＭＬＭＥ２７２及びｓｕｂ−６ＧＨｚ  ＭＬＭＥ２７４の両方を有する新規ノードと、ｓｕｂ−６ＧＨｚ  ＭＬＭＥ２７６及びｍｍＷ  ＭＬＭＥ２７８を有するＤＮノードとの間の、ｓｕｂ−６ＧＨｚにおけるｍｍＷ発見の実施形態例２７０を示す。ＯＣＴは、ｍｍＷ  ＳＴＡによって構築されたＭＡＣプロトコルデータユニット（ＭＭＰＤＵ）をｓｕｂ−６ＧＨｚ  ＳＴＡが送信できるようにする。新規ＳＴＡ又はＤＮ  ＳＴＡのｍｍＷ  ＳＴＡのＭＬＭＥ（ＭＡＣ層管理エンティティ）は、新規ＳＴＡとＤＮ  ＳＴＡとの間にｓｕｂ−６ＧＨｚリンクが既に確立された後にこのトンネルを開始することができる。
【０１２４】
このｍｍＷ管理フレームは、装置内のｍｍＷ  ＭＬＭＥ２７２からｓｕｂ−６ＧＨｚ  ＭＬＭＥ２７４に要求を送信（２８０）することによってｓｕｂ−６ＧＨｚ帯で送信される。この要求を受け取ったｓｕｂ−６ＧＨｚ  ＭＬＭＥは、ピアｓｕｂ−６ＧＨｚ  ＭＬＭＥ宛てのＭＭＰＤＵを含むＯＣＴ要求フレームを送信（２８２）するように構成される。この装置（ＤＮノード）のｓｕｂ−６ＧＨｚ  ＭＬＭＥは、ＯＣＴ要求フレームを受け取ると、ＯＣＴトンネル指示と添付のＭＭＰＤＵとをｍｍＷ  ＭＬＭＥ２７８に転送する（２８４）。ｍｍＷ  ＳＴＡは、このＭＭＰＤＵを無線で受け取ったかのように処理する。ＤＮノードのｍｍＷ  ＭＬＭＥ２７８は、自機のｓｕｂ−６ＧＨｚ  ＭＬＭＥ２７６にトンネル応答２８６を返送し、次にｓｕｂ−６ＧＨｚ  ＭＬＭＥ２７６は、新規ノードのｓｕｂ−６ＧＨｚ  ＭＬＭＥ２７４にＯＣＴ応答フレームを送信し（２８８）、さらにｓｕｂ−６ＧＨｚ  ＭＬＭＥは、ｍｍＷ  ＭＬＭＥ２７２にトンネリングされたＭＭＰＤＵのＯＣＴ確認を送信する（２９０）。従って、応答は、新たなＭＭＰＤＵが構築されて図示のように受け渡される同じ技術を使用して開始側ｍｍＷ  ＭＬＭＥに送信することもできる。
【０１２５】
４．６．ｓｕｂ−６ＧＨｚにおけるｍｍＷ認証の実行
新規ＳＴＡは、ｓｕｂ−６ＧＨｚ通信を通じて近隣ＳＴＡを発見してｍｍＷリンクを形成することを決定すると、プローブ要求、プローブ応答、アクションフレーム又は他のいずれかのフレームを通じて自機の存在を近隣に通知して支援を要求する。
【０１２６】
新規ＳＴＡは、ｍｍＷ帯における不必要なビームフォーミングを避けるように、ｍｍＷ帯に切り替える前に認証要求を誘発して、ｍｍＷ発見キャンペーンの開始前に潜在的ｍｍＷリンクが認証されることを保証することができる。新規ＳＴＡは、認証要求を送信し、認証応答を待ち、少なくとも１つの実施形態では認証応答を確認応答する。認証応答及び確認応答のいずれにも成功すると、新規ＳＴＡ及び（単複の）近隣ＳＴＡはｍｍＷ発見キャンペーンを開始する。
【０１２７】
ＤＮ支援がＳＴＡの地理的発見ゾーンを通じて行われる場合、ＤＮ  ＳＴＡは、ＤＮ支援が可能であれば新規ノードの全ての潜在的近隣を認証応答にリストする。新規ＳＴＡは、潜在的に接続する関心のあるＳＴＡのリストで応答する。ＤＮ  ＳＴＡは、確認応答メッセージ内のＳＴＡのリストのみを発見キャンペーンのために考慮する。認証は、マルチノード認証手順を単純化するためのネットワーク規模の認証と考えることができる。
【０１２８】
４．７．ｍｍＷ発見及びビームフォーミングの実行
新規ＳＴＡは、ｓｕｂ−６ＧＨｚ帯でのスキャン又はＯＣＴを通じて近隣又はＤＮを発見する。新規ＳＴＡは、ｍｍＷ帯をチェックしてその近隣との間でビームフォーミングを行うように直接機能することができる。新規ＳＴＡは、ＤＮノードがビームフォーミングフレーム又はビーコンの送信を開始するのを期待しており、ＤＮノードは、新規ＳＴＡがネットワークに参加するのを期待している。これらの２つのＳＴＡ間の接続を確立するために、ｍｍＷ帯のアクティブスキャン又はパッシブスキャンを使用することができる。
【０１２９】
４．７．１  アクティブｍｍＷ発見
新規ＳＴＡは、マルチバンド能力又はｍｍＷ  ＤＮを有するｓｕｂ−６ＧＨｚ帯上のＳＴＡを発見すると、発見されたＳＴＡのＤＭＧ能力に関する情報を取得し、ｍｍＷ帯でアクティブスキャンを開始する。新規ＳＴＡは、指向性ビーム又は準全方向アンテナのいずれかを使用してプローブ要求を送信する。発見されたｍｍＷ  ＳＴＡは、新規ＳＴＡがｍｍＷリンクの形成又はＤＮへの参加を試みていると認識する。発見されたｍｍＷ  ＳＴＡは、指向性ビーム又は準全方向アンテナを使用してプローブ要求をリスンして待つ。新規ＳＴＡ及び発見されたＳＴＡは、ｓｕｂ−６ＧＨｚ帯を介してそれぞれのＤＭＧ能力を交換してフレーム交換を期待する。新規ＳＴＡ及び発見されたＳＴＡは、ｓｕｂ−６ＧＨｚ帯を介して交換されたデータに基づいてそれぞれの送受信を協調させることもできる。
【０１３０】
発見されたＳＴＡは、プローブ要求にプローブ応答で応答するように構成され、応答フレームの受信のＡＣＫを期待する。その後は、正しいビームフォーミングがスケジュールされるはずである。
【０１３１】
これらのＳＴＡは、ｍｍＷ帯を介して同期されず、従ってフレームの送受信はこのことを考慮することが好ましい。ｍｍＷ帯アクセスが、スケジューリング又は競合アクセス（ｃｏｎｔｅｎｔｉｏｎ  ａｃｃｅｓｓ）を伴わなければフレームを送信できないようにスケジュールされている場合には、代わりにパッシブｍｍＷ発見を検討すべきである。
【０１３２】
４．７．２．パッシブｍｍＷ発見
新規ＳＴＡが、マルチバンド能力又はｍｍＷ  ＤＮを有するｓｕｂ−６ＧＨｚ帯上のＳＴＡを発見すると、発見されたＳＴＡは、新規ＳＴＡのＤＭＧ能力に関する情報を取得し、ｍｍＷ帯でビームフォーミングフレーム又はビーコンの送信を開始する。発見されたＳＴＡは、指向性ビーム又は準全方向アンテナのいずれかを使用してビームフォーミングフレーム又はビーコンを送信する。新規ｍｍＷ  ＳＴＡは、発見されたＳＴＡがｍｍＷリンクの形成又はＤＮへの参加の支援を試みていると認識する。新規ｍｍＷ  ＳＴＡは、指向性ビーム又は準全方向アンテナを使用してビームフォーミングフレーム又はビーコンをリスンして待つ。新規ＳＴＡ及び発見されたＳＴＡは、ｓｕｂ−６ＧＨｚ帯を通じてそれぞれのＤＭＧ能力を交換してフレーム交換を期待する。新規ＳＴＡ及び発見されたＳＴＡは、やはりｓｕｂ−６ＧＨｚ帯を介して交換されたデータに基づいてそれぞれの送受信を協調させることが好ましい。新規ＳＴＡは、ｍｍＷチャネルをリスン（モニタ）し、ビームフォーミングフレームを発見した時点で発見されたＳＴＡと同期し、従って同時にフレームを送信できるようになることが好ましい。
【０１３３】
新規ＳＴＡは、発見されたＳＴＡに応答してビームフォーミング情報を交換すべきである。その後は、正しいビームフォーミングがスケジュールされるはずである。
【０１３４】
図２２に、パッシブスキャンを通じて発見を行う際に使用される、全方向にビーコン送信を行うＷＬＡＮスーパーフレームフォーマットの実施形態例３１０を示す。このスーパーフレームは、図１８に示す、発見がスケジュールされておらず全方向にビーコンを送信する必要がない時間を表すＤＭＧピアビーコンと比較することができる。ＳＴＡは、同期の維持又はビーコン送信に関連する他のいずれかの機能のみのためにピアＳＴＡにビーコンを送信することができる。ＳＴＡは、全くビーコンを送信しないこともできる。
【０１３５】
図２２では、送信が、ピア１へのビーコン例３１４、ピア２へのビーコン例３１６及び全方向に送信される他のビーコンを含むピアビーコン３１３と、その後のアソシエーション−ビームフォーミングトレーニング（ＡＢＦＴ）期間３１８とを含むデータ３１２を含む。ＡＢＦＴスロット３１８は、ピアＳＴＡに関連し、ピアＳＴＡの数に等しく、新たな予想されるＳＴＡに１が加算される。ＡＢＦＴ期間の後には、データ転送間隔（ＤＴＩ）３２０が開始する。
【０１３６】
新規ＳＴＡ及び発見されたＳＴＡは、ｓｕｂ−６ＧＨｚ帯で行われる通信を通じてそれぞれのｍｍＷアンテナ能力を交換する。ＳＴＡがパッシブモード又はアクティブモードでスキャンを行うビームを制限するために、ｓｕｂ−６ＧＨｚ帯を通じてＬＯＳの方向又は最強ビームの方向などのいくつかの方向性情報を新規ＳＴＡに伝えることもできる。ＳＴＡは、ＬＯＳの方向又は最強のｘビームの方向などのいくつかの方向性情報を、ビーコン、ビームフォーミングフレーム又はプローブ要求の送信方向を制限するために使用することもできる。
【０１３７】
図２３に、スケジュールされたビーコン又はビームフォーミングフレーム交換を通じた発見の実施形態例３３０を示す。この図には、データ３３２、並びにピア１へのビーコン３３４及びピア２へのビーコン３３６を示す。この全体部分は、ピアＳＴＡのみへの任意のビームフォーミングフレーム交換３４６に関与し、ビームフォーミング３３８と、その後のＤＴＩ３４０とを含む。この図には、ＤＮ  ＳＴＡが新規ＳＴＡとビームフォーミングするためにＤＴＩ期間３４０中にビームフォーミングセッション３４２をスケジュールすることができ、その後にさらなるＤＴＩデータ３４４が続くことも示す。ピアＳＴＡへのビーコン及びＡＢＦＴを割り当てることも、又は割り当てないこともでき、その後にデータ転送間隔（ＤＴＩ）が続く。ＤＴＩ中には、スケジュールされたビーコン送信及びＳＳＷフレーム期間、又はあらゆるタイプのビームフォーミングフレーム交換が行われる。この図では、ＤＮ  ＳＴＡが、不要な場合には省略できるビーコン送信期間中にそのピアのみにビーコンを送信し続け、ＤＴＩ期間にｓｕｂ−６ＧＨｚスキャンをスケジュールすることによってこのスキャンを通じて新規ＳＴＡを発見すると、要求に応じて全方向にビーコン又はビームフォーミングフレームを送信する。
【０１３８】
スケジュール期間では、ＳＳＷフレーム交換を新規ＳＴＡの発見のみに専念させることができ、従ってＩＥＥＥ  ８０２．１１標準で規定されるＡＢＦＴ期間のような多くのＳＳＷスロットを有する必要はない。
【０１３９】
新規ＳＴＡが発見されてネットワークに接続されると、ＤＮ  ＳＴＡは、望ましい場合には各ビーコン送信間隔を使用して新規ＳＴＡへの通常のピアビーコン送信を開始することができる。
【０１４０】
図２４に、パッシブｍｍＷスキャンと、指向性アンテナ送信と、受信用の準全方向アンテナとを使用した帯域外ＳＴＡ発見のためのシグナリングの実施形態例３５０を示す。この例は、アクティブスキャンと、送受信におけるあらゆるアンテナ構成とに拡張することができる。図では、ｓｕｂ−６ＧＨｚ帯を通じて送信される信号を太い矢印で表し、ｍｍＷ帯を通じて送信される指向性信号を細い矢印で表す。図には、新規ＳＴＡ３５２と、近隣１  ３５４と、近隣２  ３５６と、近隣３  ３５８と、近隣４  ３６０との間の通信を示す。
【０１４１】
発見及び考えられる認証は、ｓｕｂ−６ＧＨｚ帯で行われている。近隣４  ３６０から新規ＳＴＡ３５２に到達していない失敗したｓｕｂ−６ＧＨｚ発見３６２が見て取れる。新規ＳＴＡがｓｕｂ−６ＧＨｚ信号交換３６４を通じてｍｍＷ  ＳＴＡを発見すると、近隣２は、ｓｕｂ−６ＧＨｚ通信から入手できる情報に依存して、全部又は一部の方向へのｍｍＷ送信として新規ＳＴＡへのビームフォーミングフレームの送信３６６を開始する。新規ＳＴＡは、これらのフレームのうちの１つを受け取ると、応答又はリンク設定確認応答を送信（３６７）して接続が確立される（３６８）。この例では、対称チャネルのビームフォーミングフレームプロセスについて検討する。チャネルが対称ではなく、両方向にビームフォーミングを行う必要がある場合にも、同じ方法を使用すべきである。
【０１４２】
ネットワーク内の他の近隣との間でも同じプロセスが継続するが、近隣３で分かるように、ｍｍＷ帯ではリンクを設定できないこともある。図には、近隣３  ３５８と新規局３５２とがｓｕｂ−６ＧＨｚ発見３７０を実行しているが、ビームフォーミング段階３７２に失敗していることを示す。近隣１  ３５４が新たな近隣３５２との発見３７４に含まれ、その後にｍｍＷビームフォーミング３７６に成功し、新規局から応答３７７があり、接続が確立（３７８）されることも示す。特に、図示の例では、新規ＳＴＡが、ｓｕｂ−６ＧＨｚ上で正常に近隣を発見してｓｕｂ−６ＧＨｚでの認証にも成功しているが、ビームフォーミングフレームを受け取っていない。このため、新規ＳＴＡは、近隣３  ３５８とのフレーム交換を行っていない。
【０１４３】
４．８．協調的ｍｍＷ発見
ｓｕｂ−６ＧＨｚスキャン（アクティブ又はパッシブスキャン）又はＯＣＴを通じたＤＮ  ＳＴＡの新規ＳＴＡ発見は、ＤＮ  ＳＴＡの協調的ｍｍＷ発見キャンペーンを引き起こすことができる。限定ではなく一例として、ｍｍＷ発見キャンペーンは、接触を受けたＳＴＡメンバ又は新規ＳＴＡの近傍の全てのＳＴＡが実行することができる。
【０１４４】
４．８．１  ｓｕｂ−６ＧＨｚ  ＳＴＡ発見を通じた協調
図２５に、ｓｕｂ−６ＧＨｚ帯においてＳＴＡ３９４、３９６、３９８、４００、４０２のリストが新規ＳＴＡ３９２によって発見される強調的ｍｍＷ  ＳＴＡ発見の実施形態例３９０を示す。新規ＳＴＡ３９２は、全ての近隣を発見できるほど十分な時間にわたってｓｕｂ−６ＧＨｚ帯で近隣１、２及び３を発見する。新規ＳＴＡは、発見した各近隣に応答して、自機の存在及びＤＭＧ能力を通知する。新規ＳＴＡの接触を受けたＳＴＡは、互いに協調して発見キャンペーンを形成する。
【０１４５】
ＳＴＡがｍｍＷ範囲外に存在する近隣４  ４００のｓｕｂ−６ＧＨｚ発見４０４は上手くいっていない。図には、近隣２、３及び１のｓｕｂ−６ＧＨｚ  ＳＴＡ発見４０６、４０８、４１０が上手くいったことを示す。
【０１４６】
近隣２、３及び１間でＤＮ協調が行われて（４１２、４１４及び４１６）発見キャンペーンを形成する。この図では、単純にするために、通信を示す抽象概念で協調を示す。協調は、新規ＳＴＡに関する情報の共有、及びＳＴＡが新規ＳＴＡに到達する順序又は順番の決定を通じて行うことができる。協調は、干渉及びリソーススケジューリングを考慮すべきである。本開示は、この協調４１７、４１８、４２０を管理するために中央コントローラ４０２を利用できるようにも構成され、或いは分散方式で協調を行うこともできる。
【０１４７】
発見キャンペーンが完了すると、新規ＳＴＡは、ＤＮ内の近隣とのｍｍＷ通信を使用することができる。この図では、近隣１  ３９４が全方向にｍｍＷビームフォーミングフレームを送信（４２１）することによって新規ノード（ＳＴＡ）との間でビームフォーミングを行い（４２１）、これらのフレームの一部が新規ＳＴＡにおいて受け取られ、新規ＳＴＡが応答を返送し（４２２）、その後にこれらの２つのノード間に、両方向への複数のフレームの交換を含むことができる接続４２３を確立できることが分かる。同様に、近隣２  ３９６が全方向にｍｍＷビームフォーミングフレームを送信することによって新規ノード（局）との間でビームフォーミングを行い（４２４）、これらのフレームの一部が新規ＳＴＡにおいて受け取られ、新規ＳＴＡが応答を返送し（４２５）、その後にこれらの２つのノード間に接続４２６を確立できることが分かる。また、近隣３  ３９８もこのようにして全方向にｍｍＷビームフォーミングフレームを送信することによってビームフォーミングを行う（４２８）が、これらはいずれも新規ＳＴＡによって受け取られず、従って新規ノードによって応答が生成されないことも分かる。
【０１４８】
４．８．２．潜在的近隣の知識を通じた協調
図２６に、新規ノード４３２、近隣１  ４３４、近隣２  ４３６、近隣３  ４３８、近隣４  ４４０及び（いくつかの事例において存在し得る）中央コントローラ４４２によるｍｍＷ発見キャンペーンの別の実施形態例４３０を示す。新規ＳＴＡの接触を受けて発見されたＳＴＡは、新規ＳＴＡの地理的発見ゾーン内の全てのＳＴＡと協調して新規ＳＴＡの発見キャンペーンを開始する。接触を受けるＳＴＡは、発見された（単複の）ＳＴＡ（新規ＳＴＡの地理的発見ゾーン内のＳＴＡ）に依存する推定に基づく新規ＳＴＡの全ての潜在的近隣を含む。新規ＳＴＡは、少なくとも１つの近隣を発見するまでｓｕｂ−６ＧＨｚ帯をリスンする。新規ＳＴＡは、このｓｕｂ−６ＧＨｚ帯の近隣に応答して、この近隣とｍｍＷ帯でピアになることに関心がある旨を通知する。発見されたＳＴＡは、ｓｕｂ−６ＧＨｚのスキャンから収集されたデータに基づいて、新規ＳＴＡの発見キャンペーンを協調させる。協調は、干渉及びリソーススケジューリングを考慮すべきである。この協調は、中央コントローラを使用して管理することも、或いは分散方式で行うこともできる。
【０１４９】
ＳＴＡがｍｍＷ範囲外に存在する近隣４  ４４０のｓｕｂ−６ＧＨｚ発見４４４は上手くいっていない。一方で、近隣２  ４３６のｓｕｂ−６ＧＨｚ  ＳＴＡ発見４４６は上手くいっている。
【０１５０】
ＤＮ協調を行って発見キャンペーンを形成する（４５１）。近隣２は、潜在的近隣と協調して発見キャンペーンを設定する。単純にするために、協調については、通信４４８、４５０を示す抽象概念で示す。この協調は、新規ＳＴＡの全ての潜在的近隣に接触し、各ＳＴＡがその発見ビーコン送信を開始する順序又は時間を協調させることを通じて行うことができる。協調は、干渉及びリソーススケジューリングを考慮すべきである。中央コントローラ４４２が存在してアクティブである場合、本開示は、中央コントローラが通信例４５４、４５６、４５８などによってこの協調を管理できるように構成され、或いは分散方式で協調を行うこともできる。
【０１５１】
発見キャンペーンが完了すると、新規ＳＴＡは、ＤＮ内の近隣とのｍｍＷ通信を使用することができる。この図では、近隣１  ４３４が全方向にｍｍＷビームフォーミングフレームを送信し（４６０）、これらのフレームの一部が新規ＳＴＡにおいて受け取られ、新規ＳＴＡが応答を返送し（４６１）、その後に通信接続４６２を確立できることが分かる。同様に、近隣２  ４３６が全方向にｍｍＷビームフォーミングフレームを送信し（４６４）、これらのフレームの一部が新規ＳＴＡにおいて受け取られ、新規ＳＴＡが応答を返送し（４６５）、その後に通信接続４６６を確立できることが分かる。また、近隣３  ４３８もこのようにして全方向にｍｍＷビームフォーミングフレームを送信する（４６８）が、これらはいずれも新規ＳＴＡ４３２によって受け取られていない。
【０１５２】
４．８．３．発見キャンペーンのスケジューリング
以下のプロトコル及び例では、全てのＤＮ  ＳＴＡが同期しているものと想定するが、各ＳＴＡのＢＩが厳密に同時に開始して終了する必要はない。ＢＩが一般性を失わずに同時に開始して終了する時には、同じプロトコルを使用することができる。
【０１５３】
４．８．３．１．ｍｍＷ発見ビーコンを通じた発見支援
図２７Ａ及び図２７Ｂに、ｍｍＷ発見ビーコンを通じた発見支援の実施形態例４７０を示す。この例には、ＭＳＴＡ  Ａ４７２、ＭＳＴＡ  Ｂ４７４及びＭＳＴＡ  Ｃ４７６の送信、並びに支援発見期間４７８を示す。発見キャンペーンに参加するＳＴＡは、新規ＳＴＡとの間で自機のアンテナをｍｍＷ帯でビームフォーミングできるようにｍｍＷ帯での発見モードに切り替える。例えば、ＤＮ  ＳＴＡ  Ａ４７２では、ＡＢＦＴ期間４８０の後にＤＴＩ期間４８２が存在し、支援発見期間中のさらなるＡＢＦＴ４８０で全方向にビーコンが送信される（４８４）ことが分かる。支援発見期間は、ビーコンが全方向に送信されるＢＩの数から成る。支援発見期間外には、ビーコンをピアＳＴＡにしか又は全く送信しないこともできる。
【０１５４】
従って、図には、ビーコン送信期間における全てのアンテナを通じたビーコン送信への切り替えを示す。ＳＴＡは、支援発見期間後又は新規ＳＴＡの発見後には、再びピアＳＴＡへのビーコンのみを送信し、又は全くビーコンを送信しない。ＳＴＡがビーコン送信を開始する前には、ＤＮ  ＳＴＡのＡＢＦＴ期間は、送信される各ピアビーコンのスロットを含む。これにより、ＳＳＷフレーム交換のスロット数がピアの数に等しくなる。ＤＮ  ＳＴＡは、発見ビーコンの送信に切り替えると、１又は複数の新規ＳＴＡのための１又は２以上の新規スロットを追加する。発見段階の最後には、ＤＮ  ＳＴＡが新規ＳＴＡと接続を行い、ＤＮ  ＳＴＡ  Ｂで分かるようにＡＢＦＴ期間内に新規ＳＴＡのためのスロットを恒久的に割り当てる。別の設計では、支援発見期間外にビーコンを全く送信しないこともできる。
【０１５５】
４．８．３．２．ビームフォーミングスケジューリングを通じた発見支援
図２８及び図２９に、ＤＴＩ期間内にビームフォーミングキャンペーンをスケジュールすることによる発見支援の実施形態例５１０、５３０を示す。この図では、ＤＴＩ期間内に全てのアンテナセクタを通じて送信がスケジュールされる。ＳＴＡは、ｓｕｂ−６ＧＨｚ帯を介して発見された新規ＳＴＡの能力に応じて、多くのサイクルにわたってビームフォーミングフレームの送信を繰り返すことができる。
【０１５６】
各図には、ＳＴＡ  Ａ（５１２、５３２）、ＳＴＡ  Ｂ（５１４、５３４）及びＳＴＡ  Ｃ（５１６、５３６）の送信を示す。例えば、ＳＴＡ  Ａでは、ＡＢＦＴ期間の次にＤＴＩ期間が存在し、ＤＴＩ期間中に支援発見期間５２０、５３８がスケジュールされていることが分かる。支援発見期間は、発見キャンペーンにおけるＳＴＡがビームフォーミングフレームの送信と新規ＳＴＡからのフィードバックのリスンとを交互に行うようにスケジュールされる。ＳＴＡ  Ａが全方向にビームフォーミングフレームを送信した後に、新規ＳＴＡからのフィードバックを受け取る期間が続く。その後、ＳＴＡ  Ｂ及びＳＴＡ  Ｃも同じ手順を繰り返す。これにより、スケジュールされた支援発見期間が完了する。ビームフォーミングフレームの送信は、ｓｕｂ−６ＧＨｚによって発見された新規ＳＴＡの能力に応じて支援発見期間内に複数回にわたって繰り返して何らかの信頼性を獲得するとともに、新規ＳＴＡが範囲内に存在する場合にビームフォーミングフレームを受け取ることを確実にすることができる。ＳＴＡ  Ａ、ＳＴＡ  Ｂ及びＳＴＡ  Ｃのスケジュール順及びタイミングは、いずれかの目標（インターフェイス回避（ｉｎｔｅｒｆａｃｅ  ａｖｏｉｄａｎｃｅ）又はチャネル閉塞）を達成するように選択することができる。ビームフォーミングフレームの送信は、一定期間にいくつかの指向性ビームからいくつかのフレームが送信され、別のスケジュール期間に他の指向性ビームからの他のフレームが送信されるようにスケジュールされる非伝染性（ｎｏｎｃｏｎｔａｇｉｏｕｓ）とすることもできる。
【０１５７】
従って、図で分かるように、全てのアンテナセクタからＢＦフレームを送信する各ビームフォーミングフレーム送信サイクルの最後には、ＢＦフィードバックフレーム交換（例えば、ＳＳＷフレーム）のためのスロットが割り当てられる。通常のフレームでのビーコンの送信時にピアビーコンを送信する必要があり、新規ＳＴＡがＤＮ  ＳＴＡに接続された場合には、ピアビーコン及び割り当てられたＳＳＷスロットがＤＮ  ＳＴＡに追加され、ＤＮ  ＳＴＡ  Ｂで分かるように新規ＳＴＡ専用となる。
【０１５８】
なお、図２８では、ビーコン間隔（ＢＩ）が交互になっている（５１８ａ、５１８ｂ、５１８ｃ）が、支援発見期間５２０は、各ＳＴＡのＢＩの一部に共通する期間に倣う。この時、図２９で分かるように、支援発見期間５３８は、長期にわたるＤＴＩ期間の閉塞を避けるために、複数のＢＩ及びその関連するＤＴＩにわたってスケジュールされる。ＢＦフレーム交換は、支援発見期間中にスケジュールすることができ、データ送信も、ビームフォーミングフレームが送信されておらずチャネルが閉塞されていない合間にスケジュールすることができる。
【０１５９】
４．８．３．３．アクティブスキャンを通じた発見支援
本開示による発見支援は、アクティブスキャンを利用して、新規ＳＴＡとＤＮ内の複数のＳＴＡとの接続を支援することができる。ここでは、以下の２つのプロトコルを提案する。
【０１６０】
（ａ）非同期的アクティブスキャン
新規ＳＴＡは、ｍｍＷ帯を介して全方向にプローブ要求の送信を開始し、ＤＮ  ＳＴＡからのプローブ応答のフィードバックをリスンする。ＤＮ  ＳＴＡは、新規ＳＴＡを期待して、新規ＳＴＡのプローブ応答を自由にリスンする。新規ＳＴＡは、支援発見期間後にプローブ要求の送信を停止する。
【０１６１】
図３０に、アクティブスキャン期間５６６中に新規ＳＴＡ５５８がプローブ要求を送信し（５６２）、ＤＮ  ＳＴＡ  Ａ５５２、ＤＮ  ＳＴＡ  Ｂ  ５５４及びＤＮ  ＳＴＡ  Ｃ５５６として示す他のＳＴＡからのプローブ応答をリスン（５６４）する実施形態例５５０を示す。なお、新規局によってプローブ要求が生成されると、全てのＤＮ  ＳＴＡが新規ＳＴＡをリスンするためのスケジュール時間が形成される。従って、ＤＮ  ＳＴＡは、新規ＳＴＡからのプローブ要求をリスンするためにそのリソースの一部を確保する。新規ＳＴＡからプローブ要求が受け取られた場合、ＤＮ  ＳＴＡはプローブ応答で応答する。
【０１６２】
（ｂ）同期的アクティブスキャン
全てのＤＮ  ＳＴＡが進んで自機のリソースを解放するわけではなく、スケジュールされた時間のみにわたって新規ＳＴＡのプローブ要求をリスンする状況において重要となり得る、新規ＳＴＡが長期間にわたってチャネルを塞ぐのを避けるための同期的アクティブスキャンについて説明する。発見されたＳＴＡのうちの１つは、ｓｕｂ−６ＧＨｚ帯から収集された情報を通じて、新規ＳＴＡに向けてｍｍＷ帯で全方向にＢＦフレームを送信する。新規ＳＴＡは、このＳＴＡを探索するためにｍｍＷ帯を介してパッシブスキャンを開始する。ＳＴＡが発見されて新規ＳＴＡがＤＮと同期すると、新規ＳＴＡは、さらなるＤＮ  ＳＴＡを求めてアクティブスキャンを開始する。ＤＮは、新規ＳＴＡがＤＮ  ＳＴＡにプローブ要求を送信するために一部の時間を割り当て、残りの時間をＤＮ  ＳＴＡの応答に割り当てることができる。この時間は、分散方式で（分散して）割り当てることも、又は干渉を回避して他のＤＮ  ＳＴＡが自由にリスンすることを確実にするために中央コントローラを通じて割り当てることもできる。ＤＮ  ＳＴＡは、新規ＳＴＡのプローブ要求のためのスケジュールされた時点でＳＴＡを期待して自機のリソースを解放し、専用の時点で（ａｔ  ｄｅｄｉｃａｔｅｄ  ｔｉｍｅ）受け取られた場合に応答する。
【０１６３】
図３１に、複数の局ＤＮ  ＳＴＡ  Ａ５７２、ＤＮ  ＳＴＡ  Ｂ５７４、ＤＮ  ＳＴＡ  Ｃ５７６及び新規ＳＴＡ５７８の実施形態例５７０を示す。この図では、ＤＮ  ＳＴＡ  Ｂ５７４が、ＢＦフレームを全方向に送信（５８２）して新規ＳＴＡ５７８とＢＦフレームを交換（５８４）する。新規ＳＴＡとのビームフォーミング後には、新規ＳＴＡに、プローブ要求及びプローブ応答を送受信するためのチャネル使用スケジュール５８０が通知される。他のＤＮ  ＳＴＡは、この期間５８０全体を通じてスケジュールを認識し、新規ＳＴＡのフレームをリスンし、受け取られた場合に応答する。プローブ要求の送信は、全方向ビーム又は全方向性とすることができ、全ての潜在的近隣によって確実にフレームが受け取られるように必要なだけ繰り返すことができる。フレームの送信は、長期にわたるチャネルの閉塞を避けるように非伝染性とすることができる。
【０１６４】
４．９．オプションＡ：フレームフォーマット及びＷＬＡＮ実装
４．９．１  マルチバンド発見支援情報要素
図３２に、ｍｍＷ帯での発見を支援するためにｓｕｂ−６ＧＨｚ帯で動作する装置のＤＭＧ能力に関する情報を搬送するように構成された新たな情報要素の実施形態例５９０を示す。この情報要素は、以下の情報を含む。
【０１６５】
要素ＩＤ：この情報要素の識別。
【０１６６】
長さ：この情報要素の長さ。
【０１６７】
要求／応答ＤＮ発見支援：真（ｔｒｕｅ）の場合、動作クラス、帯域ＩＤ及びチャネル番号によって定められた帯域上でＳＴＡが発見支援を要求していることを示すフラグ。このフラグは、この要素を送信したＳＴＡが、動作クラス、帯域ＩＤ及びチャネル番号によって定められた帯域上でノード発見を行うための支援を提供しており、又はこのような支援を受ける用意があることを示す。偽（ｆａｌｓｅ）の場合、このフラグは、このフレームが動作クラス、帯域ＩＤ及びチャネル番号によって定められた帯域上での発見支援要求への応答であり、この要素を送信したＳＴＡが、動作クラス、帯域ＩＤ及びチャネル番号によって定められた帯域上でノード発見を行うための支援を提供しており、又はこのような支援を受ける用意があることを示す。
【０１６８】
送信トレーニングセクタ総数：この値は、この要素を送信したＳＴＡが動作クラス、帯域ＩＤ及びチャネル番号によって定められた帯域でのビームフォーミングトレーニングに使用する送信セクタの総数を示す。この数は、受信側ノードによってビームフォーミング期間の設定及びビームフォーミングパラメータの調整に利用される。
【０１６９】
受信トレーニングセクタ総数：この値は、この要素を送信したＳＴＡが動作クラス、帯域ＩＤ及びチャネル番号によって定められた帯域でのビームフォーミングトレーニングに使用する受信セクタの総数を示す。この数は、受信側ノードによってビームフォーミング期間の設定及びビームフォーミングパラメータの調整に利用される。
【０１７０】
トレーニングサイクル数：この値は、トレーニングイニシエータがトレーニングパターンを繰り返すサイクルの数を示す。この数は、受信側ノードによってビームフォーミング期間の設定及びビームフォーミングパラメータの調整に利用される。
【０１７１】
ＤＭＧアンテナ相反性（ａｎｔｅｎｎａ  ｒｅｃｉｐｒｏｃｉｔｙ）：この値は、受信側ノードによってビームフォーミング期間の設定及びビームフォーミングパラメータの調整に利用される。なお、アンテナ相反性は、送信に使用されるアンテナが受信に使用されることを前提とする。
【０１７２】
接続能力：要素（ＤＮ、ＡＰ、ＰＣＰ、ＩＢＳＳ、ＤＬＳ、ＴＤＬＳ）内に示されるチャネル及び帯域上でＳＴＡがサポートする接続能力を示す値。この値は、動作クラス、帯域ＩＤ及びチャネル番号によって定められた帯域上で設定される接続タイプを決定するために利用される。
【０１７３】
動作クラス：この値は、この要素を送信したノードが動作する、マルチバンドが適用されるチャネルの組の動作クラスを示す。この要素を受け取ったノードは、送信ノードに接続できるように帯域ＩＤをサポートすべきである。
【０１７４】
帯域ＩＤ：この値は、この要素を送信したノードが動作する動作クラスに関連する周波数帯の識別である。この要素を受け取ったノードは、送信ノードと接続できるように帯域ＩＤをサポートすべきである。
【０１７５】
チャネル番号：この値は、発見が行われるチャネルの番号を示す。この要素を送信したノードは、このチャネルを介して発見信号を送信又は受信すると見込まれる。この要素を受け取ったノードは、送信ノードと接続できるように帯域ＩＤをサポートすべきである。
【０１７６】
ＢＳＳＩＤ：この値は、ベーシックサービスセット（ＢＳＳ）のＩＤを示し、従ってＢＳＳが定められている場合には、この情報要素内に示されるチャネル及び周波数帯で動作するＢＳＳのＢＳＳＩＤである。受信側ノードは、動作クラス、帯域ＩＤ及びチャネル番号によって定められた帯域で発見を開始すると、このＢＳＳＩＤを探索する（探す）ことができる。
【０１７７】
その他のｍｍＷ発見／チャネルアクセス／スケジューリング情報（任意）：この任意の情報は、ｍｍＷ帯におけるチャネルアクセス及びスケジューリングに関連する。この情報は、受信側ノードにいつどれほどの長さの送信を行うべきかを案内し、動作クラス、帯域ＩＤ及びチャネル番号によって定められた帯域上で発見信号を期待するために使用される。
【０１７８】
４．９．２．マルチバンド発見支援要求パブリックアクションフレーム
図３３に、ｍｍＷ帯における発見を支援するためにｓｕｂ−６ＧＨｚ帯で動作する装置のＤＭＧ能力及び動作帯に関する情報を搬送するように定められた新たなパブリックアクションフレームの実施形態例６００を示す。このマルチバンド発見支援要求パブリックアクションフレームは、動作クラス、帯域ＩＤ及びチャネル番号によって定められた帯域上で発見支援を要求するために使用される。このフレームは、このフレームを送信したＳＴＡが、動作クラス、帯域ＩＤ及びチャネル番号によって定められた帯域上でノード発見を行うための支援を提供しており、又はこのような支援を受ける用意があることを示す。このアクションフレームは、８０２．１１標準で規定される、アクションフレームのタイプ及びその送信目的を示すために使用されるカテゴリフィールド及びパブリックアクションフィールドを含み、その後に既に図３２に関して定められたフィールドが続く。
【０１７９】
４．９．３．マルチバンド発見支援応答パブリックアクションフレーム
図３４に、ｍｍＷ帯における発見を支援するためにｓｕｂ−６ＧＨｚ帯で動作する装置のＤＭＧ能力及び動作帯に関する情報を搬送するように定められた新たなパブリックアクションフレームの実施形態例６１０を示す。このフレームは、マルチバンド発見支援要求パブリックアクションフレームを受け取ったことに対する応答である。このフレームは、動作クラス、帯域ＩＤ及びチャネル番号によって定められた帯域上での発見支援に対する承認を示し、従って動作クラス、帯域ＩＤ及びチャネル番号によって定められた帯域上でノード発見を支援することを申し出た、このフレームを送信したＳＴＡからのオファーを承諾するために利用される。応答フレームは、他方側の状態を示すための要求と同じ情報を含むことができるので、このアクションフレームは、図３３に示すものと同じフィールドを含む。しかしながら、このフレームが要求ではなく応答に関連するものであることを示すようにフレームタイプは異なる。典型的な実装では、要求及び／又は応答からいくつかのフィールドを省略することもできるが、この実施形態には一般化のために全てを追加した。
【０１８０】
４．９．４．ＤＭＧ能力要素の考えられる修正
ｓｕｂ−６ＧＨｚ帯を介してＤＭＧ能力要素が送信され、この要素と共にマルチバンド要素が送信される場合には、ＤＭＧ能力要素を利用してｍｍＷ帯での発見に関連するＤＭＧ能力に関する情報を伝えることができる。
【０１８１】
発見のためのＤＮ支援オファー又は要求を表す１ビットを追加する必要がある。この１ビットは、ＤＭＧ能力がこの帯域向けではなく、マルチバンド要素内に定められる他の帯域向けであることも示す。この要素は、通常のＷＬＡＮ  ８０２．１１フレームと共に送信できるべきである。
【０１８２】
図３５に、ＤＭＧ能力情報要素の実施形態例６２０を示す。このフレームは、Ｅｌｅｍｅｎｔ（要素）ＩＤ、Ｌｅｎｇｔｈ（長さ）、ＳＴＡアドレス、ＡＩＤ、ＤＭＧ  ＳＴＡ能力情報、ＤＭＧ  ＡＰ又はＰＣＰ能力情報、ＤＭＧ  ＳＴＡビーム追跡制限時間、拡張ＳＣ  ＭＣＳ能力、Ａ−ＭＳＤＵ内の基本的Ａ−ＭＳＤＵサブフレームの最大数、及びＡ−ＭＳＤＵ内の短いＡ−ＭＳＤＵサブフレームの最大数、というフィールドを有する。これらのフィールドはＩＥＥＥ  ８０２．１１からのものであるため、さらには説明しない。
【０１８３】
図３６Ａ〜図３６Ｃに、５ＤＭＧ  ＳＴＡ能力情報フィールドの実施形態例６３０、６４０及び６５０を示す。これらのフィールドはＩＥＥＥ  ８０２．１１からのものであるため、さらには説明しない。
【０１８４】
本開示の好ましい実施形態では、ｍｍＷ発見支援要求又はオファーに対するｓｕｂ−６ＧＨｚの指示として図３６ＣのＢ６２のデータが利用されている。一例として、このビットが第１の状態（例えば、１）に設定されている場合、マルチバンド要素の利用可能性が真であることに加え、ノードがｍｍＷで動作中であってｍｍＷ発見支援を要求／オファーすることを意味する。
【０１８５】
４．９．５．マルチバンド発見支援要求及び応答アクションフレームの使用
図３７Ａ〜図３７Ｃに、新規ＳＴＡとＤＮ  ＳＴＡとの間でｓｕｂ−６ＧＨｚ通信を使用してＭＢ発見支援フレームを送信する様々な事例を示す実施形態例６７０、６８０、６９０を示す。以下の事例は、一方のＷＬＡＮ装置から他方のＷＬＡＮ装置へのマルチバンド発見支援要求の送信を引き起こすものである。
【０１８６】
図３７Ａの例６７０は、マルチバンド情報要素（ＭＢ  ＩＥ）を含むビーコンフレームの受信を示す。ノードは、この要素内に定められた帯域上で接続を形成することに関心があり、新規局は、ＭＢ発見要求を送信してＭＢ発見応答を受信し、それぞれの側がｍｍＷ  ＭＬＭＥを開始する。
【０１８７】
図３７Ｂの例３８０は、新規ＳＴＡがＭＢ  ＩＥを含むプローブ要求を送信し、ＤＮ  ＳＴＡがＭＢ  ＩＥを含むプローブ応答でこれに応答する様子を示す。新規ＳＴＡは、このマルチバンド能力要素（ＭＢ  ＩＥ）を含むプローブ応答フレームを受け取るとＭＢ発見要求を送信し、これにＤＮ  ＳＴＡがＭＢ発見応答で応答し、その後にそれぞれの側がｍｍＷ  ＭＬＭＥを開始する。
【０１８８】
図３７Ｃの例３９０は、新規ノードがノードのアクティブスキャンとしてマルチバンド発見支援要求をブロードキャストし、ノードがこのフレームを受け取ってマルチバンド発見支援応答を返送し、その後にそれぞれの側がｍｍＷ  ＭＬＭＥを開始する様子を示す。
【０１８９】
これらの事例では、ＤＮ  ＳＴＡがマルチバンド発見支援要求を受け取ると、開始側にマルチバンド発見支援応答フレームを返送する。フレーム交換が完了すると、両ＳＴＡ内のｓｕｂ−６ＧＨｚ  ＭＬＭＥがｍｍＷ  ＭＬＭＥにｍｍＷ発見を始動（開始）するように通知する。
【０１９０】
なお、少なくとも１つの実施形態では、ｓｕｂ−６ＧＨｚ帯上のＳＴＡが、あらゆるセキュリティ上の問題を回避するために、ｍｍＷ  ＭＬＭＥの開始前に最初に新規ノードを認証するように構成されると理解されたい。この認証は、ＭＢ発見要求の受信後、又はｓｕｂ−６ＧＨｚ帯における新規ＳＴＡの発見時に行うことができる。
【０１９１】
４．９．６．ＷＬＡＮ実装
４．９．６．１．ｓｕｂ−６ＧＨｚパッシブｍｍＷ発見
図３８Ａ〜図３８Ｃに、ｓｕｂ−６ＧＨｚ帯におけるビーコン送信オプション例７１０、７２０及び７３０を示す。図３８Ａの実施形態７１０では、マルチバンド発見支援情報要素と共にビーコンが送信される。図３８Ｂの実施形態７２０では、修正されたＤＭＧ能力情報要素及びマルチバンド情報要素と共にビーコンが送信される。図３８Ｃの実施形態７３０では、マルチバンド情報のみと共にビーコンが送信される。
【０１９２】
ビーコンを受け取った新規ノードは、相手側ノードのマルチバンド能力に関する情報を取得する。新規ノードは、ＤＮノードに応答して自機の存在及びｍｍＷ帯での発見支援要求をＤＮノードに通知する。
【０１９３】
応答は、以下を含む複数の異なる方法で行うことができる。（ａ）マルチバンド発見支援要求パブリックアクションフレームをＤＮノードに送信することによって応答を行う。（ｂ）マルチバンド発見支援情報要素（ＤＡ  ＩＥ）をプローブ要求フレームに追加し、これをＤＮノードに送信することによって応答を行う。（ｃ）マルチバンド発見支援情報要素（ＤＡ  ＩＥ）をアソシエーション要求又は再アソシエーション要求フレームに追加し、これをＤＮノードに送信することによって応答を行う。（ｄ）修正されたＤＭＧ能力情報要素及びマルチバンド情報要素をプローブ要求フレームに追加し、これをＤＮノードに送信することによって応答を行う。（ｅ）修正されたＤＭＧ能力情報要素及びマルチバンド情報要素をアソシエーション要求フレーム又は再アソシエーション要求に追加し、これをＤＮノードに送信することによって応答を行う。
【０１９４】
ＤＮノードのｓｕｂ−６ＧＨｚ  ＭＬＭＥは、これらのフレームのいずれかを受け取ると、ビーコンがＤＮノードのＤＭＧ能力又はマルチバンド発見支援要素を既に含んでいた場合、ｍｍＷ帯で発見を開始する旨をｍｍＷ  ＭＬＭＥにメッセージを通じて直接通知し、ｍｍＷ  ＭＬＭＥに新規ノードのＤＭＧ能力を転送することができる。
【０１９５】
ＤＮノードのｓｕｂ−６ＧＨｚビーコンがＤＭＧ能力要素又はマルチバンド発見支援要素を含んでいなかった場合、ＤＮ  ｓｕｂ−６ＧＨｚ  ＳＴＡは、新規ＳＴＡに応答して新規ＳＴＡに自機のｍｍＷ帯能力を通知する必要がある。ＤＮノードのｓｕｂ−６ＧＨｚ  ＭＬＭＥは、ｍｍＷ帯で発見を開始する旨をｍｍＷ  ＭＬＭＥにメッセージを通じて直接通知し、新規ノードに応答を送信した後にｍｍＷ  ＭＬＭＥに新規ノードのＤＭＧ能力を転送することができる。
【０１９６】
この応答は、限定するわけではないが、以下に例示する複数の方法で行うことができる。（ａ）マルチバンド発見支援要求パブリックアクションフレームが受け取られた場合、マルチバンド発見支援応答パブリックアクションフレームをＤＮノードに送信することによって応答する。（ｂ）マルチバンド発見支援情報要素を含むプローブ要求が受け取られた場合、この情報要素を含むプローブ応答を送信することによって応答する。（ｃ）マルチバンド発見支援情報要素を含むアソシエーション要求又は再アソシエーション要求が受け取られた場合、この情報要素を含むアソシエーション／再アソシエーション応答を送信することによって応答する。（ｄ）修正されたＤＭＧ能力情報要素及びマルチバンド情報要素を含むプローブ要求が受け取られた場合、これらの情報要素を含むプローブ要求フレームへのプローブ応答を送信することによって応答する。（ｅ）修正されたＤＭＧ能力情報要素及びマルチバンド情報要素を含むアソシエーション／再アソシエーション要求が受け取られた場合、これらの情報要素を含むプローブ要求フレームへのアソシエーション／再アソシエーション応答を送信することによって応答する。
【０１９７】
図３９Ａ〜図３９Ｃ及び図４０Ａ〜図４０Ｃに、これらの実施形態例７４０、７５０、７６０、７７０、７８０及び７９０を示す。なお、各事例では、発見支援情報要素（ＤＡ  ＩＥ）の使用が、修正されたＤＭＧ能力及びマルチバンド情報（ＭＢ  ＩＥ）要素の使用と常に同等であると理解されたい。
【０１９８】
図３９Ａ〜図３９Ｃの各々では、ＤＮ  ＳＴＡからマルチバンド情報要素（ＭＢ  ＩＥ）を含むビーコンが送信される。これに応答して、新規ＳＴＡは、図３９Ａではアソシエーション要求を、図３９ＢではＭＢ発見支援要求を、図３９ＣではＤＡ  ＩＥを含むプローブ要求を送信する。これに応答して、新規ＳＴＡは、送信された要求のタイプにＤＡ  ＩＥを含めて応答する。交換後、それぞれの側がｍｍＷ  ＭＬＭＥを開始する。
【０１９９】
４．９．６．２．ｓｕｂ−６ＧＨｚアクティブｍｍＷ発見
本開示のプローブ要求は、以下のような複数のオプションと共に新規ＳＴＡからｓｕｂ−６ＧＨｚ帯で送信される。（ａ）プローブ要求が、マルチバンド発見支援情報要素（ＤＡ  ＩＥ）と共に送信される。（ｂ）プローブ要求が、修正されたＤＭＧ能力情報要素及びマルチバンド情報要素と共に送信される。（ｃ）プローブ要求が、マルチバンド情報要素のみと共に送信される。
【０２００】
プローブ要求を受け取ったＳＴＡは、相手側ノードのマルチバンド能力に関する情報を受け取る。ＤＮノードは、新規ノードに応答して自機の存在を新規ＳＴＡに通知し、ｍｍＷ帯における発見支援をオファーする。
【０２０１】
プローブ要求への応答は、本開示に従って以下の方法のうちの１つで行われることが好ましい。（ａ）マルチバンド発見支援情報要素を含むプローブ要求が受け取られた場合、プローブ応答フレームにマルチバンド発見支援情報要素を追加し、これを新規ノードに送信することによってプローブ要求に応答する。（ｂ）修正されたＤＭＧ能力情報要素及びマルチバンド情報要素を含むプローブ要求が受け取られた場合、プローブ応答フレームに修正されたＤＭＧ能力情報要素及びマルチバンド情報要素を追加し、これを新規ノードに送信することによってプローブ要求に応答する。（ｃ）マルチバンド情報要素のみを含むプローブ要求が受け取られた場合、プローブ応答にマルチバンド情報要素を追加し、これを新規ノードに送信することによってプローブ要求に応答する。これにより、新規ノードとＤＮノードとの間でマルチバンド発見要求及び応答パブリックアクションフレームの交換が引き起こされるはずである。
【０２０２】
これらのフレーム交換のいずれかが完了すると、ＤＮノードのｓｕｂ−６ＧＨｚ  ＭＬＭＥは、ｍｍＷ帯で発見を開始する旨をｍｍＷ  ＭＬＭＥにメッセージを通じて直接通知し、ｍｍＷ  ＭＬＭＥに新規ノードのＤＭＧ能力を転送することができる。
【０２０３】
図４０Ａ〜図４０Ｃの各々では、新規局が、発見支援（ＤＡ）要求を含む通信を送信することによって動作を開始する。図４０Ａでは、ＤＡ  ＩＥと共にプローブ要求が送信され、図４０ＢではＭＢ発見支援要求が送信され、図４０ＣではＭＢ  ＩＥと共にプローブ要求が送信される。従って、本開示によれば、新規ＳＴＡは、アクティブマルチバンド発見支援を模索し、その後に応答が受け取られるのを待つ。図４０Ｂでは、ノードがｓｕｂ−６ＧＨｚ上で他のＤＮノードとの接続を形成することに関心がない場合、このＭＢ  ＤＡを、プローブ要求及びプローブ応答フレームの交換を伴わずに行うことができる。これに応答して、ＤＮ  ＳＴＡは、送信された要求のタイプにＤＡ  ＩＥ又はＭＢ  ＩＷを含めて応答する。なお、図４０Ｃでは、プローブ交換後にＭＢ支援要求及び応答の交換が行われる。これらの交換後に、両方の側がｍｍＷ  ＭＬＭＥを開始する。
【０２０４】
４．９．６．３．ｓｕｂ−６ＧＨｚ帯ＯＣＴ  ｍｍＷ発見
前節で言及したように、新規ノードは、ｓｕｂ−６ＧＨｚ帯でＤＮノードとのリンクを形成し、このＤＮノードへの関連付けを行う。ＤＮノードのマルチバンド能力は、ビーコンフレーム又は他の管理フレームでブロードキャストされるので、新規ノードによって認識される。
【０２０５】
図４１に、ｓｕｂ−６ＧＨｚ  ＯＣＴ  ｍｍＷ発見を実行する実施形態例８１０を示す。図では、トンネリングされた発見支援要求（ＭＬＭＥ−ＯＣＴ．ｒｅｑｕｅｓｔ）フレームがｍｍＷ  ＭＬＭＥからｓｕｂ−６ＧＨｚ  ＭＬＭＥに送信され、ｓｕｂ−６ＧＨｚ  ＭＬＭＥが、ＤＮ  ＳＴＡのｓｕｂ−６ＧＨｚ  ＭＬＭＥにＯＣＴ要求フレームを送信し、ＤＮ  ＳＴＡのｓｕｂ−６ＧＨｚ  ＭＬＭＥが、そのｍｍＷ  ＭＬＭＥにＭＬＭＥ  ＯＣＴ指標を送信し、ｍｍＷ  ＭＬＭＥが応答を戻す。ＤＮノードのｓｕｂ−６ＧＨｚ  ＭＬＭＥは、ＤＮノードのｓｕｂ−６ＧＨｚ  ＭＬＭＥにＯＣＴ応答フレームを送信することによって応答し、ＤＮノードのｓｕｂ−６ＧＨｚ  ＭＬＭＥは、新規ノードのｓｕｂ−６ＧＨｚ  ＭＬＭＥにオンチャネルトンネル応答フレームを送信し、次にこのオンチャネルトンネル応答フレームがＯＣＴ確認としてｍｍＷ  ＭＬＭＥに転送され、ｍｍＷ  ＭＬＭＥが、ＤＮ  ＳＴＡと共にｍｍＷ発見を開始する。
【０２０６】
従って、新規ノードのｍｍＷ  ＭＬＭＥが、新規ノードのｓｕｂ−６ＧＨｚ  ＭＬＭＥとの間でＯＣＴ  ＭＬＭＥ要求を開始し、ＯＣＴ要求に関連するＭＭＰＤＵとしてマルチバンド発見支援要求パブリックアクションフレームを送信することが分かる。新規ノードのｓｕｂ−６ＧＨｚ  ＭＬＭＥは、ＤＮノードのｓｕｂ−６ＧＨｚ  ＭＬＭＥに、ＯＣＴ要求と、これに関連してマルチバンド発見支援要求パブリックアクションフレームとを送信する。ＤＮノードのｓｕｂ−６ＧＨｚ  ＭＬＭＥは、ＤＮノードのｍｍＷ  ＭＬＭＥに、ＯＣＴ要求と、これに関連してマルチバンド発見支援要求パブリックアクションフレームとを転送する。ＤＮノードのｍｍＷ  ＭＬＭＥは、ＤＮノードのｓｕｂ−６ＧＨｚ  ＭＬＭＥとの間でＯＣＴ  ＭＬＭＥ要求を開始して応答を送信する。この応答は、ＯＣＴ要求に関連するＭＭＰＤＵとしてのマルチバンド発見支援応答パブリックアクションフレームである。ＤＮノードのｓｕｂ−６ＧＨｚ  ＭＬＭＥは、新規ノードのｓｕｂ−６ＧＨｚ  ＭＬＭＥに、ＯＣＴ要求と、これに関連してマルチバンド発見支援応答パブリックアクションフレームとを送信する。
【０２０７】
新規ノードのｓｕｂ−６ＧＨｚ  ＭＬＭＥは、新規ノードのｍｍＷ  ＭＬＭＥに、ＭＬＭＥ  ＯＣＴ指標と、これに関連してマルチバンド発見支援応答パブリックアクションフレームとを転送する。このハンドシェークの完了後、ＤＮノード及び新規ノードは、ｍｍＷ帯に切り替えて発見手順を開始する。
【０２０８】
図４２に、関連する発見支援要求フレームを含むオンチャネルトンネル（ＯＣＴ）要求フレームの実施形態例８３０を示す。Ｃａｔｅｇｏｒｙ（カテゴリ）、ＦＳＴ  Ａｃｔｉｏｎ（ＦＳＴアクション）（高速セッション転送を表すＦＳＴと共にＩＥＥＥ８０２．１１標準で規定されるフレームのタイプ）、Ｔｕｎｎｅｌｅｄ  ＭＭＤＰＵ（トンネリングされたＭＭＰＤＵ）フレーム制御、Ｄｉｓｃｏｖｅｒｙ  Ａｓｓｉｓｔａｎｃｅ（発見支援）要求フレーム及びマルチバンド要素などのフィールドを示す。
【０２０９】
図４３に、関連する発見支援応答フレームを含むオンチャネルトンネル（ＯＣＴ）応答フレームの実施形態例８４０を示す。なお、この図には、添付された発見支援応答フレームを含む応答フレームを示しているのに対し、図４２のＯＣＴ要求フレームは、発見支援要求フレームを含む。
【０２１０】
４．９．オプションＢのフレームフォーマット及びＷＬＡＮ実装
４．１０．１．マルチバンド要素の考えられる修正
図４４Ａ及び図４４Ｂに、Ｅｌｅｍｅｎｔ（要素）ＩＤ、Ｌｅｎｇｔｈ（長さ）、Ｍｕｌｔｉ−ｂａｎｄ  Ｃｏｎｔｒｏｌ（マルチバンド制御）、Ｂａｎｄ（帯域）ＩＤ、Ｏｐｅｒａｔｉｎｇ  Ｃｌａｓｓ（動作クラス）、Ｃｈａｎｎｅｌ  Ｎｕｍｂｅｒ（チャネル番号）、ＢＳＳＩＤ、Ｂｅａｃｏｎ  Ｉｎｔｅｒｖａｌ（ビーコン間隔）、ＴＳＦ  Ｏｆｆｓｅｔ（ＴＳＦオフセット）、Ｍｕｌｔｉ−ｂａｎｄ  Ｃｏｎｎｅｃｔｉｏｎ  Ｃａｐａｂｉｌｉｔｙ（マルチバンド接続能力）、ＦＳＴ  Ｓｅｓｓｉｏｎ  Ｔｉｍｅｏｕｔ（ＦＳＴセッションタイムアウト）、ＳＴＡ  ＭＡＣアドレス（任意）、Ｐａｉｒｗｉｓｅ  Ｃｉｐｈｅｒ  Ｓｕｉｔｅ  Ｃｏｕｎｔ（ペア暗号スイートカウント）（任意）及びＰａｉｒｗｉｓｅ  Ｃｉｐｈｅｒ  Ｓｕｉｔｅ  Ｌｉｓｔ（ペア暗号スイートリスト）（任意）として示すフィールドを有するマルチバンド要素の実施形態例８５０、８６０を示す。この図では、ペア暗号スイートリストのための複数の「ｍ」個のフィールドを含めることができることが分かる。
【０２１１】
図４５に、ＳＴＡ  Ｒｏｌｅ（ＳＴＡロール）、ＳＴＡ  ＭＡＣ  Ａｄｄｒｅｓｓ  Ｐｒｅｓｅｎｔ（ＳＴＡ  ＭＡＣアドレスの存在）、Ｐａｉｒｗｉｓｅ  Ｃｉｐｈｅｒ  Ｓｕｉｔｅ  Ｐｒｅｓｅｎｔ（ペア暗号スイートの存在）、Ｄｉｓｃｏｖｅｒｙ  Ａｓｓｉｓｔａｎｃｅ  Ｅｎａｂｌｅｄ（発見支援有効化）及び予備フィールドを有する、図４４Ａ及び図４４Ｂに示すマルチバンド要素の制御フィールドを示す。
【０２１２】
このオプションＢのフレームフォーマットでは、マルチバンド制御フィールドのＢ５に新たなフィールドが追加されることによって予備ビットが３ビットから２ビットに減少している。発見支援有効化サブフィールドは、帯域ＩＤ、動作クラス及びチャネル番号サブフィールドによって定められた帯域上でＢＳＳＩＤサブフィールドによって定められるＢＳＳの発見支援トリガをＳＴＡがサポートしているかどうかを示す。発見支援有効化サブフィールドが１に設定されている場合、このマルチバンド要素を送信したＳＴＡは、帯域ＩＤ、動作クラス及びチャネル番号サブフィールドによって定められた帯域上でＢＳＳＩＤサブフィールドによって定められるＢＳＳの発見支援をサポートしている。発見支援有効化サブフィールドが０に設定されている場合、このマルチバンド要素を送信したＳＴＡは、帯域ＩＤ、動作クラス及びチャネル番号サブフィールドによって定められた帯域上でＢＳＳＩＤサブフィールドによって定められるＢＳＳの発見支援をサポートしていない。発見支援有効化ビットが有効である場合、このビットは、この要素を受け取ったＳＴＡにおいてＳＴＡ発見支援手順を引き起こすために使用される。このビットが有効である場合、この要素を受け取ったＳＴＡは、この要素を送信したＳＴＡに発見支援を要求することができる。
【０２１３】
４．１０．２．４．マルチバンド発見支援要求要素
図４６Ａ及び図４６Ｂに、マルチバンド発見支援要素要求フォーマットの実施形態例８８０、８９０を示す。マルチバンド発見支援要求要素は、ＳＴＡ識別子と、識別帯域における発見支援及び識別帯域における能力のサポートを広告するために使用される複数のフィールドとを含む。この要素は、発見トリガ要求フレーム内に存在し、プローブ要求、アソシエーション要求及び再アソシエーション要求内に存在することができる。
【０２１４】
マルチバンド発見支援要求要素は、以下のフィールドを含む。Ｅｌｅｍｅｎｔ（要素）ＩＤフィールド及びＬｅｎｇｔｈ（長さ）フィールドは、要素のＩＤ及びその長さを定める。図４７に、Ｄｉｓｃｏｖｅｒｙ  Ａｓｓｉｓｔａｎｃｅ  Ｒｅｑｕｅｓｔ  Ｃｏｎｔｒｏｌ（発見支援要求制御）フィールドのフォーマットを示す。この要素は、ＳＴＡ  ＭＡＣアドレス、Ｎｕｍｂｅｒ  ｏｆ  ＴＸ  Ｔｒａｉｎｉｎｇ  Ｓｅｃｔｏｒｓ（ＴＸトレーニングセクタ数）フィールド、Ｎｕｍｂｅｒ  ｏｆ  ＲＸ  Ｔｒａｉｎｉｎｇ  Ｓｅｃｔｏｒｓ（ＲＸトレーニングセクタ数）フィールド、Ａｎｔｅｎｎａ  Ｒｅｃｉｐｒｏｃｉｔｙ（アンテナ相反性）フィールド、Ｂａｎｄ（帯域）ＩＤ、Ｏｐｅｒａｔｉｎｇ  Ｃｌａｓｓ（動作クラス）（任意）、Ｃｈａｎｎｅｌ  Ｎｕｍｂｅｒ（チャネル番号）（任意）、ＢＳＳＩＤ（任意）、Ｓｃａｎｎｉｎｇ  Ｍｏｄｅ（スキャンモード）（任意）、Ｄｉｓｃｏｖｅｒｙ  Ａｓｓｉｓｔａｎｃｅ  Ｗｉｎｄｏｗ  Ｌｅｎｇｔｈ  Ｒｅｑｕｅｓｔ（発見支援ウィンドウ長要求）（任意）、及び予備フィールドも含む。
【０２１５】
ＳＴＡアドレスフィールドは、ｍｍＷ帯で使用される周波数例である６０ＧＨｚ帯におけるＳＴＡのＭＡＣアドレスを含む。ＳＴＡアドレスは、要求が受け入れられて認証目的である場合に６０ＧＨｚ帯でＳＴＡのアイデンティティを検証するために使用される。
【０２１６】
ＴＸトレーニングセクタ数サブフィールドは、ＳＴＡが送信セクタスイープにおいて使用する送信セクタを全てのＤＭＧアンテナにわたって組み合わせた総数を示し、ＤＭＧアンテナ切り替えに必要なあらゆるＬＢＩＦＳ（ＬＢＩＦＳ−ＩＥＥＥ  ８０２．１１標準で規定されるビームフォーミングフレーム間の間隔を表す長期ビームフォーミングフレーム間間隔）を含む。このサブフィールドの値は１〜１２８であり、値はビット表現＋１に等しい。ＤＮ  ＳＴＡ（この要素の受信側）は、このフィールドを使用してビームフォーミング期間の長さを計算し、ビームフォーミングパラメータを調整し、新規ＳＴＡが各方向をスキャンする時間を推定し、ビームフォーミングフレーム又はビーコンを送信する周期及び速度を決定する。
【０２１７】
ＲＸトレーニングセクタ数サブフィールドは、ＳＴＡの全ての受信ＤＭＧアンテナにわたって組み合わせた受信セクタの総数を示し、ＤＭＧアンテナ切り替えに必要なあらゆるＬＢＩＦＳを含む。このサブフィールドによって表される値は２〜１２８であり、（ＲＸＳＳ長＋１）×２によって与えられる。ＤＮ  ＳＴＡ（この要素の受信側）は、このフィールドを使用して、ビームフォーミング期間の長さを計算し、ビームフォーミングパラメータを調整し、新規ＳＴＡが各方向をスキャンする時間を推定し、ビームフォーミングフレーム又はビーコンを送信する周期及び速度を決定する。
【０２１８】
ＤＭＧアンテナ相反性サブフィールドは、ＳＴＡの最良の送信ＤＭＧアンテナがＳＴＡの最良の受信ＤＭＧアンテナと同じもの及びこの逆であり、１に設定されると、アンテナ重みベクトル（ＡＷＶ）に関連する送信アンテナパターンが同じＡＷＶの受信アンテナパターンと同じものであることを示す。そうでなければ、このサブフィールドは０に設定される。アンテナ相反性フィールドが設定されている場合、ＤＮ  ＳＴＡは、そのアンテナにも相反性がある場合には１方向のみのビームフォーミング（送信又は受信ビームフォーミング）をスケジュールする。設定されていない場合、ＤＮ  ＳＴＡは、送信及び受信ビームを、独立してビームフォーミングを行うようにスケジュールすべきである。
【０２１９】
帯域ＩＤフィールドは、動作クラス及びチャネル番号フィールドに関連する周波数帯の識別を提供する。
【０２２０】
動作クラスは、マルチバンド要素が適用されるチャネルの組を示す。動作クラス及びチャネル番号は、共にマルチバンド要素が適用されるチャネルの周波数及び間隔を指定する。このフィールドは、０に設定されると、帯域ＩＤフィールドの値によって指定される周波数帯内の全ての動作クラスを示す。
【０２２１】
チャネル番号フィールドは、送信側ＳＴＡが動作中又は動作予定のチャネルの番号に設定される。このフィールドは、０に設定されると、帯域ＩＤフィールドの値によって指定される周波数帯内の全てのチャネルを示す。
【０２２２】
帯域ＩＤ、動作クラス及びチャネル番号は、要求された発見支援の動作周波数及び帯域を識別する。この要求を受け取ったＤＮ  ＳＴＡは、要求を受け入れる場合、この帯域及び周波数上で発見支援手順を開始することを通じて発見支援を行う。
【０２２３】
ＢＳＳＩＤフィールドは、チャネル番号及び帯域ＩＤフィールドによって示されるチャネル及び周波数上で動作するＢＳＳのＢＳＳＩＤを指定する。要求を受け入れる場合、ＤＮ  ＳＴＡは、このＢＳＳＩＤによって識別されたＢＳＳの発見支援手順を開始することを通じてこのＢＳＳ上で発見支援を行うべきである。
【０２２４】
スキャンモードサブフィールドは、この要素の送信側によって確認されるスキャンモードを示す。０１（２進）の値は、この要素を送信したＳＴＡがパッシブスキャンの発見支援を行うことを示す。１０（２進）の値は、この要素を送信したＳＴＡがアクティブスキャンの発見支援を行うことを示す。１１（２進）の値は、この要素を送信したＳＴＡがＴＤＤチャネルアクセスの発見支援を行うことを示す。００（２進）の値は予備である。要求が受け入れられてスキャンモードがパッシブである場合、ＤＮ  ＳＴＡは、識別帯域上でビームフォーミングフレーム又はビーコンを送信する。要求が受け入れられてスキャンモードがアクティブである場合、新規ＳＴＡは、識別帯域上でプローブ要求又はビームフォーミングフレームを送信する。アクセスモードがＴＤＤである場合、ＤＮ  ＳＴＡは、ＴＤＤアクセスモードでビームフォーミングフレームを送信する。
【０２２５】
発見支援（支援）ウィンドウ長要求フィールドは、ＴＵ単位の発見支援ウィンドウ長を含む。要求が受け入れられた場合、新規ＳＴＡは、要求されたウィンドウ長に等しい期間にわたってｍｍＷ帯をスキャンし、又はｍｍＷ帯でビームフォーミングフレームを送信する。要求が受け入れられた場合、ＤＮ  ＳＴＡは、要求されたウィンドウ長に等しい期間にわたってｍｍＷ帯をスキャンし、又はｍｍＷ帯でビームフォーミングフレームを送信する。
【０２２６】
図４７に、図４６に示す発見支援要求の制御フィールドフォーマットの実施形態例９００を示す。ＢＳＳＩＤ情報存在サブフィールドは、発見支援要求要素内にＢＳＳＩＤ情報サブフィールド（帯域ＩＤ、動作クラス、チャネル番号及びＢＳＳＩＤ）が存在するかどうかを示す。ＢＳＳＩＤ情報存在サブフィールドが１に設定されている場合には、帯域ＩＤ、動作クラス、チャネル番号及びＢＳＳＩＤサブフィールドが存在する。ＢＳＳＩＤ情報存在サブフィールドが０に設定されている場合には、帯域ＩＤ、動作クラス、チャネル番号及びＢＳＳＩＤサブフィールドが存在しない。
【０２２７】
スキャンモード存在サブフィールドは、発見支援要求要素内にスキャンモードが存在するかどうかを示す。スキャンモード存在サブフィールドが１に設定されている場合には、スキャンモードサブフィールドが存在する。スキャンモード存在サブフィールドが０に設定されている場合には、スキャンモードサブフィールドが存在しない。
【０２２８】
発見支援ウィンドウ長要求存在サブフィールドは、発見支援要求要素内に発見支援ウィンドウ長要求が存在するかどうかを示す。発見支援ウィンドウ長要求存在サブフィールドが１に設定されている場合には、発見支援ウィンドウ長要求サブフィールドが存在する。発見支援ウィンドウ長要求存在サブフィールドが０に設定されている場合には、発見支援ウィンドウ長要求サブフィールドが存在しない。
【０２２９】
４．１０．３．マルチバンド発見支援応答要素
図４８Ａ及び図４８Ｂに、ＳＴＡ識別子と、識別帯域における発見支援要求及び識別帯域における能力に応答するために使用される複数のフィールドとを含む、マルチバンド発見支援応答要素の実施形態例９１０、９２０を示す。この要素は、Ｄｉｓｃｏｖｅｒｙ  Ｔｒｉｇｇｅｒ  Ｒｅｓｐｏｎｓｅ（発見トリガ応答）フレーム内に存在し、ビーコン、プローブ応答、アソシエーション応答及び再アソシエーション応答内に存在することができる。マルチバンド発見支援応答要素の少なくとも１つの実施形態は、以下のようにフォーマットされる。
【０２３０】
要素ＩＤフィールド及び長さフィールドは、要素のＩＤ及びその長さを定める。Ｄｉｓｃｏｖｅｒｙ  Ａｓｓｉｓｔａｎｃｅ  Ｒｅｓｐｏｎｓｅ  Ｍａｐ（発見支援応答マップ）フィールドは、発見支援要求の応答を指定する。以下、発見支援応答マップフィールドの可能値を示す。
【０２３１】
００：帯域ＩＤ、動作クラス、チャネル番号及びＢＳＳＩＤによって定められた帯域上での発見支援要求を他の理由で拒絶する。この要素を受け取ったＳＴＡは、発見支援手順を中断して任意に再スタートする必要がある。
【０２３２】
１０：帯域ＩＤ、動作クラス、チャネル番号及びＢＳＳＩＤによって定められた帯域上での発見支援要求を受け入れる。この情報要素を受け取ったＳＴＡは、要素内の情報を処理して発見支援手順を継続する。この手順は、ビームフォーミングフレーム又はビーコンの送信又は受信を含む。
【０２３３】
０１：帯域ＩＤ、動作クラス、チャネル番号及びＢＳＳＩＤによって定められた帯域上での発見支援要求を無認可アクセスとの理由で拒絶する。この要素を受け取ったＳＴＡは、発見支援手順を中断して任意に再スタートする必要がある。
【０２３４】
１１：帯域ＩＤ、動作クラス、チャネル番号及びＢＳＳＩＤによって定められた帯域上での発見支援機能を、スキャンモードがサポートされていないとの理由で拒絶する。この要素を受け取ったＳＴＡは、発見支援手順を中断して任意に再スタートする必要がある。
【０２３５】
ＳＴＡアドレスフィールドは、６０ＧＨｚ帯におけるＳＴＡのＭＡＣアドレスを含む。ＳＴＡアドレスは、要求が受け入れられて認証目的である場合に６０ＧＨｚ帯でＳＴＡのアイデンティティを検証するために使用される。
【０２３６】
ＴＸトレーニングセクタ数サブフィールドは、ＳＴＡが送信セクタスイープにおいて使用する送信セクタを全てのＤＭＧアンテナにわたって組み合わせた総数を示し、ＤＭＧアンテナ切り替えに必要なあらゆるＬＢＩＦＳを含む。このサブフィールドの値は１〜１２８であり、値はビット表現＋１に等しい。新規ＳＴＡは、このフィールドを使用してビームフォーミング期間の長さを計算し、ビームフォーミングパラメータを調整し、新規ＳＴＡが各方向をスキャンする時間を推定し、ビームフォーミングフレーム又はビーコンを送信する周期及び速度を決定する。
【０２３７】
ＲＸトレーニングセクタ数サブフィールドは、ＳＴＡの全ての受信ＤＭＧアンテナにわたって組み合わせた受信セクタの総数を示し、ＤＭＧアンテナ切り替えに必要なあらゆるＬＢＩＦＳを含む。このサブフィールドによって表される値は２〜１２８であり、（ＲＸＳＳ長＋１）×２によって与えられる。新規ＳＴＡは、このフィールドを使用して、ビームフォーミング期間の長さを計算し、ビームフォーミングパラメータを調整し、新規ＳＴＡが各方向をスキャンする時間を推定し、ビームフォーミングフレーム又はビーコンを送信する周期及び速度を決定する。
【０２３８】
ＤＭＧアンテナ相反性サブフィールドは、ＳＴＡの最良の送信ＤＭＧアンテナがＳＴＡの最良の受信ＤＭＧアンテナと同じもの及びこの逆であり、１に設定されると、ＡＷＶに関連する送信アンテナパターンが同じＡＷＶの受信アンテナパターンと同じものであることを示す。そうでなければ、このサブフィールドは０に設定される。新規ＳＴＡは、この値に応じて、送信ビーム又は受信ビームのみのビームフォーミング（相反性が有効である場合）を行い、或いは相反性が有効でない場合には送信ビーム及び受信ビームの両方のビームフォーミングを行う。
【０２３９】
帯域ＩＤフィールドは、動作クラス及びチャネル番号フィールドに関連する周波数帯の識別を提供する。
【０２４０】
動作クラスは、マルチバンド要素が適用されるチャネルの組を示す。動作クラス及びチャネル番号は、共にマルチバンド要素が適用されるチャネルの周波数及び間隔を指定する。付属書類Ｅに、動作クラスの有効値を示す。このフィールドは、０に設定されると、帯域ＩＤフィールドの値によって指定される周波数帯内の全ての動作クラスを示す。
【０２４１】
チャネル番号フィールドは、送信側ＳＴＡが動作中又は動作予定のチャネルの番号に設定される。このフィールドは、０に設定されると、帯域ＩＤフィールドの値によって指定される周波数帯内の全てのチャネルを示す。
【０２４２】
帯域ＩＤ、動作クラス及びチャネル番号は、発見支援の動作周波数及び帯域を識別する。この応答を受け取ったＳＴＡは、要求が受け入れられた場合、この帯域及び周波数上での発見支援を期待して発見支援手順を開始する。
【０２４３】
ＢＳＳＩＤフィールドは、チャネル番号及び帯域ＩＤフィールドによって示されるチャネル及び周波数上で動作するＢＳＳのＢＳＳＩＤを指定する。発見支援が受け入れられた場合、ＳＴＡは、このＢＳＳ上での支援を期待して、このＢＳＳＩＤによって識別されたＢＳＳの発見支援手順を開始すべきである。
【０２４４】
スキャンモードサブフィールドは、この要素の送信側によって確認されるスキャンモードを示す。０１（２進）の値は、この要素を送信したＳＴＡがパッシブスキャンの発見支援を行うことを示す。１０（２進）の値は、この要素を送信したＳＴＡがアクティブスキャンの発見支援を行うことを示す。１１（２進）の値は、この要素を送信したＳＴＡが、ＩＥＥＥ８０２．１１ａｙ標準の改正版で規定されるチャネルアクセスモードである時分割二重（ＴＤＤ）チャネルアクセスの発見支援を行うことを示す。００（２進）の値は予備である。発見支援が受け入れられてスキャンモードがパッシブである場合、ＤＮ  ＳＴＡは、識別帯域上でビームフォーミングフレーム又はビーコンを送信する。発見支援が受け入れられてスキャンモードがパッシブである場合、新規ＳＴＡは、パッシブスキャンを実行する。発見支援が受け入れられてスキャンモードがアクティブである場合、新規ＳＴＡは、識別帯域上でプローブ要求又はビームフォーミングフレームを送信する。ＤＮ  ＳＴＡは、新規ＳＴＡフレームを期待する。アクセスモードがＴＤＤである場合、ＤＮ  ＳＴＡは、ＴＤＤアクセスモードでビームフォーミングフレームを送信する。
【０２４５】
発見支援ウィンドウ長フィールドは、タイムユニット（ＴＵ）単位の発見支援ウィンドウ長を含む。要求が受け入れられた場合、新規ＳＴＡは、示されたウィンドウ長に等しい期間にわたってｍｍＷ帯をスキャンし、又はｍｍＷ帯でビームフォーミングフレームを送信する。要求が受け入れられた場合、ＤＮ  ＳＴＡは、示されたウィンドウ長に等しい期間にわたってｍｍＷ帯をスキャンし、又はｍｍＷ帯でビームフォーミングフレームを送信する。
【０２４６】
スキャンスイープ時間フィールドは、スキャンモードがパッシブスキャン又はＴＤＤモードである場合に新規ＳＴＡがその各受信ビームをスイープするＴＵ単位での時間を含む。スキャンモードがアクティブである場合、このフィールドは、各プローブ要求送信間の時間をＴＵ単位で表すことができ、或いは使用せずに無視することもできる。
【０２４７】
４．１０．４．発見トリガ要求フレームフォーマット
図４９に、発見トリガ要求（ＤＴ−ＲＥＱ）アクションフレームの実施形態例９２４を示す。このフレームは、１：Ｃａｔｅｇｏｒｙ（カテゴリ）、２：ＦＳＴ  Ａｃｔｉｏｎ（ＦＳＴアクション）、３：Ｍｕｌｔｉ−ｂａｎｄ（マルチバンド）、４：ＤＭＧ能力、５：Ｍｕｌｔｉ−ｂａｎｄ  Ｄｉｓｃｏｖｅｒｙ  Ａｓｓｉｓｔａｎｃｅ  Ｒｅｑｕｅｓｔ（マルチバンド発見支援要求）、というフィールドを有する。
【０２４８】
カテゴリフィールド及びＦＳＴアクションフィールドは、フレームのタイプを定める。マルチバンドフィールドは、ＳＴＡが発見をトリガするように要求しているＭＬＭＥのマルチバンド要素を含む。この要素に含まれるチャネル、周波数帯及びＭＡＣアドレスを使用して、周波数及び支援すべきＳＴＡをピアＳＴＡに通知する。
【０２４９】
ＤＭＧ能力フィールドは、発見支援が要求されているＤＭＧ  ＳＴＡの、８０２．１１標準で規定されるＤＭＧ能力要素を含む。
【０２５０】
マルチバンド発見支援要求フィールドは、規定のチャネル、周波数帯で発見のトリガを要求しているＳＴＡのマルチバンド発見支援要求要素を含む。この要素は、ピアＳＴＡによる発見プロセスの最適化を支援する情報も含む。
【０２５１】
４．１０．５．発見トリガ応答フレームフォーマット
図５０に、１：カテゴリ、２：ＦＳＴアクション、３：マルチバンド、４：ＤＭＧ能力、５：マルチバンド発見支援応答、というフィールドを含む発見トリガ応答（ＤＴ−ＲＥＳ）アクションフレームの実施形態例９２６を示す。
【０２５２】
カテゴリフィールド及びＦＳＴアクションフィールドは、フレームのタイプを定める。マルチバンドフィールドは、ＳＴＡが発見のトリガを要求しているＭＬＭＥのマルチバンド要素を含む。この要素に含まれるチャネル、周波数帯及びＭＡＣアドレスを使用して、ピアＳＴＡに周波数及び支援すべきＳＴＡを通知する。
【０２５３】
４．１０．６．ＷＬＡＮ実装
４．１０．６．１  実装例
図５１Ａ〜図５１Ｃに、オプションＢのフレームフォーマットのＷＬＡＮ実装例の実施形態例９３０、９４０、９５０を示す。各例には、新規ＳＴＡとＤＮ  ＳＴＡとの間のｓｕｂ−６ＧＨｚ帯における相互作用を示す。
【０２５４】
図５１Ａでは、発見支援インジケータが有効になったマルチバンド要素（ＭＢ  ＩＥ）を含むビーコンがｓｕｂ−６ＧＨｚ帯で送信される。このビーコンを受け取った新規ＳＴＡは、マルチバンド要素及び発見支援要求要素を含むアソシエーション要求フレームを送信することができる。ＤＮ  ＳＴＡは、マルチバンド要素及び発見支援応答要素を含むアソシエーション応答フレームを送信することによってこのフレームに応答する。要求が受け入れられた場合、両ＳＴＡにおいてｍｍＷ  ＭＬＭＥが開始される。
【０２５５】
図５１Ｂでは、発見支援インジケータが有効になったマルチバンド要素を含むビーコンがｓｕｂ−６ＧＨｚ帯で送信される。このビーコンを受け取った新規ＳＴＡは、マルチバンド要素及び発見支援要求要素を含む発見トリガ要求フレームを送信することができる。ＤＮ  ＳＴＡは、マルチバンド要素及び発見支援応答要素を含む発見トリガ応答フレームを送信することによってこのフレームに応答する。要求が受け入れられた場合、両ＳＴＡにおいてｍｍＷ  ＭＬＭＥが開始される。
【０２５６】
図５１Ｃでは、発見支援インジケータが有効になったマルチバンド要素を含むビーコンがｓｕｂ−６ＧＨｚ帯で送信される。このビーコンを受け取った新規ＳＴＡは、マルチバンド要素及び発見支援要求要素を含むプローブ要求フレームを送信することができる。ＤＮ  ＳＴＡは、マルチバンド要素及び発見支援応答要素を含むプローブ応答フレームを送信することによってこのフレームに応答する。要求が受け入れられた場合、両ＳＴＡにおいてｍｍＷ  ＭＬＭＥが開始される。
【０２５７】
図５１Ｄでは、新規ＳＴＡが、マルチバンド要素及び発見支援要求要素を含むプローブ要求フレームを送信する。ＤＮ  ＳＴＡは、マルチバンド要素及び発見支援応答要素を含むプローブ応答フレームを送信することによってこのフレームに応答する。要求が受け入れられた場合、両ＳＴＡにおいてｍｍＷ  ＭＬＭＥが開始される。
【０２５８】
図５１Ｅでは、新規ＳＴＡが、マルチバンド要素及び発見支援要求要素を含む発見トリガ要求フレームを送信する。ＤＮ  ＳＴＡは、マルチバンド要素及び発見支援応答要素を含む発見トリガ応答フレームを送信することによってこのフレームに応答する。要求が受け入れられた場合、両ＳＴＡにおいてｍｍＷ  ＭＬＭＥが開始される。
【０２５９】
図５１Ｆでは、発見支援インジケータが有効になったマルチバンド要素を含むプローブ要求が新規ＳＴＡからｓｕｂ−６ＧＨｚ帯で送信される。ＤＮ  ＳＴＡは、発見支援インジケータが有効になったマルチバンド要素を含むプローブ応答フレームを新規ＳＴＡに送信することによってこのフレームに応答する。プローブ応答を受け取った新規ＳＴＡは、マルチバンド要素及び発見支援要求要素を含む発見トリガ要求フレームを送信する。ＤＮ  ＳＴＡは、マルチバンド要素及び発見支援応答要素を含む発見トリガ応答フレームを送信することによってこのフレームに応答する。要求が受け入れられた場合、両ＳＴＡにおいてｍｍＷ  ＭＬＭＥが開始される。
【０２６０】
図５２に、ｓｕｂ−６ＧＨｚ帯における新規ＳＴＡとＤＮ  ＳＴＡとの間の発見支援に加えて認証及びアソシエーションが行われるＷＬＡＮの実施形態例９９０を示す。発見支援インジケータが有効になったマルチバンド要素を含むビーコンが、ＤＮ  ＳＴＡからｓｕｂ−６ＧＨｚ帯で送信される。このビーコンを受け取った新規ＳＴＡは、マルチバンド要素及び任意の発見支援要求要素を含むプローブ要求フレームを送信することができる。ＤＮ  ＳＴＡは、マルチバンド要素と、発見支援要求要素を受け取った場合には発見支援応答要素とを含むプローブ応答フレームを送信することによってこのフレームに応答する。新規ＳＴＡがプローブ要求を受け取った場合、新規ＳＴＡ及びピアＳＴＡ（ＤＮ  ＳＴＡ）は、認証要求及び応答を交換する。新規ＳＴＡが認証された場合、新規ＳＴＡとピアＳＴＡとの間でアソシエーションフレームが交換される。新規ＳＴＡは、マルチバンド要素及び任意の発見支援要求要素を含むアソシエーション要求フレームを送信する。ＤＮ  ＳＴＡは、マルチバンド要素、及び発見支援要求要素を受け取った場合、発見支援応答要素を含むアソシエーション応答フレームを送信することによってこのフレームに応答する。アソシエーションプロセスが上手くいった場合、新規ＳＴＡは、マルチバンド要素及び発見支援要求要素を含む発見トリガ要求フレームを送信する。ＤＮ  ＳＴＡは、マルチバンド要素及び発見支援応答要素を含む発見トリガ応答フレームを送信することによってこのフレームに応答する。要求が受け入れられた場合、両ＳＴＡにおいてｍｍＷ  ＭＬＭＥが開始される。
【０２６１】
４．１０．６．２  実装手順例
発見をトリガすると、マルチバンド対応装置のＳＴＡは、意図する通信帯域以外の帯域上で他のＳＴＡを発見できるようになる。意図する通信帯域は通信帯と呼ばれ、これに関連するＭＬＭＥは通信ＭＬＭＥと呼ばれる。発見に使用される他の帯域は発見帯と呼ばれ、発見帯に関連するＭＬＭＥは発見ＭＬＭＥと呼ばれる。発見トリガ動作は、ＦＳＴセットアッププロトコル及びＯＣＴ動作と共に又はこれらと無関係に使用することができる。
【０２６２】
マルチバンド対応装置は、自機のマルチバンド能力及び発見支援トリガ機能がサポートされている場合には、発見帯においてこれらを広告する。この広告は、発見支援トリガフィールドが１に設定されたマルチバンド要素を発見帯において他のＳＴＡに送信することによって行われる。ＳＴＡが発見帯における発見支援を要求する際には、支援をオファーするＳＴＡが常にこの要求を受け入れ又は拒絶することによって発見帯において応答する。２つのＳＴＡは、そのトレーニングビーム及びアンテナ情報、通信帯における周波数帯、ＭＡＣアドレス、発見支援手順の長さ、及び通信帯におけるスキャンモードを含む、通信帯における自機のＤＭＧ能力及び識別に関するいくつかの情報を発見帯において共有する。
【０２６３】
図５３Ａ及び図５３Ｂに、全体的な発見手順を示す発見支援トリガ手順の実施形態例１０００を示す。新規マルチバンド装置の局管理エンティティ（ＳＭＥ）１００２、通信ＭＬＭＥ１００４及び発見ＭＬＭＥ１００６と、既にネットワーク上で接続されている、ＳＭＥ１００８、通信ＭＬＭＥ１０１０及び発見ＭＬＭＥ１０１２部分を有する既存のマルチバンド対応装置との間の相互作用を示す。新規マルチバンド対応装置のＳＭＥは、この装置の発見ＭＬＭＥにＭＬＭＥ−ＳＣＡＮ．ｒｅｑｕｅｓｔを送信する（１０１４）。
【０２６４】
ＭＬＭＥ−ＳＣＡＮ．ｒｅｑｕｅｓｔを受け取った発見ＭＬＭＥは、マルチバンド及び発見支援トリガをサポートしている他のＳＴＡを求めて発見帯をスキャンする（１０１６）。１又は複数のＳＴＡが見つかると、発見ＭＬＭＥは、ＳＴＡのＳＭＥへのＭＬＭＥ−ＳＣＡＮ．ｃｏｎｆｉｒｍを生成し、ＳＴＡのＳＭＥは、この標準で規定される通りにＭＬＭＥ−ＳＣＡＮ．ｃｏｎｆｉｒｍを処理する。ＭＬＭＥ−ＳＣＡＮ．ｃｏｎｆｉｒｍは、マルチバンド及び発見支援トリガをサポートしているＳＴＡに関する情報を有する。スキャン確認後には、可能な接続セットアップ１０２０が存在して、新規ＳＴＡ及びＤＮ（ピア）ＳＴＡは、接続の形成（認証及びアソシエーションの実行）を決定することができる。
【０２６５】
ＭＬＭＥ−ＳＣＡＮ．ｃｏｎｆｉｒｍを受け取った新規マルチバンド対応装置のＳＭＥは、このＳＴＡの発見ＭＬＭＥへのＭＬＭＥ−ＤＩＳＣＯＶＥＲＹ−ＡＳＳＩＳＴＡＮＴ−ＴＲＩＧＧＥＲ．ｒｅｑｕｅｓｔを生成（１０２２）することによって応答する。この要求は、ピアＳＴＡアドレス、ローカルマルチバンド要素及びローカル発見支援トリガ要求要素を含む。
【０２６６】
ＭＬＭＥ−ＤＩＳＣＯＶＥＲＹ−ＡＳＳＩＳＴＡＮＴ−ＴＲＩＧＧＥＲ．ｒｅｑｕｅｓｔを受け取った発見ＭＬＭＥは、ピア発見ＭＬＭＥ宛ての発見トリガ要求フレームを送信する（１０２４）。
【０２６７】
図５３Ｂでは、発見トリガ要求フレームを受け取った発見ＭＬＭＥが、このフレームを受け取ったマルチバンド対応装置のＳＭＥへのＭＬＭＥ−ＤＩＳＣＯＶＥＲＹ−ＡＳＳＩＳＴＡＮＴ−ＴＲＩＧＧＥＲ．ｉｎｄｉｃａｔｉｏｎを生成する（１０２６）。
【０２６８】
ＭＬＭＥ−ＤＩＳＣＯＶＥＲＹ−ＡＳＳＩＳＴＡＮＴ−ＴＲＩＧＧＥＲ．ｉｎｄｉｃａｔｉｏｎを受け取ったマルチバンド対応装置のＳＭＥは、このＳＴＡの発見ＭＬＭＥへのＭＬＭＥ−ＤＩＳＣＯＶＥＲＹ−ＡＳＳＩＳＴＡＮＴ−ＴＲＩＧＧＥＲ．ｒｅｓｐｏｎｓｅを生成することによって応答する（１０２８）。この要求は、ピアＳＴＡアドレス、ローカルマルチバンド要素及びローカル発見支援トリガ応答要素を含む。
【０２６９】
ＭＬＭＥ−ＤＩＳＣＯＶＥＲＹ−ＡＳＳＩＳＴＡＮＴ−ＴＲＩＧＧＥＲ．ｒｅｓｐｏｎｓｅを受け取った発見ＭＬＭＥは、ピア発見ＭＬＭＥ宛ての発見トリガ応答フレームを送信する（１０３０）。
【０２７０】
発見トリガ応答フレームを受け取った発見ＭＬＭＥは、このフレームを受け取ったマルチバンド対応装置のＳＭＥへのＭＬＭＥ−ＤＩＳＣＯＶＥＲＹ−ＡＳＳＩＳＴＡＮＴ−ＴＲＩＧＧＥＲ．ｃｏｎｆｉｒｍを生成する（１０３２）。
【０２７１】
ＭＬＭＥ−ＤＩＳＣＯＶＥＲＹ−ＡＳＳＩＳＴＡＮＴ−ＴＲＩＧＧＥＲ．ｃｏｎｆｉｒｍを受け取った新規マルチバンド対応装置のＳＭＥは、支援発見が受け入れられた場合、このＳＴＡの通信ＭＬＭＥへのＭＬＭＥ−ＳＣＡＮ．ｒｅｑｕｅｓｔを生成（１０３４）することによって応答する。支援発見がピアＳＴＡによって拒絶された場合、ＳＭＥは、ＭＬＭＥ−ＳＣＡＮ．ｒｅｑｕｅｓｔを生成しない。この要求は、ピアＳＴＡアドレス、ローカルマルチバンド要素、ピアマルチバンド要素及びピア発見支援トリガ応答要素を含む。
【０２７２】
ＭＬＭＥ−ＳＣＡＮ．ｒｅｑｕｅｓｔを受け取った通信ＭＬＭＥは、ピアＳＴＡの通信ＭＬＭＥを求めて通信帯をスキャンする（１０３８）。この要求において、新規マルチバンド装置の通信ＭＬＭＥにピアＳＴＡの通信ＭＬＭＥのアドレスを与える。ＳＴＡの通信ＭＬＭＥは、ピアＳＴＡのマルチバンド能力及び発見支援トリガに関する情報を有する。
【０２７３】
ＭＬＭＥ−ＩＮＩＴＩＡＴＥ−ＤＩＳＣＯＶＥＲＹ．ｒｅｑｕｅｓｔを受け取った１０３６通信ＭＬＭＥは、通信帯において発見をトリガする。発見支援トリガ応答要素がパッシブスキャンを示す場合、通信ＭＬＭＥは、ビーコン又はビームフォーミングフレームの送信を開始する。発見支援トリガ応答要素がアクティブスキャンを示す場合、通信ＭＬＭＥは、プローブ要求又はビームフォーミングフレームをリスンする。
【０２７４】
ＭＬＭＥ−ＳＣＡＮ．ｃｏｎｆｉｒｍを受け取った１０４２新規マルチバンド対応装置のＳＭＥは、スキャンプロセスによってピアＳＴＡが発見されたかどうかを示す。
【０２７５】
ＭＬＭＥ−ＩＮＩＴＩＡＴＥ−ＤＩＳＣＯＶＥＲＹ．ｃｏｎｆｉｒｍを受け取った１０４０マルチバンド対応装置のＳＭＥは、スキャンプロセスによってピアＳＴＡが発見されたかどうかを示す。
【０２７６】
４．１０．６．３  ＭＬＭＥメッセージ
４．１０．６．３．１  ＭＬＭＥ−ＳＣＡＮ．ｒｅｑｕｅｓｔ
ＩＥＥＥ  ８０２．１１標準で規定されているＭＬＭＥ−ＳＣＡＮ．ｒｅｑｕｅｓｔメッセージには、以下のパラメータを追加すべきである。
【０２７７】
「マルチバンド発見支援要求」は、（マルチバンド発見支援要求要素）に規定される有効範囲を有するマルチバンド発見支援要求要素の一種であり、ローカルＭＡＣエンティティによってサポートされている構成を含むマルチバンド発見支援要求要素内のパラメータを指定する。このパラメータは、ＳＴＡがマルチバンド支援発見をサポートしている場合に存在する。
【０２７８】
４．１０．６．３．２．ＭＬＭＥ−ＳＣＡＮ．ｃｏｎｆｉｒｍ
ＩＥＥＥ  ８０２．１１標準で規定されているＭＬＭＥ−ＳＣＡＮ．ｃｏｎｆｉｒｍメッセージには、以下のパラメータを追加すべきである。「マルチバンド発見支援応答」は、（マルチバンド発見支援応答要素）に規定される有効範囲を有するマルチバンド発見支援応答要素の一種であり、このような要素がプローブ応答フレーム内に存在する場合にはこの要素からの値で応答し、そうでなければヌル（ｎｕｌｌ）とする。
【０２７９】
４．１０．６．３．３  ＭＬＭＥ−ＭＢ−ＤＩＳＣＯＶＥＲＹ−ＡＳＳＩＳＴ．ｒｅｑｕｅｓｔ
機能：このプリミティブは、発見支援要求フレームにおける発見支援要求要素の送信を要求する。
【０２８０】
このサービスプリミティブのセマンティクスは以下の通りである。
ＭＬＭＥ−ＭＢ−ＤＩＳＣＯＶＥＲＹ−ＡＳＳＩＳＴ．ｒｅｑｕｅｓｔ（
ＰｅｅｒＳＴＡＡｄｄｒｅｓｓ，ＤｉｓｃｏｖｅｒｙＡｓｓｉｓｔａｎｃｅＲｅｑｕｅｓｔ）
【０２８１】
ピアＳＴＡアドレス：発見支援要求フレームが送信されるＳＴＡのアドレスを指定する個々の有効なＭＡＣアドレスを有するＭＡＣアドレス。
【０２８２】
発見支援要求：発見支援要求要素フォーマットで範囲が定められた、要求する発見支援のパラメータを指定する発見支援要求要素。
【０２８３】
このプリミティブは、発見支援要求フレームが他のＳＴＡに送信されることを要求するためにＳＭＥによって生成される。ＭＬＭＥは、このプリミティブを受け取った時点で発見支援要求フレームを構築して送信しようと試みる。
【０２８４】
４．１０．６．３．４  ＭＬＭＥ−ＭＢ−ＤＩＳＣＯＶＥＲＹ−ＡＳＳＩＳＴ．ｉｎｄｉｃａｔｉｏｎ
このプリミティブは、発見支援要求フレームが受け取られたことを示す。
【０２８５】
このサービスプリミティブのセマンティクスは以下の通りである。
ＭＬＭＥ−ＭＢ−ＤＩＳＣＯＶＥＲＹ−ＡＳＳＩＳＴ．ｉｎｄｉｃａｔｉｏｎ
（
ＰｅｅｒＭＡＣＡｄｄｒｅｓｓ,
ＤｉｓｃｏｖｅｒｙＡｓｓｉｓｔａｎｃｅＲｅｑｕｅｓｔ
）
【０２８６】
ピアＭＡＣアドレス：発見支援要求フレームが受け取られた先のＳＴＡのＭＡＣアドレスを指定するいずれかの有効な個々のＭＡＣアドレスを有するＭＡＣアドレス。
【０２８７】
発見支援要求：発見支援要求要素フォーマットで範囲が定められた、要求された発見支援のパラメータを指定する発見支援要求要素。
【０２８８】
このプリミティブは、発見支援要求フレームが受け取られた時にＭＬＭＥによって生成される。ＳＭＥには、このプリミティブを受け取った時点で発見支援要求が通知される。
【０２８９】
４．１０．６．３．５  ＭＬＭＥ−ＭＢ−ＤＩＳＣＯＶＥＲＹ−ＡＳＳＩＳＴ．ｒｅｓｐｏｎｓｅ
このプリミティブは、発見支援を要求するＳＴＡに発見支援応答フレームが送信されることを要求する。
【０２９０】
このサービスプリミティブのセマンティクスは以下の通りである。
ＭＬＭＥ−ＭＢ−ＤＩＳＣＯＶＥＲＹ−ＡＳＳＩＳＴ．ｒｅｓｐｏｎｓｅ
（
ＰｅｅｒＭＡＣＡｄｄｒｅｓｓ,
ＤｉｓｃｏｖｅｒｙＡｓｓｉｓｔａｎｃｅＲｅｓｐｏｎｓｅ
）
【０２９１】
ピアＭＡＣアドレス：発見支援応答フレームの送信先のＳＴＡのＭＡＣアドレスを指定するいずれかの有効な個々のＭＡＣアドレス範囲を有するＭＡＣアドレス。
【０２９２】
発見支援応答：発見支援応答要素フォーマットで範囲が定められた、発見支援のパラメータを指定する発見応答要素。
【０２９３】
このプリミティブは、発見支援を要求したＳＴＡに発見支援応答フレームが送信されることを要求するためにＳＭＥによって生成される。ＭＬＭＥは、このプリミティブを受け取った時点で発見支援応答フレームを作成して送信しようと試みる。
【０２９４】
４．１０．６．３．６  ＭＬＭＥ−ＭＢ−ＤＩＳＣＯＶＥＲＹ−ＡＳＳＩＳＴ．ｃｏｎｆｉｒｍ
このプリミティブは、発見支援応答フレームが受け取られたことを示す。
【０２９５】
このサービスプリミティブのセマンティクスは以下の通りである。
ＭＬＭＥ−ＭＢ−ＤＩＳＣＯＶＥＲＹ−ＡＳＳＩＳＴ．ｃｏｎｆｉｒｍ
（
ＰｅｅｒＭＡＣＡｄｄｒｅｓｓ,
ＤｉｓｃｏｖｅｒｙＡｓｓｉｓｔａｎｃｅＲｅｓｐｏｎｓｅ
）
【０２９６】
ピアＭＡＣアドレス：発見支援応答フレームが受け取られた先のＳＴＡのＭＡＣアドレスを指定するいずれかの有効な個々のＭＡＣアドレス範囲を有するＭＡＣアドレス。
【０２９７】
発見支援応答：有効範囲がフォーマットで定められた、発見支援のパラメータを指定する応答を含む発見支援応答要素。
【０２９８】
このプリミティブは、発見支援応答フレームが受け取られた時にＭＬＭＥによって生成される。
【０２９９】
ＭＬＭＥは、このプリミティブを受け取った時点で発見支援手順を開始する。
【０３００】
４．１０．６．３．７  ＭＬＭＥ−ＳＴＡＲＴ−ＤＭＧ−ＤＩＳＣＯＶＥＲＹ−ＡＳＳＩＳＴＡＮＣＥ．ｒｅｑｕｅｓｔ
このプリミティブは、ＢＳＳに参加している新規ＳＴＡの発見及びビームフォーミングトレーニングを支援する包括的セクタスイープを開始することを要求する。
【０３０１】
このサービスプリミティブのセマンティクスは以下の通りである。
ＭＬＭＥ−ＳＴＡＲＴ−ＤＭＧ−ＤＩＳＣＯＶＥＲＹ−ＡＳＳＩＳＴＡＮＣＥ．ｒｅｑｕｅｓｔ
（
ＮｕｍｂｅｒＯｆＴｘＳｅｃｔｏｒｓ，
ＮｕｍｂｅｒＯｆＲｘＳｅｃｔｏｒｓ，
ＤｉｓｃｏｖｅｒｙＡｓｓｉｓｔａｎｃｅＷｉｎｄｏｗ
）
【０３０２】
ＮｕｍｂｅｒＯｆＴｘＳｅｃｔｏｒｓ：発見支援及びビームフォーミングトレーニングのためにＳＴＡが送信するセクタ数を指定する１〜２５５の範囲の整数。
【０３０３】
ＮｕｍｂｅｒＯｆＲｘＳｅｃｔｏｒｓ：ＢＳＳに参加しているＳＴＡが受信ビームフォーミングトレーニングを行う予定のセクタ数を指定する１〜２５５の範囲の整数。
【０３０４】
ＤｉｓｃｏｖｅｒｙＡｓｓｉｓｔａｎｃｅＷｉｎｄｏｗ：発見支援が有効である時間の長さをＴＵ単位で指定する１〜６５，５３５の範囲の整数。
【０３０５】
このプリミティブは、ＢＳＳに参加している新規ＳＴＡの発見及びビームフォーミングトレーニングを支援する包括的セクタスイープを要求するためにＳＭＥによって生成される。
【０３０６】
ＭＬＭＥは、このプリミティブを受け取った時点でＭＡＣ副層包括的セクタスイープ手順を呼び出す。
【０３０７】
４．１０．６．３．８  ＭＬＭＥ−ＳＴＡＲＴ−ＤＭＧ−ＤＩＳＣＯＶＥＲＹ−ＡＳＳＩＳＴＡＮＣＥ．ｃｏｎｆｉｒｍ
このプリミティブは、要求された包括的セクタスイープ手順の結果を報告する。
【０３０８】
このサービスプリミティブのセマンティクスは以下の通りである。
ＭＬＭＥ−ＳＴＡＲＴ−ＤＭＧ−ＤＩＳＣＯＶＥＲＹ−ＡＳＳＩＳＴＡＮＣＥ．ｃｏｎｆｉｒｍ
（
ＲｅｓｕｌｔＣｏｄｅ
）
【０３０９】
ＲｅｓｕｌｔＣｏｄｅ：この例では「ＳＵＣＣＥＳＳ」又は「ＢＦ−ＴＩＭＥＯＵＴ」の値の範囲を有する、包括的セクタスイープ手順の結果を示す列挙型である。
【０３１０】
このプリミティブは、包括的セクタスイープの結果を報告するためにＭＬＭＥによって生成される。手順の結果はＳＭＥに通知される。
【０３１１】
５．チャネルアクセス及びスケジューリングを使用した発見支援
５．１．課題の記述
ネットワーク内のＳＴＡに発見信号（ビーコン又はビームフォーミングフレーム）を送信し続けるように求めることは非効率的であり、最適なスペクトルの使用が行われないことによってシステム内のレイテンシ制約に影響を及ぼし、たとえビームフォーミング信号が不要な場合であってもこの信号を送信するために継続的に送信を中断することが必要になる。新たなネットワークに参加する新規ＳＴＡは、接続先のチャネル及びネットワーク内のチャネルアクセス及びスケジューリング割り当てに関する情報を有していない。新規ＳＴＡは、ビームフォーミングフレームの送信時間が分からず、その時点で受け取る準備ができていないので、ビームフォーミングフレームを見逃してしまうこともある。新規ＳＴＡにビームフォーミングフレームをスキャン（パッシブ又はアクティブ）し続けさせると、電力の使用が非効率になる。いつどこでビームフォーミングフレームが送信され又は送信される予定であるかがＳＴＡに分かればさらに効率的である。
【０３１２】
５．２．寄与
他の帯域を通じて新規ノード発見を支援するマルチバンドソリューションを提案する。新規ノードは、意図する通信帯域において他の帯域を通じた発見支援を要求する。新規ＳＴＡは、ノードが発見された他の帯域を通じて、意図する通信帯域のチャネルアクセス及びチャネル割り当てに関する情報を受け取る。新規ＳＴＡは、この情報を使用して、意図する通信帯域上の発見されたノードと同期し、意図する通信帯域上のチャネルにアクセスする。
【０３１３】
５．３．マルチバンド発見支援
本節の局（ＳＴＡ）は、各ＳＴＡが少なくとも２つの帯域にアクセスできるマルチバンド（ＭＢ）対応装置とみなされる。一方の帯域は、ノードが互いを容易に発見することができ、例えばチャネル特性が互いのノード発見を単純化する。本明細書では、この帯域を発見帯と呼び、例えば８０２．１１  ＷＬＡＮフレームワークではｓｕｂ−６ＧＨｚ帯とすることができるが、他のあらゆる帯域又は帯域の組み合わせも可能である。ノードが通信するように意図される、ノード発見を支援する必要がある帯域は、通信帯と呼ばれる。
【０３１４】
これらの発見帯及び通信帯という各帯域では、発見帯を担うＭＬＭＥである発見ＭＬＭＥと、通信帯を担うＭＬＭＥである通信ＭＬＭＥとが定められる。
【０３１５】
発見帯では、マルチバンド能力及び発見支援機能が局によって通知される。この通知は、マルチバンド要素を搬送するビーコン又はいずれかの通知フレーム（例えば、ビーコン、プローブ要求、通知フレーム、又は他のいずれかのフレーム）を発見帯で送信することを通じて行われる。マルチバンド要素は、ＳＴＡが通信できる他方の帯域に関する情報を搬ぶ。マルチバンド要素は、ＳＴＡが、ネットワークの通信帯における通信を達成するための発見支援を発見帯においてオファーしていることを示すべきである。
【０３１６】
新規マルチバンド対応ＳＴＡは、発見帯（例えば、２．４又は５ＧＨｚのＷｉＦｉ帯）のスキャンを開始する。新規ＳＴＡは、例えばマルチバンド要素を含んで意図する通信帯での発見支援が有効なビーコンフレームを受け取った場合に支援を要求する。新規ＳＴＡは、支援要求及び支援応答情報要素を交換することによって、発見されたＳＴＡに支援を要求する。これらの要素は、発見されたＳＴＡと新規ＳＴＡとの間で交換されるあらゆるフレームに追加することができる。
【０３１７】
限定ではなく一例として、これらの要素は、新規マルチバンド（ＭＢ）対応装置とＡＰマルチバンド対応装置との間で以下を通じて交換することができる。
【０３１８】
図５４に、支援要求及び支援応答フレームの交換を行う実施形態例１１００を示す。
【０３１９】
図５５に、高速セッション転送（ＦＳＴ）要求及びＦＳＴ応答フレームを利用して交換を行う実施形態例１２００を示す。
【０３２０】
図５６に、オンチャネルトンネル（ＯＣＴ）要求及び応答フレームを通じた情報要求又は応答フレームを利用して交換を行う実施形態例１３００を示す。
【０３２１】
図５７に、プローブ要求及びプローブ応答フレームを利用して交換を行う実施形態例１４００を示す。
【０３２２】
図５８に、アソシエーション又は再アソシエーション要求又は応答フレームを利用して交換を行う実施形態例１５００を示す。
【０３２３】
上記の各事例には、新規ＭＢノード及びＭＢノード内のＳＴＡの両方のｍｍＷ  ＭＬＭＥ及びｓｕｂ−６ＧＨｚ  ＭＬＭＥを示しているが、通常、このＭＬＭＥは、ビーコンを送信するアクセスポイントである。これらの各事例では、新規ＳＴＡが、支援要求と応答要素とを交換して２つのＳＴＡ間のリンクを確保する前に、発見帯で発見されたＳＴＡとの関連付けを行うことができる。
【０３２４】
少なくとも１つの実施形態では、支援要求及び支援応答情報要素が、（ａ）ＳＴＡアドレス、（ｂ）ＤＭＧ能力情報、（ｃ）アンテナ能力情報、（ｄ）通信帯情報、（ｅ）通信帯スキャンモード要求及び応答、（ｆ）発見支援ウィンドウ要求及び応答、（ｇ）新規ノードの滞留時間要求及び応答、及び（ｈ）支援要求応答、という情報を含む。
【０３２５】
５．４  発見支援のためのスケジューリング情報の転送
発見されたＳＴＡは、発見帯で送信されるマルチバンド要素内のＴＳＦオフセットを新規ＳＴＡに提供する。ＴＳＦオフセットは、通信帯に対応するＢＳＳのＴＳＦに対する発見帯上のＢＳＳのＴＳＦの時間オフセットを表す。この同期情報は、新規ＳＴＡがより効率的にチャネルにアクセスするために非常に有用となり得る。任意に、発見されたＳＴＡは、発見信号送信のタイミング情報、又は新規ＳＴＡと発見されたＳＴＡとが通信帯上でいつ通信できるかを新規ＳＴＡに通知するスケジューリング情報を新規ＳＴＡに転送する。発見されたＳＴＡは、通信帯における様々な割り当てについて新規ＳＴＡに通知する通信帯のスケジューリング情報を新規ＳＴＡに送信することもできる。任意に、発見されたＳＴＡは、この情報を発見支援応答情報要素に追加する。新規ＳＴＡは、チャネルアクセス情報及びスケジューリング情報の転送を要求する発見支援要素内の１ビットフラグを設定することを通じて、発見されたＳＴＡに通信帯に関するスケジューリング情報及びアクセス情報を送信するように要求することができる。
【０３２６】
５．４．１．発見支援要求情報要素
図５９に、発見されたＳＴＡに通信帯のチャネルアクセス情報及びスケジューリング情報の送信を要求するための新たなフィールドを含む発見支援要求情報要素の実施形態例１６００を示す。新規ＳＴＡは、発見されたＳＴＡに、発見支援応答情報要素にチャネルアクセス情報及びスケジューリング情報を追加するように求める場合、この要求フィールドをアクティブ状態（例えば、１）に設定する。新規ＳＴＡは、発見支援要求情報要素を発見帯で送信する。
【０３２７】
任意に、発見されたＳＴＡは、発見支援要求情報要素を受け取った後に、発見帯で送信される発見支援応答情報要素に、通信帯に関するチャネルアクセス及びスケジューリングに関する情報を追加する。
【０３２８】
５．４．２．発見支援応答情報要素
図６０に、新規ＳＴＡに通信帯のタイミング情報、スケジューリング情報及びチャネルアクセス情報を通知するための新たなフィールドを含む発見支援応答情報要素の実施形態例１６５０を示す。
【０３２９】
以下、新たに追加されるフィールドについて説明する。（ａ）次のビームフォーミングフレームまでの時間：次のビームフォーミングフレームまでの時間フィールドは、発見支援応答情報要素の送信と、（ＴＤＤチャネルアクセス又はパッシブスキャンが選択された場合）発見されたＳＴＡからの、又は（アクティブスキャンが選択された場合）新規ＳＴＡからの最初の発見又はビームフォーミングフレームの送信との間のオフセットをタイムユニット単位で示す。（ｂ）タイムユニット：タイムユニットフィールドは、次のビームフォーミングフレーム交換フィールドのタイムユニットを示す。限定ではなく一例として、これらの値は、０：１μ秒、１：１００μ秒、２：４００μ秒であり、値３〜１５は現在のところ予備である。新規ＳＴＡは、このフィールドを使用して次のビームフォーミングフレームのタイムユニットを知る。（ｃ）送信期間：このフィールドは、ＤＭＧビーコンフレーム又はビームフォーミングフレームが存在しなくなる次のビームフォーミングフレームまでの時間後のビーコン間隔又はＴＤＤスロットの数を示す。発見されたＳＴＡは、送信期間毎にビーコン又はビームフォーミングフレームを送信する。発見されたＳＴＡは、送信期間毎に新規ＳＴＡからのビームフォーミングフレーム又はプローブ要求を期待することができる。（ｄ）断片化ＴＸＳＳ：断片化ＴＸＳＳサブフィールドは、第１の状態（例えば１）に設定されると、ＴＸＳＳが断片化されたセクタスイープであることを示し、第２の状態（例えば０）に設定されると、ＴＸＳＳが完全なセクタスイープであることを示す。このサブフィールドは、パッシブスキャンの場合にビームフォーミング又はビーコンスイープが複数のビーコン間隔にわたることをＳＴＡに通知するためのものである。（ｅ）ＴＸＳＳスパン：ＴＸＳＳスパンサブフィールドは、ＤＭＧビーコンフレームを送信するＳＴＡがＴＸＳＳ段階を完了するために要するビーコン間隔数を示す。このサブフィールドは、常に１以上である。新規ＳＴＡは、ＴＸＳＳスパン期間中にビームフォーミングを受け取らなかった場合、この情報を使用してスキャンプロセスの終了を素早く決定する。この情報は、ビームフォーミングプロセスの効率化に役立つこともできる。（ｆ）拡張スケジュール要素：拡張スケジュール要素は、８０２．１１標準で規定される要素と同様であり、任意に発見帯で新規ＳＴＡに送信される。この要素は、通信帯における様々なチャネル割り当てに関する情報を含む。この要素を受け取った新規ＳＴＡは、この情報を使用して、（ｉ）ビームフォーミングフレームを求めて通信帯チャネルをいつスキャンすべきであるかを決定し、（ｉｉ）いつ通信帯チャネルにアクセスしてビームフォーミングを送信できるかを決定することができる。新規ＳＴＡは、チャネルが他の送受信で占められていない時に、発見されたＳＴＡに通信帯でビームフォーミングフレームを送信するためにチャネルにアクセスする最も良い時間がいつであるかを決定することができる。（ｇ）ＴＤＤスロット構造要素：ＴＤＤスロット構造要素は、ＴＤＤアクセスモードが有効な場合に任意に利用することができる。この要素は、ＴＤＤ  ＳＰの構造を定める。新規ＳＴＡは、こ���情報を使用してＴＤＤスロットの構造及び間隔に関する情報を取得することができ、これらの情報は、最初のビームフォーミングフレームが失われた場合にビームフォーミングフレームをスキャンする上で役立つことができる。
【０３３０】
５．５．発見支援例
５．５．１．ＴＤＤ  ＳＰチャネルアクセス
図６１に、発見支援を使用してスケジューリング情報及びチャネルアクセス情報を要求するＴＤＤ  ＳＰチャネルアクセスの実施形態例１７００を示す。新規ＳＴＡは、発見にｓｕｂ−６ＧＨｚ帯を使用し、マルチバンドＳＴＡは、発見支援機能を示すマルチバンド情報要素を含むビーコンを送信する。新規ＳＴＡは、ｓｕｂ−６ＧＨｚ帯ＢＳＳのＴＳＦ情報、及びｍｍＷ帯ＢＳＳのＴＳＦオフセットも抽出する。新規ＳＴＡは、発見されたＳＴＡとｓｕｂ−６ＧＨｚ帯で接続を確立することができる。新規ＳＴＡは、例えば上述したオプションのうちの１つを通じて、発見されたノードにｓｕｂ−６ＧＨｚ帯で発見支援要求情報要素を送信することができる。発見支援要求情報要素は、ＴＤＤ  ＳＰチャネルアクセス要求、並びにチャネルアクセス情報及びスケジューリング情報の送信要求の指示を含む。
【０３３１】
発見されたＳＴＡは、発見支援要求情報要素を受け取り、上述したオプションのうちの１つなどを通じてｓｕｂ−６ＧＨｚ帯で発見支援応答情報要素を送信することによって応答する。発見支援応答情報要素は、ＴＤＤ  ＳＰがいつスケジュールされているかを示す拡張スケジューリング要素と、新規ＳＴＡにスロット構造を通知するためのスロット構造要素とを含む。次のビームフォーミングフレームまでの時間フィールドは、最初のビームフォーミングフレームがいつ送信される予定であるかをタイムユニット単位で示す。送信期間は、次のビームフォーミングフレームの組の送信期間をスロット数で示す。新規ＳＴＡは、この情報を使用して、発見されたＳＴＡとｍｍＷ帯で同期し、ビームフォーミングフレームを求めてスキャンする。
【０３３２】
５．５．２．パッシブスキャン発見
図６２に、発見支援を使用してスケジューリング情報及びチャネルアクセス情報を要求するパッシブスキャン発見の実施形態例１８００を示す。マルチバンドＳＴＡの発見にｓｕｂ−６ＧＨｚ帯を使用する新規ＳＴＡは、発見支援機能を示すマルチバンド情報要素を含むビーコンを送信する。新規ＳＴＡは、ｓｕｂ−６ＧＨｚ帯ＢＳＳのＴＳＦ情報及びｍｍＷ帯ＢＳＳのＴＳＦオフセットも抽出する。新規ＳＴＡは、発見されたＳＴＡとｓｕｂ−６ＧＨｚ帯で接続を確立することができる。新規ＳＴＡは、発見されたノードに、例えばｓｕｂ−６ＧＨｚ帯について上述したオプションのうちの１つを通じて発見支援要求情報要素を送信する。発見支援要求情報要素は、パッシブスキャン支援発見要求、並びにチャネルアクセス情報及びスケジューリング情報の送信要求の指示を含む。
【０３３３】
発見されたＳＴＡは、発見支援要求情報要素を受け取り、例えば５．３節で説明したオプションのうちの１つを通じたあらゆる所望の方法でｓｕｂ−６ＧＨｚ帯で発見支援応答情報要素を送信することによって応答する。発見支援応答情報要素は、このチャネル上の割り当てを示す拡張スケジューリング要素を含む。次のビームフォーミングフレームまでの時間フィールドは、新規ＳＴＡへのビーコン送信がいつスケジュールされているかをタイムユニットで示す。このビーコン送信は、発見されたＢＳＳのビーコン間隔の開始と一致すべきであり、或いは異なるスケジュールのビーコン又はビームフォーミングフレームとすることもできる。送信期間は、ビーコン間隔内で次のビームフォーミングフレームの組を送信する期間を示す。断片化ＴＸＳＳは、ビーコンが複数のビーコン間隔にわたって断片化されているかどうかを示し、ＴＸＳＳスパンは、ＴＸＳＳが及んでいるＢＩの数を示す。新規ＳＴＡは、この情報を使用して、発見されたＳＴＡとｍｍＷ帯で同期し、ビームフォーミングフレーム（例えば、ビーコン）を求めてスキャンする。
【０３３４】
５．５．３  アクティブスキャン発見
図６３に、発見支援を使用してスケジューリング情報及びチャネルアクセス情報を要求するアクティブスキャン発見の実施形態例１９００を示す。新規ＳＴＡは、発見にｓｕｂ−６ＧＨｚ帯を使用し、マルチバンドＳＴＡは、発見支援機能を示すマルチバンド情報要素を含むビーコンを送信する。新規ＳＴＡは、ｓｕｂ−６ＧＨｚ帯ＢＳＳのＴＳＦ情報及びｍｍＷ帯ＢＳＳのＴＳＦオフセットも抽出する。新規ＳＴＡは、発見されたＳＴＡとｓｕｂ−６ＧＨｚ帯で接続を確立することができる。
【０３３５】
新規ＳＴＡは、発見されたノードに、５．３節で説明したオプションのうちの１つなどを通じた所望の方法でｓｕｂ−６ＧＨｚ帯で発見支援要求情報要素を送信する。発見支援要求情報要素は、アクティブスキャン支援発見要求、並びにチャネルアクセス情報及びスケジューリング情報の送信要求の指示を含む。
【０３３６】
発見されたＳＴＡは、発見支援要求情報要素を受け取り、上述したオプションのうちの１つなどのいずれかの所望の機構を通じてｓｕｂ−６ＧＨｚ帯で発見支援応答情報要素を送信することによって応答する。
【０３３７】
発見支援応答情報要素は、このチャネル内の割り当てを示す拡張スケジューリング要素を含む。新規ＳＴＡは、この情報を使用して、発見されたＳＴＡがｍｍＷ帯でいつ利用可能になるかを予測する。次のビームフォーミングフレームまでの時間フィールドは、発見されたＳＴＡが新規ＳＴＡからのフレームをいつリスンしているかについての時間オフセットをタイムユニット単位で示す。発見されたＳＴＡは、この時間中にはいずれの送受信もスケジュールせず、新規ＳＴＡの要求をｍｍＷ帯でリスンする。送信期間は、発見されたＳＴＡがビーコン間隔内で再び新規ＳＴＡをリスンしている期間を示す。新規ＳＴＡは、この情報を利用して、発見されたＳＴＡとｍｍＷ帯で同期し、発見されたＳＴＡにビームフォーミングフレーム又はプローブ要求をｍｍＷ帯で送信する。
【０３３８】
６．開示要素の概要
以下は、本開示に関連する態様の部分的要約である。
【０３３９】
ｍｍＷ帯を介した指向性送信を利用して、ｍｍＷメッシュネットワーク発見のためのスキャンに役立つｓｕｂ−６ＧＨｚ帯での信号の送信を実行する無線通信装置／システム／方法。新規ノードは、ｓｕｂ−６ＧＨｚ帯で支援要求を送信する。ネットワークノードは、ｓｕｂ−６ＧＨｚ帯で支援応答を送信することによって支援要求に応答する。新規ノードは、ｓｕｂ−６ＧＨｚ帯でネットワークノードと発見支援要求及び応答を交換すると、（単複）近隣を発見するためにｍｍＷ帯に切り替える。ネットワークノードは、ｓｕｂ−６ＧＨｚ帯で発見支援要求及び応答を交換すると、新規ノードを発見するためにｍｍＷ帯に切り替える。
【０３４０】
ネットワークノードにｓｕｂ−６ＧＨｚ帯で発見支援要求フレームを送信することによって新規ノードからの発見支援要求を生成できる実施形態。ネットワークノードは、送信されたフレームに応答して新規ノードに発見支援応答フレームを送信することによって発見支援応答を送信する。
【０３４１】
ｍｍＷ帯での発見支援を要求する要素をｓｕｂ−６ＧＨｚ帯で送信されるプローブ要求に関連付けることによって、新規ノードからの発見支援要求を実行できる実施形態。ｍｍＷ帯での発見支援要求に応答する要素をｓｕｂ−６ＧＨｚ帯で送信されるプローブ応答に関連付けることによって、ネットワークノードからの発見支援応答を実行することができる。
【０３４２】
ｍｍＷ帯での発見支援を要求する要素をｓｕｂ−６ＧＨｚ帯で送信されるアソシエーション又は再アソシエーション要求に関連付けることによって、新規ノードからの発見支援要求を実行できる実施形態。ｍｍＷ帯での発見支援要求に応答する要素をｓｕｂ−６ＧＨｚ帯で送信されるアソシエーション応答に関連付け又は再関連付することによって、ネットワークノードからの発見支援応答を実行することができる。
【０３４３】
新規ノード及びネットワークノードのｓｕｂ−６ＧＨｚ  ＭＬＭＥを通じてこれらの２つのノードのｍｍＷ  ＭＬＭＥ間でオンチャネルトンネル要求を開始することによって、新規ノードとネットワークノードとの間で発見支援要求及び応答を交換できる実施形態。発見支援要求及び応答フレームは、このトンネリングされたチャネルを通じて交換されるべきである。
【０３４４】
発見支援手順をサポートするマルチバンド能力を有するＳＴＡが、その発見支援能力をマルチバンド能力と共にｓｕｂ−６ＧＨｚ帯でブロードキャストすることができる実施形態。このプロセスは、例えばビーコンフレームに関連することができる。このビーコンは、新規ＳＴＡによって受け取られた場合に新規ＳＴＡから発見支援を要求するためのトリガの役割を果たすことができる。
【０３４５】
ｓｕｂ−６ＧＨｚ帯を通じて新規ノードと通信したネットワーク内のＳＴＡが、全方向へのビームフォーミングフレームの送信、又は新規ノードからのビームフォーミングフレームの受信を通じて新規ＳＴＡの支援を開始し、新規ノードがＳＴＡのｍｍＷカバレッジエリア内に存在する場合に新規ノードとビームフォーミングを行う実施形態。
【０３４６】
ｓｕｂ−６ＧＨｚ帯を通じて新規ノードと通信したネットワーク内のＳＴＡが、全方向へのビームフォーミングフレームの送信、又は新規ノードからのビームフォーミングフレームの受信を通じてネットワーク内の潜在的近隣である他のＳＴＡと協調して新規ＳＴＡの支援を開始し、新規ノードがＳＴＡのｍｍＷカバレッジエリア内に存在する場合に新規ノードとビームフォーミングを行う実施形態。
【０３４７】
新規ＳＴＡが複数の帯域を使用してＳＴＡを発見し、その意図する通信帯域のチャネルアクセス及びスケジューリングに関する情報を要求する実施形態。発見されたＳＴＡは、ＳＴＡが発見された他の帯域を通じて、意図する通信帯域のチャネルアクセス及びスケジューリングに関する情報を送信する。発見されたＳＴＡは、マルチバンド要素内の情報に加え、自機が発見された帯域を通じて、ビームフォーミング信号の送信タイミング及び信号送信の構造を新規ＳＴＡに通知する。
【０３４８】
新規ＳＴＡが発見帯からのチャネルアクセス情報を利用して、意図する通信帯域で自機の信号をＳＴＡと同期させ、ビームフォーミング信号がいつどこで送受信される予定であるかを良好に推定する実施形態。ＴＤＤ  ＳＰチャネルアクセスでは、ネットワークＳＴＡが、マルチバンド信号を通じて、チャネル割り当て、スロット構造及びビームフォーミング信号をいつ期待すべきであるかを新規ＳＴＡに通知する。
【０３４９】
パッシブスキャン発見中に、ネットワークＳＴＡがマルチバンド信号を通じて、チャネル割り当て、ビーコンをいつ期待すべきであるか、及び断片化されたビーコン送信が行われる場合には複数のビーコン間隔にわたるビーコンスイープストラテジを新規ＳＴＡに通知する実施形態。
【０３５０】
アクティブスキャン発見では、ネットワークＳＴＡがマルチバンド信号を通じて、チャネル割り当て、及び発見されたＳＴＡが新規ＳＴＡのビームフォーミングフレーム又はプローブ要求をいつ自由に受け取ることができるかを新規ＳＴＡに通知する。
【０３５１】
７．実施形態の一般的範囲
提示した技術の説明した強化は、様々な無線（例えば、ｍｍ波）送信機、受信機及びトランシーバ内に容易に実装することができる。また、最新の送信機、受信機及びトランシーバが、１又は２以上のコンピュータプロセッサ装置（例えば、ＣＰＵ、マイクロプロセッサ、マイクロコントローラ、コンピュータ対応ＡＳＩＣなど）、及び命令を記憶する関連するメモリ（例えば、ＲＡＭ、ＤＲＡＭ、ＮＶＲＡＭ、ＦＬＡＳＨ、コンピュータ可読媒体など）を含むように実装されることにより、メモリに記憶されたプログラム（命令）がプロセッサ上で実行されて、本明細書で説明した様々なプロセス法のステップを実行することが好ましいと理解されたい。
【０３５２】
当業者は、様々な最新の無線通信装置に関連するステップを実行するコンピュータ装置の使用を認識しているため、図には簡略化のためにコンピュータ装置及びメモリ装置を示していない。提示した技術は、メモリ及びコンピュータ可読媒体が非一時的であり、従って一時的電子信号を構成しない限り、これらに関して限定するものではない。
【０３５３】
また、これらのコンピュータシステムにおけるコンピュータ可読媒体（命令を記憶するメモリ）は「非一時的」なものであり、ありとあらゆる形態のコンピュータ可読媒体を含むが、唯一の例外が一時的伝搬信号であると理解されるであろう。従って、開示した技術は、ランダムアクセス型であるもの（例えば、ＲＡＭ）、定期的なリフレッシュを必要とするもの（例えば、ＤＲＡＭ）、時間と共に劣化するもの（例えば、ＥＥＰＲＯＭ、ディスク媒体）、又は短期間にのみ及び／又は電力の存在時にのみデータを記憶するものを含むあらゆる形態のコンピュータ可読媒体を含むことができ、一時的な電子信号には「コンピュータ可読媒体」という用語が当てはまらないという点が唯一の制約である。
【０３５４】
本明細書では、コンピュータプログラム製品としても実装できる、本技術の実施形態による方法及びシステム、及び／又は手順、アルゴリズム、ステップ、演算、数式又はその他の計算表現のフローチャートを参照して本技術の実施形態を説明することができる。この点、フローチャートの各ブロック又はステップ、及びフローチャートのブロック（及び／又はステップ）の組み合わせ、並びにあらゆる手順、アルゴリズム、ステップ、演算、数式、又は計算表現は、ハードウェア、ファームウェア、及び／又はコンピュータ可読プログラムコードの形で具体化された１又は２以上のコンピュータプログラム命令を含むソフトウェアなどの様々な手段によって実装することができる。理解されるように、このようなあらゆるコンピュータプログラム命令は、以下に限定されるわけではないが、汎用コンピュータ又は専用コンピュータ、又は機械を生産するための他のあらゆるプログラマブル処理装置を含む１又は２以上のコンピュータプロセッサ上によって実行して、コンピュータプロセッサ又は他のプログラマブル処理装置上で実行されるコンピュータプログラム命令が、（単複の）特定される機能を実施するための手段を生み出すようにすることができる。
【０３５５】
従って、本明細書で説明したフローチャートのブロック、並びに手順、アルゴリズム、ステップ、演算、数式、又は計算表現は、（単複の）特定の機能を実行する手段の組み合わせ、（単複の）特定の機能を実行するステップの組み合わせ、及びコンピュータ可読プログラムコード論理手段の形で具体化されるような、（単複の）特定の機能を実行するコンピュータプログラム命令をサポートする。また、本明細書で説明したフローチャートの各ブロック、並びに手順、アルゴリズム、ステップ、演算、数式、又は計算表現、及びこれらの組み合わせは、（単複の）特定の機能又はステップを実行する専用ハードウェアベースのコンピュータシステム、又は専用ハードウェアとコンピュータ可読プログラムコードとの組み合わせによって実装することもできると理解されるであろう。
【０３５６】
さらに、コンピュータ可読プログラムコードなどの形で具体化されるこれらのコンピュータプログラム命令を、コンピュータプロセッサ又は他のプログラマブル処理装置に特定の態様で機能するように指示することができる１又は２以上のコンピュータ可読メモリ又はメモリ装置に記憶して、これらのコンピュータ可読メモリ又はメモリ装置に記憶された命令が、（単複の）フローチャートの（単複の）ブロック内に指定される機能を実施する命令手段を含む製造の物品を生産するようにすることもできる。コンピュータプログラム命令をコンピュータプロセッサ又は他のプログラマブル処理装置によって実行し、コンピュータプロセッサ又は他のプログラマブル処理装置上で一連の動作ステップが実行されるようにしてコンピュータで実施される処理を生成し、コンピュータプロセッサ又は他のプログラマブル処理装置上で実行される命令が、（単複の）フローチャートの（単複の）ブロック、（単複の）手順、（単複の）アルゴリズム、（単複の）ステップ、（単複の）演算、（単複の）数式、又は（単複の）計算表現に特定される機能を実施するためのステップを提供するようにすることもできる。
【０３５７】
さらに、本明細書で使用する「プログラム」又は「プログラム実行文」という用語は、本明細書で説明した１又は２以上の機能を実行するために１又は２以上のコンピュータプロセッサが実行できる１又は２以上の命令を意味すると理解されるであろう。命令は、ソフトウェア、ファームウェア、又はソフトウェアとファームウェアとの組み合わせで具体化することができる。命令は、装置の非一時的媒体に局所的に記憶することも、又はサーバなどに遠隔的に記憶することもでき、或いは命令の全部又は一部を局所的に又は遠隔的に記憶することもできる。遠隔的に記憶された命令は、ユーザが開始することによって、或いは１又は２以上の要因に基づいて自動的に装置にダウンロード（プッシュ）することができる。
【０３５８】
さらに、本明細書で使用するプロセッサ、ハードウェアプロセッサ、コンピュータプロセッサ、中央処理装置（ＣＰＵ）及びコンピュータという用語は、命令、並びに入力／出力インターフェイス及び／又は周辺装置との通信を実行できる装置を示すために同義的に使用されるものであり、プロセッサ、ハードウェアプロセッサ、コンピュータプロセッサ、ＣＰＵ及びコンピュータという用語は、単一の又は複数の装置、シングルコア装置及びマルチコア装置、及びこれらの変種を含むように意図するものであると理解されるであろう。
【０３５９】
本明細書の説明から、本開示は、限定ではないが以下の内容を含む複数の実施形態を含むことができると理解されるであろう。
【０３６０】
１．ネットワークにおける無線通信装置であって、（ａ）マルチバンド通信能力を有する少なくとも１つの他の無線通信局と無線で通信するように構成された無線通信回路を備え、（ｂ）前記マルチバンド通信能力は、指向性ミリメートル波（ｍｍＷ）帯及びｓｕｂ−６ＧＨｚ帯を介した通信を含み、（ｃ）無線ネットワーク上で動作するように構成された局内の、前記無線通信回路に結合されたプロセッサと、（ｄ）前記プロセッサが実行できる命令を記憶した非一時的メモリと、をさらに備え、（ｅ）前記命令は、前記プロセッサによって実行された時に、（ｅ）（ｉ）（ｅ）（ｉ）（Ａ）前記ｓｕｂ−６ＧＨｚ帯を介して、前記ｍｍＷ帯での発見支援を要求する発見支援要求を含むメッセージを送信するステップと、（ｅ）（ｉ）（Ｂ）前記無線ネットワーク上のノードから、前記ｓｕｂ−６ＧＨｚ帯を介して発見支援応答を受け取るステップと、（ｅ）（ｉ）（Ｃ）ビームフォーミングプロセス中に近隣の無線通信局を発見するために、前記発見支援要求及び発見支援応答の交換において受け取られた情報に従って前記ｍｍＷ帯に切り替えて送信又は受信を開始するステップと、を実行することによって、前記無線通信回路を、前記無線ネットワークに参加しようと試みる新規ノードとして動作させるステップと、（ｅ）（ｉｉ）（ｅ）（ｉｉ）（Ａ）ｍｍＷ帯での発見支援が可能である旨の指示を含むメッセージを前記ｓｕｂ−６ＧＨｚ帯で送信することによって自機の発見支援能力を通知するステップと、（ｅ）（ｉｉ）（Ｂ）前記無線ネットワークに参加しようと試みるいずれかの新規ノードからの発見支援要求が受け取られたことに応答して生成された発見支援応答を含むメッセージを、前記ｓｕｂ−６ＧＨｚ帯で送信するステップと、（ｅ）（ｉｉ）（Ｃ）ビームフォーミングプロセスにおいて前記新規ノードを発見するために、前記発見支援要求及び発見支援応答の交換において受け取られた情報に従ってｍｍＷ帯に切り替えてメッセージを送信又は受信するステップと、を実行することによって、前記無線通信回路を、前記無線ネットワークに参加しようと試みるいずれかの新規ノードを支援するように構成された、前記無線ネットワークに既に接続されているネットワークノードとして動作させるステップと、を実行する、装置。
【０３６１】
２．前記プロセッサによって実行される前記命令は、前記無線通信回路が新規ノードとして動作している時に、前記ｓｕｂ−６ＧＨｚ帯を介して支援応答を含むメッセージを送信する際に、前記ｓｕｂ−６ＧＨｚ帯で発見支援要求フレームを送信するステップをさらに含む、いずれかの先行又は後続する実施形態の装置又は方法。
【０３６２】
３．前記プロセッサによって実行される前記命令は、前記無線通信回路が前記ネットワークノードとして動作している時に、前記ｓｕｂ−６ＧＨｚ帯を介して支援応答を含むメッセージを送信する際に、前記ｓｕｂ−６ＧＨｚ帯で発見支援応答フレームを送信するステップをさらに含む、いずれかの先行又は後続する実施形態の装置又は方法。
【０３６３】
４．前記プロセッサによって実行される前記命令は、前記無線通信回路が新規ノードとして動作している時に、前記ｓｕｂ−６ＧＨｚ帯を介して発見支援要求を含むメッセージを送信する際に、前記ｓｕｂ−６ＧＨｚ帯で発見支援要求を含むプローブ要求を送信するステップをさらに含む、いずれかの先行又は後続する実施形態の装置又は方法。
【０３６４】
５．前記プロセッサによって実行される前記命令は、前記無線通信回路が前記ネットワークノードとして動作している時に、前記ｓｕｂ−６ＧＨｚ帯を介して発見支援応答含むメッセージを送信する際に、前記ｓｕｂ−６ＧＨｚ帯で発見支援応答を含むプローブ応答を送信するステップをさらに含む、いずれかの先行又は後続する実施形態の装置又は方法。
【０３６５】
６．前記プロセッサによって実行される前記命令は、前記無線通信回路が新規ノードとして動作している時に、前記ｓｕｂ−６ＧＨｚ帯を介して発見支援要求を含むメッセージを送信する際に、前記ｓｕｂ−６ＧＨｚ帯で発見支援要求を含むアソシエーション又は再アソシエーション要求を送信するステップをさらに含む、いずれかの先行又は後続する実施形態の装置又は方法。
【０３６６】
７．前記プロセッサによって実行される前記命令は、前記無線通信回路が前記ネットワークノードとして動作している時に、前記ｓｕｂ−６ＧＨｚ帯を介して発見支援応答を含むメッセージを送信する際に、前記ｓｕｂ−６ＧＨｚ帯で発見支援応答を含むアソシエーション又は再アソシエーション応答を送信するステップをさらに含む、いずれかの先行又は後続する実施形態の装置又は方法。
【０３６７】
８．前記プロセッサによって実行される前記命令は、前記新規ノードとして動作している前記無線通信回路のｍｍＷ  ＭＡＣ層管理エンティティ（ＭＬＭＥ）から前記新規ノードのｓｕｂ−６ＧＨｚ  ＭＬＭＥを通じてネットワークノードへのオンチャネルトンネル（ＯＣＴ）要求を開始した後に、前記トンネリングされたチャネルを通じて前記発見支援要求を送信するステップをさらに含む、いずれかの先行又は後続する実施形態の装置又は方法。
【０３６８】
９．前記プロセッサによって実行される前記命令は、前記ネットワークノードとして動作している前記無線通信回路のｍｍＷ  ＭＡＣ層管理エンティティ（ＭＬＭＥ）から前記ネットワークノードのｓｕｂ−６ＧＨｚ  ＭＬＭＥを通じて新規ノードへのオンチャネルトンネル（ＯＣＴ）要求を開始した後に、前記トンネリングされたチャネルを通じて前記発見支援応答を送信するステップをさらに含む、いずれかの先行又は後続する実施形態の装置又は方法。
【０３６９】
１０．前記プロセッサによって実行される前記命令は、前記無線通信回路が前記新規ノード又は前記ネットワークノードのいずれかとして動作している時に、前記ｓｕｂ−６ＧＨｚ帯を介して、発見支援能力、又はマルチバンド能力、又は発見支援能力とマルチバンド能力との組み合わせをブロードキャストするステップをさらに含む、いずれかの先行又は後続する実施形態の装置又は方法。
【０３７０】
１１．前記プロセッサによって実行される前記命令は、前記無線通信回路が前記新規ノード又は前記ネットワークノードのいずれかとして動作している時に、送信されるビーコン又はメッセージに発見支援能力、又はマルチバンド能力、又は発見支援能力とマルチバンド能力との組み合わせに関する情報を組み込むことにより、前記ｓｕｂ−６ＧＨｚ帯を介して、発見支援能力、又はマルチバンド能力、又は発見支援能力とマルチバンド能力との組み合わせをブロードキャストするステップをさらに含む、いずれかの先行又は後続する実施形態の装置又は方法。
【０３７１】
１２．前記送信されるビーコン又はメッセージは、ビーコンフレーム、プローブ応答、通知フレーム、情報応答、アソシエーション応答、再アソシエーション応答、或いはネットワーク及びＳＴＡ能力を通知するために新規ノードにブロードキャスト又はユニキャストされるいずれかのフレームから成るビーコン又はメッセージの群から選択される、いずれかの先行又は後続する実施形態の装置又は方法。
【０３７２】
１３．前記プロセッサによって実行される前記命令は、前記無線通信回路が前記新規ノードとして動作している時に、発見支援能力、又はマルチバンド能力、又は発見支援能力とマルチバンド能力との組み合わせを含むビーコンを受け取ったことに応答して、前記ｓｕｂ−６ＧＨｚ帯を介して発見支援要求を含むメッセージを送信する前記ステップを引き起こすステップをさらに含む、いずれかの先行又は後続する実施形態の装置又は方法。
【０３７３】
１４．前記プロセッサによって実行される前記命令は、前記無線通信回路が前記ネットワークノードとして動作して全方向にビームフォーミングフレームを送信し又はビームフォーミングフレームを受信し、自機のｍｍＷ信号カバレッジエリア内に新規ノードが存在する場合に前記新規ノードとビームフォーミングするステップをさらに含む、いずれかの先行又は後続する実施形態の装置又は方法。
【０３７４】
１５．前記プロセッサによって実行される前記命令は、前記無線通信回路が前記新規ノードとして動作して全方向にビームフォーミングフレームを送信し又はビームフォーミングフレームを受信し、自機のｍｍＷ信号カバレッジエリア内にネットワークノードが存在する場合に前記ネットワークノードとビームフォーミングするステップをさらに含む、いずれかの先行又は後続する実施形態の装置又は方法。
【０３７５】
１６．前記プロセッサによって実行される前記命令は、前記無線通信回路が前記ネットワークノードとして動作している時に、前記無線ネットワーク内の潜在的近隣である他のネットワークノードと協調し、ｍｍＷカバレッジエリア内にいずれかの新規ノードが存在する場合にｍｍＷビームフォーミングによって前記新規ノードを支援するステップをさらに含む、いずれかの先行又は後続する実施形態の装置又は方法。
【０３７６】
１７ネットワークにおける無線通信方法であって、（ａ）指向性送信及び／又は受信のために構成された第１の通信帯を介して送信を行うことによって、ネットワークに参加した無線ノード間で無線で通信するステップと、（ｂ）第２の無線通信帯を介した通信を利用して、前記ネットワークに参加しようと試みる新規ノードと無線で通信するステップと、（ｃ）前記ネットワークに参加しようと試みる新規ノードが前記第１の通信帯での発見支援を要求できるように、前記第２の通信帯を介して、発見支援要求と前記発見プロセスを支援するための関連する情報フィールドとを含むメッセージを送信するステップと、（ｄ）前記ネットワークに既に参加しているネットワークノードが前記発見支援要求を受け取り、前記第２の通信帯を介して前記新規ノードに、発見支援要求と前記発見プロセスを支援するための関連する情報フィールドとを送信することによって応答するステップと、（ｅ）ビームフォーミングプロセスに応答して近隣の無線通信局を発見するために、前記発見支援要求及び応答の交換からの前記関連する情報フィールド内で受け取られた情報に従って、前記第１の通信帯における指向性通信を使用することに切り替えて指向性送信を生成するステップと、を含む方法。
【０３７７】
１８．前記第１の通信帯は、指向性ミリメートル波（ｍｍＷ）帯を含む、いずれかの先行又は後続する実施形態の装置又は方法。
【０３７８】
１９．前記第２の通信帯は、ｓｕｂ−６ＧＨｚ帯における無指向性通信のために構成される、いずれかの先行又は後続する実施形態の装置又は方法。
【０３７９】
２０．前記発見支援要求及び前記発見支援応答は、（ａ）前記発見プロセスを支援するための前記関連する情報フィールドを含む特定の発見支援要求フレーム及び発見支援応答フレームを利用すること、又は（ｂ）前記発見支援要求及び前記発見支援応答と、前記発見プロセスを支援するための前記関連する情報フィールドとを、前記第２の通信帯を介して伝えられる他のビーコン又はメッセージに組み込むこと、又は（ｃ）前記発見支援要求及び前記発見支援応答を、前記発見プロセスを支援するための前記関連する情報フィールドを含む別のビーコン又はメッセージの通信を引き起こす他のビーコン又はメッセージで伝えること、又は（ｄ）前記発見支援要求及び前記発見支援応答と、前記発見プロセスを支援するための前記関連する情報フィールドとを、第１の通信帯のＭＡＣ層管理エンティティ間に確立されたオンチャネルトンネル（ＯＣＴ）を介して伝えること、又は（ｅ）これらの組み合わせ、によって交換される、いずれかの先行又は後続する実施形態の装置又は方法。
【０３８０】
本明細書で使用する単数形の「ａ、ａｎ（英文不定冠詞）」及び「ｔｈｅ（英文定冠詞）」は、文脈において別途明確に示されていない限り複数形の照応を含む。ある物体に対する単数形での言及は、明確にそう述べていない限り「唯一」を意味するものではなく、「１又は２以上」を意味する。
【０３８１】
本明細書で使用する「組（ｓｅｔ）」という用語は、１又は２以上の物体の集合を意味する。従って、例えば物体の組は、単一の物体又は複数の物体を含むことができる。
【０３８２】
本明細書で使用する「実質的に（ｓｕｂｓｔａｎｔｉａｌｌｙ）」及び「約（ａｂｏｕｔ）」という用語は、わずかな変動の記述及び説明のために使用するものである。これらの用語は、事象又は状況に関連して使用した時には、これらの事象又は状況が間違いなく発生する場合、及びこれらの事象又は状況が発生する可能性が非常に高い場合を意味することができる。これらの用語は、数値に関連して使用した時には、その数値の±５％以下、±４％以下、±３％以下、±２％以下、±１％以下、±０．５％以下、±０．１％以下、又は±０．０５％以下などの、±１０％以下の変動範囲を意味することができる。例えば、「実質的に」整列しているということは、±５°以下、±４°以下、±３°以下、±２°以下、±１°以下、±０．５°以下、±０．１°以下、又は±０．０５°以下などの、±１０°以下の角度変動範囲を意味することができる。
【０３８３】
また、本明細書では、量、比率及びその他の数値を範囲形式で示すこともある。このような範囲形式は、便宜的に簡略化して使用するものであり、範囲の限界として明確に指定された数値を含むが、この範囲に含まれる全ての個々の数値又は部分的範囲も、これらの各数値及び部分的範囲が明確に示されているかのように含むものであると柔軟に理解されたい。例えば、約１〜約２００の範囲内の比率は、約１及び約２００という明確に列挙した限界値を含むが、約２、約３、約４などの個々の比率、及び約１０〜約５０、約２０〜約１００などの部分的範囲も含むと理解されたい。
【０３８４】
本明細書の説明は多くの詳細を含んでいるが、これらは本開示の範囲を限定するものではなく、現在のところ好ましい実施形態の一部を例示するものにすぎないと解釈すべきである。従って、本開示の範囲は、当業者に明らかになると考えられる他の実施形態も完全に含むと理解されるであろう。
【０３８５】
当業者に周知の本開示の実施形態の要素の構造的、化学的及び機能的同等物も、引用によって本明細書に明確に組み入れられ、本特許請求の範囲に含まれるように意図される。さらに、本開示の要素、構成要素又は方法ステップは、これらが特許請求の範囲に明示されているかどうかにかかわらず、一般に公開されるように意図するものではない。本明細書における請求項の要素については、その要素が「〜のための手段」という表現を使用して明確に示されていない限り、「ミーンズプラスファンクション」の要素として解釈すべきではない。また、本明細書における請求項の要素については、その要素が「〜のためのステップ」という表現を使用して明確に示されていない限り、「ステッププラスファンクション」の要素として解釈すべきではない。
【符号の説明】
【０３８６】
２３０  プロセス
２３２  開始
２３４  ｓｕｂ−６ＧＨｚ帯でビーコンを送信
２３６  ＤＡ応答を受け取ったか？
２３８  マルチバンドが可能であるか？
２４０  ＤＡ応答を送信
２４２  ＤＮ支援が可能であるか？
２４４  ＤＮ支援による協調的ｍｍＷ発見をトリガ
２４６  ＳＴＡ  ｍｍＷ発見をトリガ
【図１】
2021509241.tif 000003
【図２】
2021509241.tif 000004
【図３】
2021509241.tif 000005
【図４】
2021509241.tif 000006
【図５】
2021509241.tif 000007
【図６】
2021509241.tif 000008
【図７】
2021509241.tif 000009
【図８】
2021509241.tif 000010
【図９Ａ】
2021509241.tif 000011
【図９Ｂ】
2021509241.tif 000012
【図１０】
2021509241.tif 000013
【図１１】
2021509241.tif 000014
【図１２】
2021509241.tif 000015
【図１３】
2021509241.tif 000016
【図１４】
2021509241.tif 000017
【図１５】
2021509241.tif 000018
【図１６Ａ】
2021509241.tif 000019
【図１６Ｂ】
2021509241.tif 000020
【図１６Ｃ】
2021509241.tif 000021
【図１７Ａ】
2021509241.tif 000022
【図１７Ｂ】
2021509241.tif 000023
【図１８】
2021509241.tif 000024
【図１９】
2021509241.tif 000025
【図２０】
2021509241.tif 000026
【図２１】
2021509241.tif 000027
【図２２】
2021509241.tif 000028
【図２３】
2021509241.tif 000029
【図２４】
2021509241.tif 000030
【図２５】
2021509241.tif 000031
【図２６】
2021509241.tif 000032
【図２７Ａ】
2021509241.tif 000033
【図２７Ｂ】
2021509241.tif 000034
【図２８】
2021509241.tif 000035
【図２９】
2021509241.tif 000036
【図３０】
2021509241.tif 000037
【図３１】
2021509241.tif 000038
【図３２】
2021509241.tif 000039
【図３３】
2021509241.tif 000040
【図３４】
2021509241.tif 000041
【図３５】
2021509241.tif 000042
【図３６Ａ】
2021509241.tif 000043
【図３６Ｂ】
2021509241.tif 000044
【図３６Ｃ】
2021509241.tif 000045
【図３７Ａ】
2021509241.tif 000046
【図３７Ｂ】
2021509241.tif 000047
【図３７Ｃ】
2021509241.tif 000048
【図３８Ａ】
2021509241.tif 000049
【図３８Ｂ】
2021509241.tif 000050
【図３８Ｃ】
2021509241.tif 000051
【図３９Ａ】
2021509241.tif 000052
【図３９Ｂ】
2021509241.tif 000053
【図３９Ｃ】
2021509241.tif 000054
【図４０Ａ】
2021509241.tif 000055
【図４０Ｂ】
2021509241.tif 000056
【図４０Ｃ】
2021509241.tif 000057
【図４１】
2021509241.tif 000058
【図４２】
2021509241.tif 000059
【図４３】
2021509241.tif 000060
【図４４Ａ】
2021509241.tif 000061
【図４４Ｂ】
2021509241.tif 000062
【図４５】
2021509241.tif 000063
【図４６Ａ】
2021509241.tif 000064
【図４６Ｂ】
2021509241.tif 000065
【図４７】
2021509241.tif 000066
【図４８Ａ】
2021509241.tif 000067
【図４８Ｂ】
2021509241.tif 000068
【図４９】
2021509241.tif 000069
【図５０】
2021509241.tif 000070
【図５１Ａ】
2021509241.tif 000071
【図５１Ｂ】
2021509241.tif 000072
【図５１Ｃ】
2021509241.tif 000073
【図５１Ｄ】
2021509241.tif 000074
【図５１Ｅ】
2021509241.tif 000075
【図５１Ｆ】
2021509241.tif 000076
【図５２】
2021509241.tif 000077
【図５３Ａ】
2021509241.tif 000078
【図５３Ｂ】
2021509241.tif 000079
【図５４】
2021509241.tif 000080
【図５５】
2021509241.tif 000081
【図５６】
2021509241.tif 000082
【図５７】
2021509241.tif 000083
【図５８】
2021509241.tif 000084
【図５９】
2021509241.tif 000085
【図６０】
2021509241.tif 000086
【図６１】
2021509241.tif 000087
【図６２】
2021509241.tif 000088
【図６３】
2021509241.tif 000089
【国際調査報告】
2021509241.tif 000090
2021509241.tif 000091
2021509241.tif 000092